(57)【要約】      （修正有）【課題】再生可能資源から製造される改善された洗浄性能をもたらす洗剤組成物の提供。【解決手段】約１重量％〜約６０重量％の界面活性剤と、約０．１重量％〜約１０重量％の多糖誘導体であって、ａ）少なくとも１つの疎水基、及びｂ）少なくとも１つの親水基で置換されている多糖を含み、前記多糖が、ポリα−１，３−グルカン、ポリα−１，６−グルカン、又はポリα−１，３−１，６−グルカンである多糖誘導体とを含み、前記製品が家庭用製品である、製品。【選択図】なし【特許請求の範囲】
【請求項１】
多糖誘導体を含む組成物であって、前記多糖誘導体が、
ａ）少なくとも１つの疎水基、及び
ｂ）少なくとも１つの親水基
で置換されている多糖を含み、
前記多糖が、ポリα−１，３−グルカン、ポリα−１，６−グルカン、又はポリα−１，３−１，６−グルカンである、組成物。
【請求項２】
前記ポリα−１，３−グルカンが、グルコースモノマー単位の主鎖を含み、前記グルコースモノマー単位の５０％以上が、α−１，３−グリコシド結合を介して結合している、請求項１に記載の組成物。
【請求項３】
前記ポリα−１，３−グルカンが、グルコースモノマー単位の主鎖を含み、前記グルコースモノマー単位の９０％以上が、α−１，３−グリコシド結合を介して結合している、請求項１に記載の組成物。
【請求項４】
前記ポリα−１，６−グルカンが、グルコースモノマー単位の主鎖を含み、前記グルコースモノマー単位の４０％以上が、α−１，６−グリコシド結合を介して結合している、請求項１に記載の組成物。
【請求項５】
前記ポリα−１，６−グルカンが、５０％未満のα−１，２−分枝度を有する、請求項１に記載の組成物。
【請求項６】
前記少なくとも１つの疎水基が、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位であって、繰り返し単位の総数が３〜１００の範囲である繰り返し単位を含むポリエーテル基、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含む、請求項１に記載の組成物。
【請求項７】
前記少なくとも１つの疎水基が、Ｃ１〜Ｃ１８アルキル基、ベンジル基、ｐ−トルエンスルホニル基、又はこれらの組み合わせを含む、請求項６に記載の組成物。
【請求項８】
前記少なくとも１つの疎水基が、ベンジル基を含み、前記ベンジル基が、ハロゲン基、シアノ基、エステル基、アミド基、エーテル基、Ｃ１〜Ｃ６アルキル基、アリール基、Ｃ２〜Ｃ６アルケン基、Ｃ２〜Ｃ６アルキン基、又はこれらの組み合わせのうちの１つ以上で更に置換されている、請求項６に記載の組成物。
【請求項９】
前記少なくとも１つの親水基が、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む、請求項１に記載の組成物。
【請求項１０】
前記少なくとも１つの親水基が、カルボン酸、アルキル置換されたアンモニウム塩、スルホネート、アルキルスルホネート、サルフェート、チオサルフェート、又はこれらの組み合わせを含む、請求項１に記載の組成物。
【請求項１１】
前記少なくとも１つの疎水基が、Ｃ１〜Ｃ１８アルキル基、Ｃ２〜Ｃ１８アルケン基、
Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位であって、繰り返し単位の総数が３〜１００の範囲である繰り返し単位を含むポリエーテル基、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含み、前記少なくとも１つの親水基が、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む、請求項１に記載の組成物。
【請求項１２】
前記少なくとも１つの疎水基が、Ｃ１〜Ｃ１８アルキル基、ベンジル基、ｐ−トルエンスルホニル基、又はこれらの組み合わせを含み、前記少なくとも１つの親水基が、カルボン酸、アルキル置換されたアンモニウム塩、スルホネート、アルキルスルホネート、サルフェート、チオサルフェート、又はこれらの組み合わせを含む、請求項１に記載の組成物。
【請求項１３】
前記少なくとも１つの疎水基が、Ｃ１〜Ｃ１８アルキル基、ベンジル基、又はｐ−トルエンスルホニル基を含み、前記少なくとも１つの親水基が、チオサルフェート、又はカルボキシメチル基を含む、請求項１に記載の組成物。
【請求項１４】
前記多糖誘導体が、約５〜約１４００の範囲の重合度を有する、請求項１に記載の組成物。
【請求項１５】
前記多糖誘導体が、約０．００１〜約３．０の置換度を有する、請求項１に記載の組成物。
【請求項１６】
前記多糖誘導体が、２重量％にて、ＡＳＴＭ規格  Ｄ１３３１、２０１５の方法に従って測定される場合、６５ｍＮ／ｍ以下の表面張力を有する、請求項１に記載の組成物。
【請求項１７】
液体、ジェル、粉末、ヒドロコロイド、水溶液、顆粒、錠剤、カプセル、単一区画袋、複数区画袋、単一区画パウチ、又は複数区画パウチの形態である、請求項１に記載の組成物。
【請求項１８】
界面活性剤、酵素、洗剤ビルダー、錯化剤、ポリマー、汚れ放出ポリマー、界面活性増強ポリマー、漂白剤、漂白活性化剤、漂白触媒、織物コンディショナー、粘土、起泡増進剤、泡抑制剤、腐食防止剤、汚れ懸濁化剤、汚れ再付着防止剤、染料、殺菌剤、曇り防止剤、蛍光増白剤、香料、飽和若しくは不飽和脂肪酸、移染防止剤、キレート剤、色相染料、カルシウムカチオン、マグネシウムカチオン、視覚信号成分、消泡剤、構造化剤、増粘剤、固化防止剤、デンプン、砂、ゲル化剤、又はこれらの組み合わせのうちの少なくとも１つを更に含む、請求項１に記載の組成物。
【請求項１９】
前記酵素が、セルラーゼ、プロテアーゼ、アミラーゼ、リパーゼ、又はこれらの組み合わせである、請求項１８に記載の組成物。
【請求項２０】
基材を処理するための方法であって：
Ａ）多糖誘導体を含む組成物を提供する工程であって、前記多糖誘導体が、
ａ）少なくとも１つの疎水基、及び
ｂ）少なくとも１つの親水基
で置換されている多糖を含み、
前記多糖が、ポリα−１，３−グルカン、ポリα−１，６−グルカン、ポリα−１，６−
グルカン、又はこれらの混合物である、工程と、
Ｂ）前記基材を前記組成物と接触させる工程と、
Ｃ）任意選択的に、前記基材をすすぐ工程と
を含み、
前記基材が、カーペット、室内装飾材料、又は表面材である、方法。
【請求項２１】
製品であって、
約１重量％〜約６０重量％の界面活性剤と、
約０．１重量％〜約１０重量％の多糖誘導体であって、
ａ）少なくとも１つの疎水基、及び
ｂ）少なくとも１つの親水基
で置換されている多糖を含み、
前記多糖が、ポリα−１，３−グルカン、ポリα−１，６−グルカン、又はポリα−１，３−１，６−グルカンである多糖誘導体と
を含み、前記製品が家庭用製品である、製品。
【請求項２２】
液体、ジェル、粉末、ヒドロコロイド、水溶液、顆粒、錠剤、カプセル、単一区画袋、複数区画袋、単一区画パウチ、又は複数区画パウチの形態である、請求項２１に記載の製品。
【請求項２３】
酵素、洗剤ビルダー、錯化剤、ポリマー、汚れ放出ポリマー、界面活性増強ポリマー、漂白剤、漂白活性化剤、漂白触媒、織物コンディショナー、粘土、起泡増進剤、泡抑制剤、腐食防止剤、汚れ懸濁化剤、汚れ再付着防止剤、染料、殺菌剤、曇り防止剤、蛍光増白剤、香料、飽和若しくは不飽和脂肪酸、移染防止剤、キレート剤、色相染料、カルシウムカチオン、マグネシウムカチオン、視覚信号成分、消泡剤、構造化剤、増粘剤、固化防止剤、デンプン、砂、ゲル化剤、又はこれらの組み合わせのうちの少なくとも１つを更に含む、請求項２１に記載の製品。
【請求項２４】
前記酵素が、セルラーゼ、プロテアーゼ、アミラーゼ、リパーゼ、又はこれらの組み合わせである、請求項２３に記載の製品。
【請求項２５】
前記多糖誘導体が、２重量％にて、６５ｍＮ／ｍ未満の表面張力を有する、請求項２１に記載の製品。
【請求項２６】
水溶性単位用量物品であって、水溶性フィルム、並びに約１重量％〜約６０重量％の界面活性剤と、約０．１重量％〜約１０重量％の多糖誘導体であって、
ａ）少なくとも１つの疎水基、及び
ｂ）少なくとも１つの親水基
で置換されている多糖を含み、
前記多糖が、ポリα−１，３−グルカン、ポリα−１，６−グルカン、又はポリα−１，３−１，６−グルカンである多糖誘導体と、を含む組成物を含み、前記水溶性単位用量物品が家庭用製品である、水溶性単位用量物品。
【請求項２７】
少なくとも２つの区画を備える、請求項２６に記載の水溶性単位用量物品。
【請求項２８】
少なくとも３つの区画を備える、請求項２６に記載の水溶性単位用量物品。
【請求項２９】
前記区画が、重ね合わせる向き、又は横並びの向きに配置されている、請求項２７に記載の水溶性単位用量物品。
【請求項３０】
基材の処理方法であって、水の存在下で、前記基材を請求項２１に記載の家庭用製品と接触させる工程を含み、前記基材が織物又は硬質表面である、基材の処理方法。
【請求項３１】
前記処理された織物が、Ｌ＊ａ＊ｂ＊  ＷＩＣＩＥ法に従って測定される場合、処理前の前記織物に対して＋１．５以上の単位のＷＩＣＩＥの変化を有する、請求項２１に記載の製品で織物を処理する方法。
【請求項３２】
製品であって、
約１重量％〜約６０重量％の非石油由来の界面活性剤と、
約０．１重量％〜約１０重量％の多糖誘導体であって、
ａ）少なくとも１つの疎水基、及び
ｂ）少なくとも１つの親水基
で置換されている多糖を含み、
前記多糖が、ポリα−１，３−グルカン、ポリα−１，６−グルカン、又はポリα−１，３−１，６−グルカンである多糖誘導体と、を含み、前記製品が家庭用製品である、製品。
【請求項３３】
前記製品が、染料及び光沢剤を実質的に含まない、請求項３２に記載の製品。
【発明の詳細な説明】
【技術分野】
【０００１】
関連出願の相互参照
本出願は、その開示が参照により本明細書に全体として組み込まれる米国仮特許出願第６２／４３５１５８号、発明の名称「Ａｍｐｈｉｐｈｉｌｉｃ  Ｐｏｌｙｓａｃｃｈａｒｉｄｅ  Ｄｅｒｉｖａｔｉｖｅｓ  ａｎｄ  Ｃｏｍｐｏｓｉｔｉｏｎｓ  Ｃｏｍｐｒｉｓｉｎｇ  Ｓａｍｅ」（２０１６年１２月１６日出願）の利益を主張するものである。
【０００２】
本開示は、多糖誘導体を含む組成物であって、多糖誘導体が、少なくとも１つの疎水基、及び少なくとも１つの親水基で置換されている多糖を含む、組成物に関する。
【背景技術】
【０００３】
酵素合成又は微生物の遺伝子工学を使用して新規な構造の多糖類を見つけたいという願望によって動機付けられ、研究者らは生分解性であり、再生可能資源原料から経済的に製造することができるオリゴ糖及び多糖を見出した。
【０００４】
洗濯用、織物用、食器洗い用、又は他の洗浄用組成物を含む最近の洗剤組成物は、アニオン性、ノニオン性、カチオン性、両性、双性イオン性、及び／又は半極性界面活性剤などの一般的な洗剤成分；並びに、プロテアーゼ、セルラーゼ、リパーゼ、アミラーゼ、及び／又はペルオキシダーゼなどの酵素を含む。洗濯洗剤及び／又は織物ケア組成物は、清潔、新鮮、及び衛生的であるだけでなく、外観及び一体性も保持されている織物を得るのに１つ以上の目的を有する様々な洗剤成分を更に含み得る。そのため、香料、衛生剤、昆虫防除剤、漂白剤、織物柔軟剤、染料固着剤、汚れ放出剤及び織物光沢剤などのベネフィット剤が洗濯洗剤及び／又は織物ケア組成物中に組み込まれてきた。このような洗剤組成物を使用する際、洗濯及び／若しくは織物ケアプロセス中に又は後に有効であるように、これらの化合物のいくつかが織物上に付着することが重要である。
【０００５】
洗剤組成物の一部を形成する成分の多くは、再生不可能な石油原料から製造される。再生可能資源から製造される改善された洗浄性能をもたらす洗剤組成物を配合する必要性が依然として存在している。
【発明の概要】
【課題を解決するための手段】
【０００６】
本明細書において、多糖誘導体を含む組成物であって、
多糖誘導体が、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである、組成物が開示される。
【０００７】
一実施形態において、ポリα−１，３−グルカンは、グルコースモノマー単位の主鎖を含み、グルコースモノマー単位の５０％以上はα−１，３−グリコシド結合を介して結合している。別の実施形態において、ポリα−１，３−グルカンは、グルコースモノマー単位の主鎖を含み、グルコースモノマー単位の９０％以上はα−１，３−グリコシド結合を介して結合している。更なる実施形態において、ポリα−１，６−グルカンは、グルコースモノマー単位の主鎖を含み、グルコースモノマー単位の４０％以上はα−１，６−グリコシド結合を介して結合している。一実施形態において、ポリα−１，６−グルカンは、
５０％未満のα−１，２−分枝度を有する。
【０００８】
一実施形態において、少なくとも１つの疎水基は、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含む。別の実施形態において、少なくとも１つの疎水基は、Ｃ１〜Ｃ１８アルキル基、ベンジル基、ｐ−トルエンスルホニル基、又はこれらの組み合わせを含む。更に別の実施形態において、少なくとも１つの疎水基は、ベンジル基を含み、上記ベンジル基は、ハロゲン基、シアノ基、アミド基、エーテル基、Ｃ１〜Ｃ６アルキル基、アリール基、Ｃ２〜Ｃ６アルケン基、Ｃ２〜Ｃ６アルキン基、又はこれらの組み合わせのうちの１つ以上で更に置換されている。
【０００９】
一実施形態において、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの親水基は、カルボン酸、アルキル置換されたアンモニウム塩、スルホネート、アルキルスルホネート、サルフェート、チオサルフェート、又はこれらの組み合わせを含む。
【００１０】
別の実施形態において、少なくとも１つの疎水基は、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。更なる実施形態において、少なくとも１つの疎水基は、Ｃ１〜Ｃ１８アルキル基、ベンジル基、ｐ−トルエンスルホニル基、又はこれらの組み合わせを含み、少なくとも１つの親水基は、カルボン酸、アルキル置換されたアンモニウム塩、スルホネート、アルキルスルホネート、サルフェート、チオサルフェート、又はこれらの組み合わせを含む。また、更なる実施形態において、少なくとも１つの疎水基は、Ｃ１〜Ｃ１８アルキル基、ベンジル基、又はｐ−トルエンスルホニル基を含み、少なくとも１つの親水基は、チオサルフェート、又はカルボキシメチル基を含む。
【００１１】
一実施形態において、多糖誘導体は、約５〜約１４００の範囲の重合度を有する。別の実施形態において、多糖誘導体は、約０．００１〜約３．０の置換度を有する。更なる実施形態において、多糖誘導体は、２重量％にて、ＡＳＴＭ規格  Ｄ１３３１、２０１５の方法に従って測定される場合、６５ｍＮ／ｍ以下の表面張力を有する。
【００１２】
別の実施形態において、組成物は、液体、ジェル、粉末、ヒドロコロイド、水溶液、顆粒、錠剤、カプセル、単一区画袋、複数区画袋、単一区画パウチ、又は複数区画パウチの形態である。
【００１３】
更に別の実施形態において、組成物は、界面活性剤、酵素、洗剤ビルダー、錯化剤、ポリマー、汚れ放出ポリマー、界面活性増強ポリマー、漂白剤、漂白活性化剤、漂白触媒、
織物コンディショナー、粘土、起泡増進剤、泡抑制剤、腐食防止剤、汚れ懸濁化剤、汚れ再付着防止剤、染料、殺菌剤、曇り防止剤、蛍光増白剤、香料、飽和若しくは不飽和脂肪酸、移染防止剤、キレート剤、色相染料、カルシウムカチオン、マグネシウムカチオン、視覚信号成分、消泡剤、構造化剤、増粘剤、固化防止剤、デンプン、砂、ゲル化剤、又はこれらの組み合わせのうちの少なくとも１つを更に含む。
【００１４】
一実施形態において、酵素は、セルラーゼ、プロテアーゼ、アミラーゼ、リパーゼ、又はこれらの組み合わせである。一実施形態において、酵素はセルラーゼである。別の実施形態において、酵素はプロテアーゼである。更なる実施形態において、酵素はアミラーゼである。更に別の実施形態において、酵素はリパーゼである。
【００１５】
また、本明細書において、基材を処理するための方法であって、
Ａ）多糖誘導体を含む組成物を提供する工程であって、多糖誘導体が、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである、工程と、
Ｂ）基材を組成物と接触させる工程と、
Ｃ）任意選択的に、基材をすすぐ工程と、
を含み、
基材が、カーペット、室内装飾材料、又は表面材である、方法が開示される。
【００１６】
また、本明細書において、
約１重量％〜約６０重量％の界面活性剤と、
約０．１重量％〜約１０重量％の多糖誘導体であって、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである多糖誘導体と、を含む製品であって、家庭用製品である、製品が開示される。
【００１７】
一実施形態において、製品は、液体、ジェル、粉末、ヒドロコロイド、水溶液、顆粒、錠剤、カプセル、単一区画袋、複数区画袋、単一区画パウチ、又は複数区画パウチの形態である。
【００１８】
別の実施形態において、製品は、酵素、洗剤ビルダー、錯化剤、ポリマー、汚れ放出ポリマー、界面活性増強ポリマー、漂白剤、漂白活性化剤、漂白触媒、織物コンディショナー、粘土、起泡増進剤、泡抑制剤、腐食防止剤、汚れ懸濁化剤、汚れ再付着防止剤、染料、殺菌剤、曇り防止剤、蛍光増白剤、香料、飽和若しくは不飽和脂肪酸、移染防止剤、キレート剤、色相染料、カルシウムカチオン、マグネシウムカチオン、視覚信号成分、消泡剤、構造化剤、増粘剤、固化防止剤、デンプン、砂、ゲル化剤、又はこれらの組み合わせのうちの少なくとも１つを更に含む。
【００１９】
製品の一実施形態において、酵素は、セルラーゼ、プロテアーゼ、アミラーゼ、リパーゼ、又はこれらの組み合わせである。
【００２０】
製品の別の実施形態において、多糖誘導体は、２重量％にて、６５ｍＮ／ｍ未満の表面張力を有する。
【００２１】
また、本明細書において、水溶性フィルム、並びに約１重量％〜約６０重量％の界面活性剤と、約０．１重量％〜約１０重量％の多糖誘導体であって、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである多糖誘導体と、を含む組成物を含む水溶性単位用量物品であって、家庭用製品である、水溶性単位用量物品が開示される。
【００２２】
一実施形態において、水溶性単位用量物品は、少なくとも２つの区画を備える。更なる実施形態において、水溶性単位用量物品は、区画が、重ね合わせる向き、又は横並びの向きに配置されている、少なくとも２つの区画を含む。更なる実施形態において、水溶性単位用量物品は、少なくとも３つの区画を備える。
【００２３】
また、本明細書において、基材の処理方法であって、水の存在下で、基材を家庭用製品と接触させる工程を含み、基材が織物又は硬質表面である、方法が開示される。更に、本明細書において、製品で織物を処理する方法であって、処理された織物が、Ｌ＊ａ＊ｂ＊
ＷＩＣＩＥ法に従って測定される場合、処理前の織物に対して＋１．５以上の単位のＷＩＣＩＥの変化を有する方法が開示される。
【００２４】
更に、本明細書において、
約１重量％〜約６０重量％の非石油由来の界面活性剤と、
約０．１重量％〜約１０重量％の多糖誘導体であって、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである多糖誘導体と、を含む製品であって、家庭用製品である、製品が開示される。
一実施形態において、製品は、染料及び光沢剤を実質的に含まない。
【発明を実施するための形態】
【００２５】
引用する全ての特許文献及び非特許文献の開示は、参照によりその全体が本明細書に組み込まれる。
【００２６】
本明細書で使用される場合、「実施形態」又は「開示」という用語は、限定されることを意味するものではなく、特許請求の範囲で定義されるか又は本明細書に記載される実施形態のいずれかに一般的に適用される。これらの用語は、本明細書において互換的に使用される。
【００２７】
本開示では、多数の用語及び略語を使用する。他に特に明記されない限り、下記の定義が当てはまる。
【００２８】
１つの要素又は構成要素に先行する冠詞「１つの（ａ）」、「１つの（ａｎ）」及び「その（ｔｈｅ）」は、その要素又は構成要素の事例（すなわち出現）の数に関して非限定的であることが意図されている。このため、「１つの（ａ）」、「１つの（ａｎ）」及び「その（ｔｈｅ）」は、１つ又は少なくとも１つを含むと解釈すべきであり、要素又は構成要素の単数形は、特にその数が明らかに単数であることを意味しない限り複数形も含む。
【００２９】
用語「含む」は、特許請求の範囲で言及される既定の特徴、整数、工程又は構成要素の存在を意味するが、１つ以上の他の特徴、整数、工程、構成要素又はそれらの群の存在又は添加を排除するものではない。用語「含む」は、用語「〜から本質的になる」及び「〜からなる」によって包含される実施形態を含むことを意図される。同様に、用語「〜から本質的になる」は、用語「〜からなる」によって包含される実施形態を含むことが意図されている。
【００３０】
存在する場合、全ての範囲は、包括的及び結合可能である。例えば、「１〜５」の範囲が列挙されている場合、列挙されている範囲は、「１〜４」、「１〜３」、「１〜２」、「１〜２及び４〜５」、「１〜３及び５」などの範囲を含むと解釈すべきである。
【００３１】
本明細書において数値と結び付けて使用する用語「約」は、その用語がその状況において他に特に定義されていない限り、数値の＋／−０．５の範囲を指す。例えば、語句「約６のｐＨ値」は、ｐＨ値が具体的にそうではないと定義されない限り、５．５〜６．５のｐＨ値を指す。
【００３２】
本明細書を通して明示されたあらゆる最高数値限度は、それより低いありとあらゆる数値限度を、そのようなより低い数値限度が本明細書に明示的に記載されたかのように含むことが意図されている。本明細書を通して明示されたあらゆる最低数値限度は、それより高いありとあらゆる数値限度を、そのようなより高い数値限度が本明細書に明示的に記載されたかのように含むであろう。本明細書を通して明示されたあらゆる数値範囲は、そのようなより広い数値範囲内に含まれるそれより狭いありとあらゆる数値範囲を、そのようなより狭い数値範囲が本明細書に明示的に記載されたかのように含むであろう。
【００３３】
当業者であれば、以下の詳細な説明を読むことにより、本開示の特徴及び利点を更に容易に理解するであろう。明確化のため、別個の実施形態の文脈において前後に記載されている本開示の特定の特徴はまた、単一の要素中で組み合わせて提供され得ることを理解すべきである。反対に、簡潔にするために単一の実施形態の文脈において記載されている本開示の様々な特徴はまた、別個に又は任意の部分的組み合わせで提供され得る。更に、文脈に具体的に別の記載がない限り、単数形についての言及は、複数も含み得る（例えば、「１つの（ａ）」及び「１つの（ａｎ）」は、１つ以上を意味し得る）。
【００３４】
本願に明記した様々な範囲での数値の使用は、特に明示的に指示しない限り、規定範囲内の最小値と最大値のどちらにも用語「約」が先行するかのように近似値として記載されている。この方法で、規定範囲の上下のわずかな変動を使用しても、この範囲内の数値と実質的に同一の結果を達成することができる。また、これらの範囲の開示は、最小値と最大値との間のありとあらゆる数値を含む連続範囲であることが意図されている。
【００３５】
本明細書で使用する場合、
用語「重量パーセント」、「重量パーセンテージ（ｗｔ％）」、「重量−重量パーセンテージ（ｗ／ｗ％）」などは、本明細書では同じ意味で用いられる。重量パーセントは、それが組成物中、混合物中又は溶液中に含まれるかのように質量に基づく物質のパーセンテージを指す。
【００３６】
語句「水不溶性」は、物質、例えばα−（１，３−グルカン）ポリマーが２３℃で水１００ｍＬ中に５ｇ未満しか溶解しないことを意味する。他の実施形態において、水不溶性は、物質が２３℃で水に４ｇ未満、又は３ｇ未満、又は２ｇ未満、又は１ｇ未満しか溶解しないことを意味する。
【００３７】
用語「水溶性」は、糖又は糖誘導体が、２５℃のｐＨ７の水中において１重量％以上で可溶性であることを意味する。重量パーセンテージは、水溶性の多糖の総重量に基づいており、例えば、１００グラムの水中に１グラムの多糖である。
【００３８】
水分散性は、２５℃のｐＨ７の水中において、１重量％以上で、溶液全体にわたって限定された粒子、又は小滴が分布する能力を有する化合物として定義される。重量パーセントは、水中の化合物、例えば１００グラムの水中の１グラムの多糖又は多糖誘導体の総重量に基づく。
【００３９】
本明細書で使用する場合、「重量平均分子量」又は「Ｍｗ」は、
Ｍｗ＝ΣＮｉＭｉ２／ΣＮｉＭｉ［式中、Ｍｉは鎖の分子量であり、Ｎｉはその分子量の鎖の数である］として計算される。重量平均分子量は、静的光散乱、ガスクロマトグラフィ（ＧＣ）、高圧液体クロマトグラフィー（ＨＰＬＣ）、ゲル透過クロマトグラフィー（ＧＰＣ）、小角中性子散乱、Ｘ線散乱、及び沈降速度などの技術によって決定され得る。
【００４０】
本明細書で使用する場合、「数平均分子量」又は「Ｍｎ」は、試料中の全ポリマー鎖の統計的平均分子量に関する。数平均分子量は、Ｍｎ＝ΣＮｉＭｉ／ΣＮｉ［式中、Ｍｉは鎖の分子量であり、Ｎｉはその分子量の鎖の数である］として計算される。ポリマーの数平均分子量は、例えばゲル透過クロマトグラフィー、（Ｍａｒｋ−Ｈｏｕｗｉｎｋの式）による粘度測定法及び例えば蒸気圧オスモメトリー法、末端基定量法又はプロトンＮＭＲ法などの束一的方法などの技術によって決定され得る。
【００４１】
用語「疎水性の」は、非極性であり、水に対してほとんど又は全く親和性を有さず、水をはじく傾向がある分子又は置換基を指す。
【００４２】
用語「親水性の」は、極性であり、極性溶媒、特に水、又は他の極性基と相互作用する親和性を有する分子又は置換基を指す。親水性分子又は置換基は水を引き付ける傾向がある。
【００４３】
用語「両親媒性」は、疎水基及び親水基の両方を含有することを意味する。
【００４４】
本明細書でいうグルコースの炭素の位置１、２、３、４、５、及び６は、当該技術分野で公知であり、構造Ｉ中に示される通りである：
【化１】
2020041150.tif 000002
【００４５】
用語「グリコシド結合（ｇｌｙｃｏｓｉｄｉｃ  ｌｉｎｋａｇｅ）」、及び「グリコシド結合（ｇｌｙｃｏｓｉｄｉｃ  ｂｏｎｄ）」は、本明細書では同じ意味で用いられ、炭水化物（糖）分子をまた別の炭水化物などの別の基に結合するタイプの共有結合を指す。本明細書で使用する場合、用語「α−１，６−グルコシド結合」は、α−Ｄ−グルコース分子を、隣接するα−Ｄ−グルコース環上の炭素１及び６を介して相互に結合するタイプの共有結合を指す。本明細書で使用する場合、用語「α−１，３−グルコシド結合」は、
α−Ｄ−グルコース分子を、隣接するα−Ｄ−グルコース環上の炭素１及び３を介して相互に結合するタイプの共有結合を指す。本明細書で使用する場合、用語「α−１，２−グルコシド結合」は、α−Ｄ−グルコース分子を、隣接するα−Ｄ−グルコース環上の炭素１及び２を介して相互に結合するタイプの共有結合を指す。本明細書で使用する場合、用語「α−１，４−グルコシド結合」は、α−Ｄ−グルコース分子を、隣接するα−Ｄ−グルコース環上の炭素１及び４を介して相互に結合するタイプの共有結合を指す。本明細書では、「α−Ｄ−グルコース」は、「グルコース」と呼ぶであろう。
【００４６】
グルカン、デキストラン、置換されたグルカン、又は置換されたデキストランのグリコシド結合プロファイルは、当該技術分野において公知の任意の方法を使用して決定することができる。例えば、結合プロファイルは、核磁気共鳴（ＮＭＲ）分光法（例えば、１３Ｃ  ＮＭＲ又は１Ｈ  ＮＭＲ）を使用する方法を用いて決定することができる。使用することができるこれらの方法及び他の方法は、Ｆｏｏｄ  Ｃａｒｂｏｈｙｄｒａｔｅｓ：Ｃｈｅｍｉｓｔｒｙ，Ｐｈｙｓｉｃａｌ  Ｐｒｏｐｅｒｔｉｅｓ，ａｎｄ  Ａｐｐｌｉｃａｔｉｏｎｓ（Ｓ．Ｗ．Ｃｕｉ．Ｅｄ，Ｃｈａｐｔｅｒ  ３，Ｓ．Ｗ．Ｃｕｉ，Ｓｔｒｕｃｔｕｒａｌ  Ａｎａｌｙｓｉｓ  ｏｆ  Ｐｏｌｙｓａｃｃｈａｒｉｄｅｓ，Ｔａｙｌｏｒ＆Ｆｒａｎｃｉｓ  Ｇｒｏｕｐ  ＬＬＣ，Ｂｏｃａ  Ｒａｔｏｎ，ＦＬ，２００５）に開示されており、これは参照により本明細書に組み込まれる。
【００４７】
本明細書で使用する場合、用語「ポリグルカン（ｐｏｌｙ  ｇｌｕｃａｎ）」は、ポリα−１，３−グルカン、ポリα−１，６−グルカン、及び／又はポリα−１，３−１，６−グルカンを指す。複数形の「ポリグルカン（ｐｏｌｙ  ｇｌｕｃａｎｓ）」は、３つ全ての多糖類を指す。
【００４８】
本明細書で使用する場合、用語「アルキル基」は、不飽和を含有しない直鎖、分枝鎖、又は環状（「シクロアルキル」）の炭化水素基を指す。本明細書で使用する場合、用語「アルキル基」は、置換アルキル、例えば、少なくとも１つのヒドロキシアルキル基又はジヒドロキシアルキル基で置換されているアルキル基、並びに炭化水素鎖内に酸素、硫黄、及び／又は窒素などの１個以上のヘテロ原子を含有するアルキル基を包含する。
【００４９】
本明細書で使用する場合、用語「アルケン」は、少なくとも１個の炭素−炭素二重結合を含有する、直鎖、分枝鎖、又は環状の炭化水素基を指す。本明細書で使用する場合、用語「アルケン」は、置換アルケン基、例えば、少なくとも１つのアルキル基、ヒドロキシアルキル基、又はジヒドロキシアルキル基で置換されているアルケン、並びに炭化水素鎖内に酸素、硫黄、及び／又は窒素などの１個以上のヘテロ原子を含有するアルケンを包含する。
【００５０】
本明細書で使用する場合、用語「アルキン」は、少なくとも１個の炭素−炭素三重結合を含有する、直鎖及び分枝鎖の炭化水素基を指す。本明細書で使用する場合、用語「アルキン」は、置換アルキン基、例えば、少なくとも１つのアルキル基、ヒドロキシアルキル基、又はジヒドロキシ基で置換されているアルキン、並びに炭化水素鎖内に酸素、硫黄、及び／又は窒素などの１個以上のヘテロ原子を含有するアルキンを包含する。
【００５１】
本明細書で使用する場合、用語「アリール」は、単環（例えば、フェニル）、多環（例えば、ビフェニル）、又は少なくとも１つが芳香族である多縮合環（例えば、１，２，３，４−テトラヒドロナフチル、ナフチル、アントリル、又はフェナントリル）を有する芳香族炭素環基を意味し、これは任意選択的に、アルキル基で一置換、二置換、又は三置換されている。アリールとはまた、ヘテロアリール基を意味し、ここで、ヘテロアリールは、窒素、酸素及び硫黄からなる群から選択される少なくとも１個のヘテロ原子を有する５、６、又は７員芳香環系として定義される。ヘテロアリール基の例としては、ピリジル、
ピリミジニル、ピロリル、ピラゾリル、ピラジニル、ピリダジニル、オキサゾリル、フラニル、キノリニル、イソキノリニル、チアゾリル、及びチエニルが挙げられ、これは、任意選択的にアルキル基で置換されていてもよい。
【００５２】
本明細書で使用する場合、用語「モル置換」（Ｍ．Ｓ．）は、多糖又はその誘導体の１モノマー単位当たりの有機基のモル数を指す。例えば、ポリα−１，３−グルカン誘導体のモル置換値は、非常に高い上限、例えば数百、又は更には数千あり得ることに注意する。例えば、有機基が、ヒドロキシル含有アルキル基である場合、ポリα−１，３−グルカンのヒドロキシル基の１つにエチレンオキシドが付加することによって、次いでエチレンオキシドからのそのように形成されたヒドロキシル基を更にエーテル化してポリエーテルを形成することができる。
【００５３】
本開示は、多糖誘導体を含む組成物であって、多糖誘導体が、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである、組成物に関する。
【００５４】
本明細書にて開示された多糖誘導体は、両親媒性多糖誘導体、すなわち、疎水基及び親水基の両方を含有する多糖と称される。両親媒性多糖誘導体は、界面での吸着特性が向上しているために重要であり、表面張力の低下を招き得る。これらの特性は、洗濯、洗浄、食品、化粧品、工業、フィルム、紙の製造など、幅広い用途に有益である。洗濯用途に関して、両親媒性多糖誘導体は、疎水基は疎水性基材表面に吸着し、親水基は汚れをはじく、汚れ放出剤として機能し得る。両親媒性多糖誘導体はまた、フィルム及び紙の表面コーティングとして機能し、疎水性基材への良好な接着を可能にし、親水性表面を提供し得る。両親媒性多糖誘導体は、油が水に分散している場合、水及び油滴の界面でそれ自身で配向し得る。水中油型分散体に関して、両親媒性多糖誘導体の疎水基は油相に溶解しているが、一方で親水基は水相に溶解している。それによって両親媒性多糖誘導体は、油滴の周りにフィルムを形成し、エマルションを安定化させる。このように、両親媒性多糖誘導体は、これらの界面活性に応じて、洗浄、食品、及び化粧品の用途において、乳化安定剤及び／又は発泡剤として使用され得る。典型的には、このような用途における使用に関して、両親媒性多糖誘導体は、水溶性又は水分散性である。
【００５５】
一実施形態において、多糖誘導体は、多糖主鎖に沿ってランダムに置換された疎水基及び親水基を有する多糖を含むので、多糖主鎖は、非置換及び置換α−Ｄ−グルコース環を含む。本明細書で使用する場合、用語「ランダムに置換された」は、ランダムに置換された多糖中のグルコース環上の置換基が、非繰り返し、又はランダムな様式で生じることを意味する。すなわち、置換されたグルコース環上の置換基［すなわち、多糖中のグルコース環中の異なる原子上の置換基（これは、同一でも異なっていてもよい）］は、多糖中の第２の置換されたグルコース環上の置換基と同一でも異なっていてもよいので、ポリマー上の全体的な置換はパターンを持たない。更に、置換されたグルコース環は、多糖内にランダムに生じる（すなわち、多糖内に置換及び非置換グルコース環を有するパターンはない）。
【００５６】
一実施形態において、多糖誘導体は、ａ）少なくとも１つの疎水基、及びｂ）少なくとも１つの親水基で置換されている多糖を含み、多糖はポリα−１，３−グルカンである。別の実施形態において、多糖誘導体は、ａ）少なくとも１つの疎水基、及びｂ）少なくとも１つの親水基で置換されている多糖を含み、多糖はポリα−１，６−グルカンである。更なる実施形態において、多糖誘導体は、ａ）少なくとも１つの疎水基、及びｂ）少なく
とも１つの親水基で置換されている多糖を含み、多糖はポリα−１，３−１，６−グルカンである。両親媒性多糖誘導体の混合物もまた、使用することができる。
【００５７】
置換された多糖誘導体はまた、上記の本明細書にて開示された多糖の混合物を含み得る。
【００５８】
多糖誘導体は、１つ以上の位置で、ａ）少なくとも１つの疎水基、及びｂ）少なくとも１つの親水基で置換されているポリα−１，３−グルカン、ポリα−１，６−グルカン、又はポリα−１，３−１，６−グルカンを含む。好適な疎水基としては、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）又はこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、及びこれらの組み合わせが挙げられる。好適な親水基としては、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、及びこれらの組み合わせが挙げられる。
【００５９】
少なくとも１つの疎水基、及び少なくとも１つの親水基は、各々独立して、特定の多糖に適切なように、グルコースモノマーの２、３、４、及び／又は６のヒドロキシル位置で多糖を誘導体化することができる。疎水基及び親水基は、独立して、アルキレン、エステル（ＣＯＯ−、−ＯＯＣ）、アミド（−ＣＯＮＨ−）、カルバメート（−ＮＨＣＯ−）、エーテル（−Ｏ−）、チオエーテル（−Ｓ−）、スルホネート（−ＯＳＯ２−）、サルフェート（−ＯＳＯ２Ｏ−）、チオサルフェート（−ＳＳ（Ｏ２）Ｏ）、カーボネート（−ＯＣＯＯ−）、ウレタン（−ＮＨＣＯＯ−、−ＯＯＣＮＨ）、ウレア（−ＮＨＣＯＮＨ−）、アミン（−ＮＨ−）、ホスフェート（−ＯＰＯ２（ＯＲ）、又はホスホネート（−ＰＯ２（ＯＲ）−などの化学結合を介して多糖に結合している。
【００６０】
以下の構造ＩＩ及び構造ＩＩＩは、ポリα−１，３−グルカングルコース繰り返し単位、及びポリα−１，６−グルカングルコース繰り返し単位の誘導体化を表す２つの一般化された実施形態をそれぞれ示しており、グルコース単位が誘導体化され得る位置及びグルカンポリマーと構造中に示される置換基Ｒとの間の化学結合（Ｚとして示される）をより明確に示す。誘導体化された多糖中に存在する疎水基（式中、Ｒ＝Ｒ’）及び親水基（式中、Ｒ＝Ｒ”）の数は、誘導体化多糖の置換度に反映され：非置換位置では、Ｚ−Ｒ部分はヒドロキシル基であろう。
【化２】
2020041150.tif 000003
ポリ−１，３−グルカン内のグルコース単位の誘導体化
【化３】
2020041150.tif 000004
ポリ−１，６−グルカン内のグルコース単位の誘導体化
【００６１】
疎水基が、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）又はこれらの組み合わせの繰り返し単位を含むポリエーテル基［ここで、繰り返し単位の総数は、３〜１００の範囲である］、Ｃ６〜Ｃ２０アリール基、又はベンジル基（アリール−ＣＨ２−）である場合、疎水基は、エーテル結合を介してグルカンポリマーに化学的に結合している。疎水基が、ｐ−トルエンスルホニル基（ＣＨ３−Ｃ６Ｈ４−ＳＯ２−）である場合、疎水基は、ポリα−１，３−グルカン内のグルコース単位について下記の構造ＩＶに示すように結合しており、ここでｐ−トルエンスルホニル基は６の位置に示されている：
【化４】
2020041150.tif 000005
【００６２】
ポリα−１，３−グルカンが酸化されて、グルコース環の６の位置にカルボン酸部分（−ＣＯＯ−）を含む親水基を含有する場合、カルボン酸基（又は塩）は、下記の構造Ｖに一般的に示されているように、炭素−炭素結合を介してグルカンに結合する：
【化５】
2020041150.tif 000006
【００６３】
構造ＶＩは、グルコース環の２の位置に疎水性ベンジル基を、及び６の位置に親水性アルキルスルホネート基（アニオンとして示す）を有するポリα−１，３−グルカングルコース繰り返し単位の誘導体化を表す一般化された実施形態である：
【化６】
2020041150.tif 000007
【００６４】
多糖誘導体は、約０．００１〜約３．０の置換度を有する。本明細書で使用する場合、用語「置換度」ＤｏＳは、多糖誘導体の各モノマー単位（グルコース）中で置換されたヒドロキシル基の平均数を指す。グルカンポリマー中のグルコースモノマー単位中にはヒドロキシル基が最大で３つであるので、全体の置換度は３以下であり得る。他の実施形態において、置換度は、０．０２〜２．５、又は０．０２〜２．０、又は０．２〜２、又は０．２〜１の範囲であり得る。あるいは、ＤｏＳは、約０．００１、０．００５、０．０１、０．０２、０．０３、０．０４、０．０５、０．０６、０．０７、０．０８、０．０９、０．１、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０、又は任意の０．００１〜３の間の値であり得る。本明細書に開示されるような多糖誘導体は、約０．００１〜約３．０の間の置換度を有するので、多糖上の置換基は水素のみであることはできないということが当業者によって理解されるであろう。本明細書にて開示された両親媒性多糖誘導体の置換度は、少なくとも１つの疎水基に関して、少なくとも１
つの親水基に関して、又は総置換度、すなわち疎水基と親水基のＤｏＳの合計に関して言及され得る。本明細書で使用する場合、置換度が疎水基又は親水基に関して述べられていない場合は、全体的な置換度が意味される。多糖誘導体は、少なくとも１つの疎水基、及び少なくとも１つの親水基で置換されている多糖を含むので、疎水基単独に関する、又は親水基単独に関するＤｏＳは、必然的に３未満である。
【００６５】
一実施形態において、疎水基に関する多糖誘導体のＤｏＳは、約０．０２〜約１．５、又は例えば約０．１〜１の範囲であり得、親水基に関する多糖誘導体のＤｏＳは、約０．１〜約２．５、又は例えば約０．２〜約１．５の範囲であり得るが、ただし、多糖誘導体の全体のＤｏＳは３以下であることを条件とする。
【００６６】
多糖誘導体は、約５〜約１４００の範囲、例えば、約５〜約１００、又は約５〜約５００、又は約５〜約１０００、又は約５〜約１１００、又は約５〜約１２００、又は約５〜約１３００、又は約５〜約１４００の範囲の重合度を有する。
【００６７】
多糖誘導体の構造、分子量、及び置換度は、例えばＮＭＲ分光法及びサイズ排除クロマトグラフィー（ＳＥＣ）などの当該技術分野において公知の様々な物理化学的分析法を使用して確証され得る。
【００６８】
多糖又は多糖誘導体の「分子量」は、数平均分子量（Ｍｎ）、又は重量平均分子量（Ｍｗ）で表され得る。あるいは、分子量は、ダルトン、グラム／モル、ＤＰｗ（重量平均重合度）、又はＤＰｎ（数平均重合度）で表され得る。これらの分子量測定値を計算するために、高圧液体クロマトグラフィー（ＨＰＬＣ）、サイズ排除クロマトグラフィー（ＳＥＣ）、又はゲル透過クロマトグラフィー（ＧＰＣ）などの様々な手段が当該技術分野において公知である。
【００６９】
用語「ポリα−１，３−グルカン」、「α−１，３−グルカンポリマー」、及び「グルカンポリマー」は、本明細書では同じ意味で用いられる。ポリα−１，３−グルカンは、グリコシド結合によって互いに結合しているグルコースモノマー単位を含むポリマーを意味し、ここでグリコシド結合の少なくとも約５０％は、α−１，３−グリコシド結合である。ポリα−１，３−グルカンは、多糖の一種である。ポリα−１，３−グルカンのα−１，３−グリコシド結合は、以下の構造ＶＩＩで示され得る：
【化７】
2020041150.tif 000008
【００７０】
ポリα−１，３−グルカンは、化学的な方法を使用して調製可能である。あるいは、ポリα−１，３−グルカンを産生する真菌などの様々な生物からそれを抽出することによって調製することができる。あるいは、ポリα−１，３−グルカンは、例えば、米国特許第７，０００，０００号明細書；同第８，６４２，７５７号明細書；及び同第９，０８０，
１９５号明細書（その全体が参考により本明細書に組み込まれる）においてなど、１種以上のグルコシルトランスフェラーゼ（ｇｔｆ）酵素（例えば、ｇｔｆＪ）を用いて、糖から酵素的に製造することができる。そこに与えられている手順を使用して、触媒として組み換えグルコシルトランスフェラーゼ酵素、例えばｇｔｆＪ酵素、及び基質としてスクロースを使用して一段階酵素反応でポリマーを直接製造する。ポリα−１，３−グルカンは、副生成物としてのフルクトースともに製造される。反応の進行に伴って、ポリα−１，３−グルカンは、溶液から沈殿する。ｇｔｆＪ酵素を使用して製造されると、ポリα−１，３−グルカンは、４〜５００の範囲の数平均重合度（ＤＰｎ）を有し得る。他の実施形態において、ＤＰｎは、３０〜５００、又は４０〜５００、又は５０〜４００の範囲であり得る。いくつかの実施形態において、ポリα−１，３−グルカンは、約１０〜約４００、１０〜約３００、１０〜約２００、１０〜約１００、１０〜約５０、４００〜約１４００、又は約４００〜約１０００、又は約５００〜約９００のＤＰｗを有する。
【００７１】
いくつかの実施形態において、α−１，３であるポリα−１，３−グルカンのグルコースモノマー単位間のグリコシド結合のパーセンテージは、５０％、６０％、７０％、８０％、９０％、９５％、９６％、９７％、９８％、９９％、又は１００％（又は５０％〜１００％の間の任意の整数値）以上である。したがって、このような実施形態において、ポリα−１，３−グルカンは、５０％、４０％、３０％、２０％、１０％、５％、４％、３％、２％、１％、又は０％（又は０％〜５０％の間の任意の整数値）以下のα−１，３ではないグリコシド結合を有する。ポリα−１，３−グルカンは、１，２−、１，４−及び／又は１，６−の位置で結合しているグルコースモノマーを比較的低いパーセンテージで有し得る。いくつかの実施形態において、ポリα−１，３−グルカンは、９３〜９７％以上のα−１，３−グリコシド結合、及び３％未満のα−１，６−グリコシド結合を含む。他の実施形態において、ポリα−１，３−グルカンは、９５％以上のα−１，３−グリコシド結合、及び約１％のα−１，６−グリコシド結合を含む。更なる実施形態において、ポリα−１，３−グルカンは、１〜３％以下のα−１，３，６−グリコシド結合を含む。
【００７２】
いくつかの実施形態における不溶性のポリα−１，３−グルカンは、（ｉ）少なくとも約１０００００ダルトンの分子量を有する、（例えば、少なくとも約９５％、９６％、９７％、９８％、９９％、又は１００％のα−１，６結合を有する）デキストランを含む主鎖と、（ｉｉ）少なくとも約９５％、９６％、９７％、９８％、９９％、又は１００％のα−１，３−グルコシド結合を含むα−１，３−グルカン側鎖と、を有する、コポリマー（例えば、グラフトコポリマー）の形態であり得る。このようなコポリマーは、国際公開第２０１７／０７９５９５号パンフレット（参照により本明細書に組み込まれる）に開示されるとおりであり得る。
【００７３】
用語「ポリα−１，６−グルカン」、及び「デキストラン」は、本明細書では同じ意味で用いられる。デキストランは、一般に、α−１，３−結合によって直鎖に結合した周期的側鎖（分枝鎖）を有する、α−１，６−結合したグルコースモノマーの鎖を含む複雑な分枝鎖α−グルカンのファミリーを表す（Ｉｏａｎ  ｅｔ  ａｌ．，Ｍａｃｒｏｍｏｌｅｃｕｌｅｓ  ３３：５７３０−５７３９）。デキストランの製造は、典型的には、バクテリア（例えば、ロイコノストック（Ｌｅｕｃｏｎｏｓｔｏｃ）、又はストレプトコッカス（Ｓｔｒｅｐｔｏｃｏｃｃｕｓ）種）とともにスクロースを発酵を通して行われ、ここでスクロースは、デキストラン重合のためのグルコース源として役立つ（Ｎａｅｓｓｅｎｓ
ｅｔ  ａｌ．，Ｊ．Ｃｈｅｍ．Ｔｅｃｈｎｏｌ．Ｂｉｏｔｅｃｈｎｏｌ．８０：８４５−８６０；Ｓａｒｗａｔ  ｅｔ  ａｌ．，Ｉｎｔ．Ｊ．Ｂｉｏｌ．Ｓｃｉ．４：３７９−３８６；Ｏｎｉｌｕｄｅ  ｅｔ  ａｌ．，Ｉｎｔ．Ｆｏｏｄ  Ｒｅｓ．Ｊ．２０：１６４５−１６５１）。ポリα−１，６−グルカンは、（限定されるわけではないが）国際公開第２０１５／１８３７１４号パンフレット、及び同第２０１７／０９１５３３号パンフレット（どちらも参照により本明細書に組み込まれる）に記載されているようなＧＴＦ１７
２９、ＧＴＦ１４２８、ＧＴＦ５６０４、ＧＴＦ６８３１、ＧＴＦ８８４５、ＧＴＦ００８８、及びＧＴＦ８１１７などのグルコシルトランスフェラーゼを使用して調製可能である。
【００７４】
ポリα−１，６−グルカンは、４〜１４００の範囲の数平均重合度（ＤＰｎ）を有し得る。他の実施形態において、ＤＰｎは、４〜１００、又は４〜５００、又は４０〜５００、又は５０〜４００の範囲であり得る。いくつかの実施形態において、ポリα−１，６−グルカンは、約１０〜約４００、１０〜約３００、１０〜約２００、１０〜約１００、１０〜約５０、４００〜約１４００、又は約４００〜約１０００、又は約５００〜約９００のＤＰｗを有する。
【００７５】
いくつかの実施形態において、ポリα−１，６−グルカンは、グルコースモノマー単位の４０％以上が、α−１，６−グリコシド結合を介して結合しているグルコースモノマー単位、例えば、４０％、４５％、５０％、５５％、６０％、６５％、７０％、７５％、８０％、又は９０％以上のグルコースモノマー単位の主鎖を含む。
【００７６】
本明細書のデキストラン「長鎖」は、「実質的に［又は大部分が］α−１，６−グリコシド結合」を含み得るが、これはいくつかの態様ではそれらが少なくとも約９８．０％のα−１，６−グリコシド結合を有し得ることを意味する。本明細書のデキストランは、いくつかの態様では、「分枝鎖構造（ｂｒａｎｃｈｉｎｇ  ｓｔｒｕｃｔｕｒｅ）」（分枝状構造（ｂｒａｎｃｈｅｄ  ｓｔｒｕｃｔｕｒｅ））を含み得る。この構造における長鎖は、おそらく反復方法で、他の長鎖から分枝する（例えば、長鎖は他の長鎖からの分枝鎖であってよく、これは順にその分枝鎖自体が他の長鎖からの分枝鎖であってよく、と続く）と考えられる。この構造における長鎖は、分枝鎖構造内の全長鎖の少なくとも７０％の長さ（ＤＰ［重合度］）が分枝鎖構造の全長鎖の平均長の±３０％内であることを意味する「長さが類似」であり得ると考えられる。
【００７７】
いくつかの実施形態におけるデキストランはまた、典型的には、長さが１〜３個のグルコースモノマーであり、典型的には、デキストランポリマーの全グルコースモノマーの約１０％未満を含む、長鎖から分枝している「短鎖」を含み得る。このような短鎖は、典型的には、α−１，２−、α−１，３−、及び／又はα−１，４−グルコシド結合を含む（いくつかの態様では、長鎖内に少ないパーセンテージのこのような非α−１，６結合もまた存在し得ると理解されている）。特定の実施形態において、分枝鎖を有するポリα−１，６−グルカンは、国際公開第２０１５／１８３７１４号パンフレット、及び同第２０１７／０９１５３３号パンフレットの手順に従って酵素的に製造され、例えば「ｇｔｆＪ１８Ｔ１」又は「ＧＴＦ９９０５」などのα−１，２−分枝鎖酵素をデキストランポリマー（多糖）の製造中又は製造後に添加することができる。他の実施形態において、α−１，２−分枝鎖を製造することが知られている任意の他の酵素が添加され得る。このような実施形態におけるポリα−１，６−グルカンの分枝度は、５０％、４０％、３０％、２０％、１０％、５％、４％、３％、２％、１％、又は０％以下（又は０％〜５０％の任意の整数値）の短い分枝鎖、例えば、α−１，２−分枝鎖を有する。一実施形態において、ポリα−１，６−グルカンは、５０％未満のα−１，２−分枝度を有する。一実施形態において、ポリα−１，６−グルカンは、主に直鎖である。
【００７８】
一実施形態において、多糖は、ポリα−１，３−１，６−グルカンである。ポリα−１，３−１，６−グルカンは、米国特許出願公開第２０１５／０２３２７８５（Ａ１）号明細書に開示されるような、グルコシルトランスフェラーゼ酵素の生成物である。いくつかの実施形態において、不溶性のα−グルカンは、少なくとも約３０％のα−１，３結合、並びにα−グルカン中のα−１，３及びα−１，６結合の両方の合計を１００％にするパーセンテージのα−１，６結合を含む。例えば、α−１，３及びα−１，６結合のパーセ
ンテージは、それぞれ、約３０〜４０％、及び６０〜７０％であり得る。いくつかの態様において、少なくとも約３０％のα−１，３結合を含む不溶性のα−グルカンは、直鎖である。少なくとも約３０％のα−１，３結合を含む不溶性のα−グルカンを製造するためのグルコシルトランスフェラーゼは、米国特許出願公開第２０１５／０２３２８１９号明細書（参照により本明細書に組み込まれる）に開示されている。
【００７９】
一実施形態において、多糖は、ポリα−１，３−１，６−グルカンを含み、ここで（ｉ）ポリα−１，３−１，６−グルカンの少なくとも３０％のグリコシド結合は、α−１，３結合であり、（ｉｉ）ポリα−１，３−１，６−グルカンの少なくとも３０％のグリコシド結合は、α−１，６結合であり、（ｉｉｉ）ポリα−１，３−１，６−グルカンは、少なくとも１０の重量平均重合度（ＤＰｗ）を有し、（ｉｖ）ポリα−１，３−１，６−グルカンのα−１，３結合及びα−１，６結合は、連続してお互い交互になっていない。別の実施形態において、ポリα−１，３−１，６−グルカンのグリコシド結合の少なくとも６０％は、α−１，６結合である。
【００８０】
ポリα−１，３−１，６−グルカンのグリコシド結合の少なくとも３０％は、α−１，３結合であり、ポリα−１，３−１，６−グルカンのグリコシド結合の少なくとも３０％は、α−１，６結合である。あるいは、本明細書のポリα−１，３−１，６−グルカン中のα−１，３結合のパーセンテージは、少なくとも３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、又は６４％であり得る。あるいは、更に、本明細書のポリα−１，３−１，６−グルカン中のα−１，６結合のパーセンテージは、少なくとも３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％又は６９％であり得る。
【００８１】
ポリα−１，３−１，６−グルカンは、パーセンテージの合計が１００％を超えない限り、α−１，３結合の前述のパーセンテージのいずれか１つと、α−１，６結合の前述のパーセンテージのいずれか１つとを有することができる。例えば、本明細書のポリα−１，３−１，６−グルカンは、パーセンテージの合計が１００％を超えない限り、（ｉ）３０％、３１％、３２％、３３％、３４％、３５％、３６％、３７％、３８％、３９％又は４０％（３０％〜４０％）のいずれか１つのα−１，３結合と、（ｉｉ）６０％、６１％、６２％、６３％、６４％、６５％、６６％、６７％、６８％又は６９％（６０％〜６９％）のいずれか１つのα−１，６結合と、を有し得る。非限定的な例としては、３１％のα−１，３結合と６７％のα−１，６結合とを有するポリα−１，３−１，６−グルカンが挙げられる。特定の実施形態において、ポリα−１，３−１，６−グルカンのグリコシド結合の少なくとも６０％は、α−１，６結合である。
【００８２】
ポリα−１，３−１，６−グルカンは、例えば、１０％、９％、８％、７％、６％、５％、４％、３％、２％、又は１％未満のα−１，３及びα−１，６以外のグリコシド結合を有し得る。別の実施形態において、ポリα−１，３−１，６−グルカンは、α−１，３結合及びα−１，６結合のみを有する。
【００８３】
本明細書に開示のポリα−１，３−１，６−グルカンの主鎖は、直鎖／非分枝鎖であり得る。あるいは、ポリα−１，３−１，６−グルカンに分枝鎖が存在してもよい。そのため、特定の実施形態におけるポリα−１，３−１，６−グルカンは、分枝点を有さないか、又は約３０％、２９％、２８％、２７％、２６％、２５％、２４％、２３％、２２％、
２１％、２０％、１９％、１８％、１７％、１６％、１５％、１４％、１３％、１２％、１１％、１０％、９％、８％、７％、６％、５％、４％、３％、２％、若しくは１％未満の分枝点をポリマー中のグリコシド結合のパーセントとして有し得る。
【００８４】
ポリα−１，３−１，６−グルカンのα−１，３結合及びα−１，６結合は、連続してお互い交互になっていない。以下の議論に関して、．．．Ｇ−１，３−Ｇ−１，６−Ｇ−１，３−Ｇ−１，６−Ｇ−１，３−Ｇ−．．．（ここで、Ｇはグルコースを表す）は、α−１，３結合及びα−１，６結合が連続的に交互になって結合している６つのグルコースモノマー単位の延伸を表すことを考慮されたい。本明細書の特定の実施形態におけるポリα−１，３−１，６−グルカンは、２、３、４、５、６、７、８、９、１０、又はそれ以上のα−１，３結合及びα−１，６結合の交互の結合で連続的に結合しているグルコースモノマー単位を含む。
【００８５】
ポリα−１，３−１，６−グルカンの分子量は、ＤＰｗ（重量平均重合度）、又はＤＰｎ（数平均重合度）として測定され得る。あるいは、分子量は、ダルトン又はグラム／モルで測定され得る。ポリα−１，３−１，６−グルカンの数平均分子量（Ｍｎ）又は重量平均分子量（Ｍｗ）を参照することもまた、有用であり得る。
【００８６】
本明細書のポリα−１，３−１，６−グルカンは、例えば、少なくとも約１６００、３０００、４０００、５０００、８０００、１００００、１５０００、２００００、２５０００、３００００、３５０００、４００００、５００００、１０００００、２０００００、３０００００、４０００００、５０００００、６０００００、７０００００、８０００００、９０００００、１００００００、１１０００００、１２０００００、１３０００００、１４０００００、１５０００００、又は１６０００００（又は５００００〜１６０００００の間の任意の整数）のＭｗを有し得る。特定の実施形態におけるＭｗは、少なくとも約１００００００である。あるいは、ポリα−１，３−１，６−グルカンは、例えば、少なくとも約１６００、３０００、４０００、５０００、１００００、２００００、３００００、又は４００００のＭｗを有し得る。
【００８７】
本明細書のポリα−１，３−１，６−グルカンは、例えば、少なくとも１０個のグルコースモノマー単位を含み得る。あるいは、グルコースモノマー単位の数は、例えば、少なくとも１０、２５、５０、１００、５００、１０００、２０００、３０００、４０００、５０００、６０００、７０００、８０００、又は９０００（又は１０〜９０００の間の任意の整数）であり得る。
【００８８】
多糖誘導体は、１つ以上の位置で、ａ）少なくとも１つの疎水基、及びｂ）少なくとも１つの親水基で置換されているポリα−１，３−グルカン、ポリα−１，６−グルカン、又はポリα−１，３−１，６−グルカンを含む。好適な疎水基としては、直鎖又は分枝鎖Ｃ１〜Ｃ１８アルキル基、直鎖又は分枝鎖Ｃ２〜Ｃ１８アルケン基、直鎖又は分枝鎖Ｃ２〜Ｃ１８アルキン基、（−ＣＨ２ＣＨ２Ｏ−）、（−ＣＨ２ＣＨ（ＣＨ３）Ｏ−）又はこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、又はｐ−トルエンスルホニル基が挙げられる。
【００８９】
本明細書で使用する場合、用語「アルキル基」は、不飽和を含有しない直鎖、分枝鎖、又は環状（「シクロアルキル」）の炭化水素基を指す。アルキル基は、例えば、別のアルキル基、又は少なくとも１つのヒドロキシアルキル基、若しくはジヒドロキシアルキル基で置換可能である。一実施形態において、疎水基は、Ｃ１〜Ｃ１８アルキル基であり、アルキル基は、例えば、メチル基、エチル基、プロピル基、ブチル基、ペンチル基、ヘキシ
ル基、ヘプチル基、オクチル基、ノニル基、デシル基、ウンデシル基、ドデシル基、トリデカニル基、テトラデカニル基、ペンタデカニル基、ヘキサデカニル基、ヘプタデカニル基、又はオクタデカニル基であり得る。別の実施形態において、アルキル基は、Ｃ４〜Ｃ１８アルキル基である。アルキル基の１個以上の炭素を別のアルキル基で置換して、アルキル基を分枝させることができる。直鎖アルキル基の分枝鎖異性体の例としては、イソプロピル、ｉｓｏ−ブチル、ｔｅｒｔ−ブチル、ｓｅｃ−ブチル、イソペンチル、ネオペンチル、イソヘキシル、ネオヘキシル、２−エチルヘキシル、及びイソオクチルが挙げられる。アルキル基の１個以上の炭素は、少なくとも１つのヒドロキシアルキル基で置換可能である。好適なヒドロキシアルキル基は、ヒドロキシメチル基（−ＣＨ２ＯＨ）、ヒドロキシエチル基（例えば、−ＣＨ２ＣＨ２ＯＨ、−ＣＨ（ＯＨ）ＣＨ３）、ヒドロキシプロピル基（例えば、−ＣＨ２ＣＨ２ＣＨ２ＯＨ、−ＣＨ２ＣＨ（ＯＨ）ＣＨ３、−ＣＨ（ＯＨ）ＣＨ２ＣＨ３）、ヒドロキシブチル基、及びヒドロキシペンチル基である。他の例としては、ジヒドロキシメチル基、ジヒドロキシエチル基、ジヒドロキシプロピル基、ジヒドロキシブチル基、及びジヒドロキシペンチル基などの、ジヒドロキシアルキル基（ジオール）が挙げられる。別の実施形態において、アルキル基は、シクロアルキル基であり、シクロアルキル基は、例えば、シクロペンチル基、シクロヘキシル基、シクロヘプチル基、シクロオクチル基、シクロノニ基、又はシクロデシル基であり得る。一実施形態において、シクロアルキル基は、Ｃ５〜Ｃ１０シクロアルキル基である。
【００９０】
特定の実施形態におけるアルキル基上の置換は、アルキル基の末端炭素原子に結合していてもよく、ここで末端炭素基は、グルカンポリマーの酸素にエーテル結合している炭素原子とは反対側にある。この末端置換の例は、ヒドロキシプロピル基−ＣＨ２ＣＨ２ＣＨ２ＯＨにある。あるいは、置換は、アルキル基の内部炭素上であってもよい。内部置換の例は、ヒドロキシプロピル基−ＣＨ２ＣＨ（ＯＨ）ＣＨ３にある。
【００９１】
任意選択的に、アルキル基は、炭化水素鎖内に酸素、硫黄、及び／又は窒素などの１個以上のヘテロ原子を含有することができる。例としては、アルキルグリセロールアルコキシレート部分（−アルキレン−ＯＣＨ２ＣＨ（ＯＨ）ＣＨ２ＯＨ）、又は２−エチルヘキシルグリシジルエーテルの開環から誘導される部分を含有するアルキル基が挙げられる。
【００９２】
別の実施形態において、疎水基は、Ｃ２〜Ｃ１８アルケン基であり、アルケン基は、直鎖状、分枝状、又は環状であり得る。本明細書で使用する場合、用語「アルケン基」は、少なくとも１個の炭素−炭素二重結合を含有する、炭化水素基を指す。アルケン基の例としては、エテニル基、プロペニル基、ブテニル基、ペンテニル基、ヘキセニル基、シクロヘキシル基、及びアリル基が挙げられる。他の実施形態において、アルケン基の１個以上の炭素は、アルキル基を持った又はヒドロキシアルキル基若しくはジヒドロキシアルキル基を持った置換基を有し得る。このような置換アルキル基の例としては、メチル基、エチル基、及びプロピル基が挙げられる。例えば、Ｒ基は、−ＣＨ（ＣＨ３）ＣＨ２ＣＨ３、又は−ＣＨ２ＣＨ（ＣＨ３）ＣＨ３［式中、両方のプロピル基はメチル置換を有する］であり得る。一実施形態において、アルケン基は、Ｃ４〜Ｃ１８アルケン基である。
【００９３】
任意選択的に、アルケン基は、炭化水素鎖内に酸素、硫黄、及び／又は窒素などの１個以上のヘテロ原子を含有することができ、例えば、アルケン基は、アリルグリシジルエーテルの開環から誘導される部分を含有することができる。
【００９４】
別の実施形態において、疎水基は、Ｃ２〜Ｃ１８アルキン基であり、アルキン基は、例えば、プロピン、ブチン、又はヘキシンであり得る。アルキン基は、直鎖又は分枝鎖であってもよく、例えば、アルキル基、ヒドロキシアルキル基、又はジヒドロキシアルキル基で置換され得る。任意選択的に、アルキン基は、炭化水素鎖内に酸素、硫黄、及び／又は窒素などの１個以上のヘテロ原子を含有することができる。
【００９５】
別の実施形態において、疎水基は、（−ＣＨ２ＣＨ２Ｏ−）、（−ＣＨ２ＣＨ（ＣＨ３）Ｏ−）、又はこれらの組み合わせの繰り返し単位を含むポリエーテルであって、繰り返し単位の総数は、３〜１００の範囲である。一実施形態において、疎水基は、（−ＣＨ２ＣＨ２Ｏ−）４〜１００を含むポリエーテル基である。別の実施形態において、疎水基は、（−ＣＨ２ＣＨ（ＣＨ３）Ｏ−）４〜１００を含むポリエーテル基である。本明細書で使用する場合、値の範囲を指定する下付き文字は、繰り返し単位の可能性のある数を指定するために使用され、例えば、（ＣＨ２ＣＨ２Ｏ）４〜１００は、３〜１００個の範囲の繰り返し単位を含有するポリエーテル基を意味する。
【００９６】
更に別の実施形態において、疎水基はアリール基であり、アリール基は、例えば、フェニル又はビフェニルであってもよく、任意選択的に、メチル基、エチル基、又はプロピル基などのアルキル基で置換されている。一実施形態において、アリール基は、Ｃ６〜Ｃ２０アリール基である。別の実施形態において、アリール基は、メチル置換されたアリール基である。
【００９７】
更に別の実施形態において、疎水基は、ベンジル基である。ベンジル基は、任意選択的に、ハロゲン基、シアノ基、エステル基、アミド基、エーテル基、Ｃ１〜Ｃ６アルキル基、アリール基、Ｃ２〜Ｃ６アルケン基、Ｃ２〜Ｃ６アルキン基、又はこれらの組み合わせのうちの１つ以上で更に置換され得る。
【００９８】
更なる実施形態において、疎水基は、Ｃ１〜Ｃ１８アルキルスルホニル基、又はＣ６〜Ｃ２０アリールスルホニル基であり、任意選択的に、アルキル基で置換されている。アルキルスルホニルの例は、メタンスルホニル基である。Ｃ６〜Ｃ２０アリールスルホニル基の例は、ｐ−トルエンスルホニル基であり、これは、ＣＨ３−アリール−ＳＯ２−として表され得る。誘導体化された多糖上の置換基として、アルキルスルホニル又はアリールスルホニル部分は、硫黄−酸素結合を介して多糖に結合する。Ｃ１〜Ｃ１８アルキルスルホニル基、Ｃ６〜Ｃ２０アリールスルホニル基、及びｐ−トルエンスルホニル基は、イオン性ではない。
【００９９】
多糖誘導体は、少なくとも１つの親水基でもまた置換されているポリα−１，３−グルカン、ポリα−１，６−グルカン、又はポリα−１，３−１，６−グルカンを含む。好適な親水基としては、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、及び四級化イミダゾール塩が挙げられる。これらの親水基は、イオン性である。親水基は、それらが単離されるか又は使用されるｐＨに応じて、固体として又は配合物若しくは水溶液として、中性又はイオン形態で存在し得る。
【０１００】
一実施形態において、親水基は、カルボン酸基である。好適なカルボン酸基の例は、カルボキシ基（−ＣＯ２Ｈ）、カルボキシメチル基（−ＣＨ２ＣＯＯＨ）、カルボキシエチル基（例えば、−ＣＨ２ＣＨ２ＣＯＯＨ、−ＣＨ（ＣＯＯＨ）ＣＨ３）、カルボキシプロピル基（例えば、−ＣＨ２ＣＨ２ＣＨ２ＣＯＯＨ、−ＣＨ２ＣＨ（ＣＯＯＨ）ＣＨ３、−ＣＨ（ＣＯＯＨ）ＣＨ２ＣＨ３）、カルボキシブチル基及びカルボキシペンチル基である。一実施形態において、親水基は、カルボキシメチルである。別の実施形態において、親水基は、カルボキシエチルである。更に別の実施形態において、親水基は、カルボキシプロピルである。カルボン酸部分は、アルキル鎖上の任意の置換部位に存在し得る。
【０１０１】
別の実施形態において、親水基は、カルボン酸塩であり、塩は、本明細書の上記で開示されたカルボン酸基のカルボキシレートアニオン、及び無機カチオン、例えば、Ｌｉ、Ｎ
ａ、Ｋ、Ｒｂ、Ｃｓ、Ｍｇ、Ｃａ、又はＢａのいずれか１つ；有機カチオン、例えば、アンモニウムイオン、アンモニウム（ＮＨ４＋）、テトラアルキルアンモニウムカチオン、又はそれらの組み合わせを含み得る。
【０１０２】
別の実施形態において、親水基は、硫酸誘導体、スルホン酸誘導体、又はチオサルフェート（−ＳＳ（Ｏ２）ＯＨ）である。本明細書で使用する場合、「硫酸誘導体」は、サルフェート（−ＯＳ（Ｏ２）ＯＨ）、及びアルキルサルフェート（−アルキレン−ＯＳ（Ｏ２）ＯＨ）［式中、アルキル基はＣ１〜Ｃ４基であり得る］を包含する。本明細書で使用する場合、「スルホン酸誘導体」は、スルホネート（−Ｓ（Ｏ２）ＯＨ）、及びアルキルスルホネート（−アルキレン−Ｓ（Ｏ２）ＯＨ）［式中、アルキル基はＣ１〜Ｃ４基であり得る］を包含する。アルキルスルホネートの例としては、エチルスルホネート、プロピルスルホネート、及びブチルスルホネートが挙げられる。
【０１０３】
更なる実施形態において、親水基は、スルホン酸誘導体の塩又は硫酸誘導体の塩、例えば、サルフェート塩、アルキルサルフェート塩、スルホネート塩、アルキルスルホネート塩、又はチオサルフェート塩である。塩は、本明細書の上記で開示されたサルフェート基、アルキルスルホネート基、及びチオサルフェート基のアニオン、及び無機カチオン、例えば、Ｌｉ、Ｎａ、Ｋ、Ｒｂ、Ｃｓ、Ｍｇ、Ｃａ、又はＢａのいずれか１つ；有機カチオン、例えば、アンモニウムイオン、アンモニウム（ＮＨ４＋）、テトラアルキルアンモニウムカチオン、又はそれらの組み合わせを含み得る。
【０１０４】
一実施形態において、親水基は、サルフェート、又はサルフェート塩である。別の実施形態において、親水基は、アルキルスルホネート、又はアルキルスルホネート塩である。更に別の実施形態において、親水基は、チオサルフェート、又はチオサルフェート塩である。
【０１０５】
別の実施形態において、親水基は、リン酸誘導体、例えば、ホスフェート（−ＯＰＯ２（ＯＲ’）［式中、Ｒ’は、Ｈ、アルキル、又はアリールである］）、又はホスホネート（−ＰＯ２（ＯＲ’）−［式中、Ｒ’は、Ｈ、アルキル、又はアリールである］）である。更に別の実施形態において、親水基は、リン酸誘導体の塩、例えば、ホスフェート塩（ここで、アニオンは−ＯＰＯ３２−である）、又はホスホネート塩（ここで、アニオンは−ＰＯ３２−である）であり、塩は、無機カチオン、例えば、Ｌｉ、Ｎａ、Ｋ、Ｒｂ、Ｃｓ、Ｍｇ、Ｃａ、又はＢａのいずれか１つ；有機カチオン、例えば、アンモニウムイオン、アンモニウム（ＮＨ４＋）、テトラアルキルアンモニウムカチオン、又はそれらの組み合わせを更に含む。
【０１０６】
一実施形態において、親水基は、ホスフェートである。別の実施形態において、親水基は、ホスフェート塩である。更なる実施形態において、親水基は、ホスホネートである。更に別の実施形態において、親水基は、ホスホネート塩である。
【０１０７】
一実施形態において、親水基は、アルキルアミン基である。アルキルアミン基は、−ＮＲ１Ｒ２［式中、Ｒ１及びＲ２は、独立して、水素及びＣ１〜Ｃ１２アルキルである］によって表すことができる。アルキルアミンの例としては、ジエチルアミン、エチルアミン、ジメチルアミン、メチルアミン、エチレンジアミン、プロピルアミン、ジプロピルアミン、ブチルアミン、ジブチルアミンが挙げられる。一実施形態において、アルキルアミン基は、エチレンジアミン誘導体である。
【０１０８】
別の実施形態において、疎水基は、アルキル置換されたアンモニウム塩である。アルキル置換されたアンモニウム塩は、以下の構造：
【化８】
2020041150.tif 000009
［式中、Ｒ２、Ｒ３及びＲ４は、各々独立して、水素原子、又はアルキル基、アリール基、シクロアルキル基、アラルキル基、又はアルカリル基を表す］によって表され得る。構造中の炭素原子（Ｃ）は、正に荷電した有機基の１つ以上の炭素の鎖（「炭素鎖」）の一部である。炭素原子は、ポリα−１，３−グルカン、ポリα−１，６−グルカン、又はポリα−１，３−１，６−グルカンのグルコースモノマーに直接エーテル結合しているか、又はポリα−１，３−グルカン、ポリα−１，６−グルカン、又はポリα−１，３−１，６−グルカンのグルコースモノマーにエーテル結合している２個以上の炭素原子の鎖の一部であるかのいずれかである。構造中の炭素原子は、−ＣＨ２−、−ＣＨ−［式中、Ｈは、ヒドロキシ基などの別の基で置換されている］、又は−Ｃ−［式中、両方のＨは置換されている］であり得る。
【０１０９】
置換されたアンモニウム基は、上記構造のＲ２、Ｒ３及びＲ４の組成に応じて、「一級アンモニウム基」、「二級アンモニウム基」、「三級アンモニウム基」、又は「四級アンモニウム基」であり得る。本明細書における一級アンモニウム基は、Ｒ２、Ｒ３及びＲ４の各々が水素原子である上記構造を指す（すなわち、−Ｃ−ＮＨ３＋）。本明細書における二級アンモニウム基は、Ｒ２及びＲ３の各々が水素原子であり、Ｒ４がアルキル基、アリール基、又はシクロアルキル基である上記構造を指す。本明細書における三級アンモニウム基は、Ｒ２が水素原子であり、Ｒ３及びＲ４の各々がアルキル基、アリール基、又はシクロアルキル基である上記構造を指す。本明細書における四級アンモニウム基は、Ｒ２、Ｒ３及びＲ４の各々がアルキル基、アリール基、又はシクロアルキル基である（すなわち、Ｒ２、Ｒ３及びＲ４のいずれも水素原子ではない）上記構造を指す。
【０１１０】
本明細書における四級アンモニウムポリα−１，３−グルカン、ポリα−１，６−グルカン、又はポリα−１，３−１，６−グルカンエーテルは、例えば、トリアルキルアンモニウム基（ここで、Ｒ２、Ｒ３及びＲ４の各々は、アルキル基である）を含み得る。トリメチルアンモニウム基は、トリアルキルアンモニウム基の例であり、ここで、Ｒ２、Ｒ３及びＲ４の各々は、メチル基である。この命名法において「四級」によって意味される第四の構成要素（すなわち、Ｒ１）は、ポリグルカンのグルコースモノマーにエーテル結合している正に荷電した有機基の１つ以上の炭素の鎖であることが理解されよう。
【０１１１】
四級アンモニウムポリα−１，３−グルカンエーテル化合物の例は、トリメチルアンモニウムヒドロキシプロピルポリα−１，３−グルカンである。このエーテル化合物の正に荷電した有機基は、以下の構造：
【化９】
2020041150.tif 000010
［式中、Ｒ２、Ｒ３及びＲ４の各々は、メチル基である］によって表され得る。上記構造
は、四級アンモニウムヒドロキシプロピル基の例である。
【０１１２】
本明細書における「ヒドロキシアルキル」基は、アルキル基の１個以上の水素原子が、ヒドロキシル基で置換されている置換されたアルキル基を指す。
【０１１３】
一実施形態において、親水基は、四級化ピリジン塩である。別の実施形態において、親水基は、四級化イミダゾール塩である。
【０１１４】
一実施形態において、多糖誘導体は、少なくとも１つの疎水基、及び少なくとも１つの親水基で置換されている多糖を含み、ここで少なくとも１つの疎水基は、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。
【０１１５】
一実施形態において、多糖誘導体は、少なくとも１つの疎水基、及び少なくとも１つの親水基で置換されている多糖を含み、ここで少なくとも１つの疎水基は、Ｃ１〜Ｃ１８アルキル基を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、Ｃ１〜Ｃ１８アルキル基を含み、少なくとも１つの親水基は、カルボン酸、アルキル置換されたアンモニウム塩、スルホネート、アルキルスルホネート、サルフェート、チオサルフェート基、又はこれらの組み合わせを含む。
【０１１６】
別の実施形態において、多糖誘導体は、少なくとも１つの疎水基、及び少なくとも１つの親水基で置換されている多糖を含み、ここで少なくとも１つの疎水基は、Ｃ２〜Ｃ１８アルケン基を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、Ｃ２〜Ｃ１８アルケン基を含み、少なくとも１つの親水基は、カルボン酸、アルキル置換されたアンモニウム塩、スルホネート、アルキルスルホネート、サルフェート、チオサルフェート基、又はこれらの組み合わせを含む。
【０１１７】
更に別の実施形態において、多糖誘導体は、少なくとも１つの疎水基、及び少なくとも１つの親水基で置換されている多糖を含み、ここで少なくとも１つの疎水基は、Ｃ２〜Ｃ１８アルキン基を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、Ｃ２〜Ｃ１８アルキン基を含み、少なくとも１つの親水基は、カルボン酸、アルキル置換されたアンモニウム塩、スル
ホネート、アルキルスルホネート、サルフェート、チオサルフェート基、又はこれらの組み合わせを含む。
【０１１８】
更なる実施形態において、多糖誘導体は、少なくとも１つの疎水基、及び少なくとも１つの親水基で置換されている多糖を含み、ここで少なくとも１つの疎水基は、（−ＣＨ２ＣＨ２Ｏ−）、（−ＣＨ２ＣＨ（ＣＨ３）Ｏ−）又はこれらの組み合わせの繰り返し単位を含むポリエーテル［ここで、繰り返し単位の総数は、３〜１００の範囲である］を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、（−ＣＨ２ＣＨ２Ｏ−）、（−ＣＨ２ＣＨ（ＣＨ３）Ｏ−）又はこれらの組み合わせの繰り返し単位を含むポリエーテル［ここで、繰り返し単位の総数は、３〜１００の範囲である］を含み、少なくとも１つの親水基は、カルボン酸、アルキル置換されたアンモニウム塩、スルホネート、アルキルスルホネート、サルフェート、チオサルフェート基、又はこれらの組み合わせを含む。
【０１１９】
更なる実施形態において、多糖誘導体は、少なくとも１つの疎水基、及び少なくとも１つの親水基で置換されている多糖を含み、ここで少なくとも１つの疎水基は、Ｃ６〜Ｃ２０アリール基を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、Ｃ６〜Ｃ２０アリール基を含み、少なくとも１つの親水基は、カルボン酸、アルキル置換されたアンモニウム塩、スルホネート、アルキルスルホネート、サルフェート、チオサルフェート基、又はこれらの組み合わせを含む。
【０１２０】
更なる実施形態において、多糖誘導体は、少なくとも１つの疎水基、及び少なくとも１つの親水基で置換されている多糖を含み、ここで少なくとも１つの疎水基は、ベンジル基を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、ベンジル基を含み、少なくとも１つの親水基は、カルボン酸、アルキル置換されたアンモニウム塩、スルホネート、アルキルスルホネート、サルフェート、又はチオサルフェート基を含む。
【０１２１】
更なる実施形態において、多糖誘導体は、少なくとも１つの疎水基、及び少なくとも１つの親水基で置換されている多糖を含み、ここで少なくとも１つの疎水基は、ハロゲン基、シアノ基、エステル基、アミド基、エーテル基、Ｃ１〜Ｃ６アルキル基、アリール基、Ｃ２〜Ｃ６アルケン基、Ｃ２〜Ｃ６アルキン基、又はこれらの組み合わせのうちの１つ以上で置換されているベンジル基を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、ハロゲン基、シアノ基、エステル基、アミド基、エーテル基、Ｃ１〜Ｃ６アルキル基、アリール基、Ｃ２〜Ｃ６アルケン基、Ｃ２〜Ｃ６アルキン基、又はこれらの組み合わせのうちの１つ以上で置換されているベンジル基を含み、少なくとも１つの親水基は、カルボン酸、アルキル
置換されたアンモニウム塩、スルホネート、アルキルスルホネート、サルフェート、又はチオサルフェート基を含む。
【０１２２】
更なる実施形態において、多糖誘導体は、少なくとも１つの疎水基、及び少なくとも１つの親水基で置換されている多糖を含み、ここで少なくとも１つの疎水基は、Ｃ１〜Ｃ１８アルキルスルホニル基、又はＣ６〜Ｃ２０アリールスルホニル基を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、Ｃ１〜Ｃ１８アルキルスルホニル基、又はＣ６〜Ｃ２０アリールスルホニル基を含み、少なくとも１つの親水基は、カルボン酸、アルキル置換されたアンモニウム塩、スルホネート、アルキルスルホネート、サルフェート、又はチオサルフェート基を含む。
【０１２３】
更なる実施形態において、多糖誘導体は、少なくとも１つの疎水基、及び少なくとも１つの親水基で置換されている多糖を含み、ここで少なくとも１つの疎水基は、ｐ−トルエンスルホニル基を含み、少なくとも１つの親水基は、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む。別の実施形態において、少なくとも１つの疎水基は、ｐ−トルエンスルホニル基を含み、少なくとも１つの親水基は、カルボン酸、アルキル置換されたアンモニウム塩、スルホネート、アルキルスルホネート、サルフェート、又はチオサルフェート基を含む。
【０１２４】
一実施形態において、多糖誘導体は、少なくとも１つの疎水基、及び少なくとも１つの親水基で置換されている多糖を含み、ここで少なくとも１つの疎水基は、Ｃ１〜Ｃ１８アルキル基、ベンジル基、ｐ−トルエンスルホニル基、又はこれらの組み合わせを含み、少なくとも１つの親水基は、カルボン酸、アルキル置換されたアンモニウム塩、スルホネート、アルキルスルホネート、サルフェート、チオサルフェート、又はこれらの組み合わせを含む。
【０１２５】
一実施形態において、多糖誘導体は、少なくとも１つの疎水基、及び少なくとも１つの親水基で置換されている多糖を含み、ここで少なくとも１つの疎水基は、Ｃ１〜Ｃ１８アルキル基、ベンジル基、ｐ−トルエンスルホニル基、又はこれらの組み合わせを含み、少なくとも１つの親水基は、チオサルフェート、又はカルボキシメチル基を含む。
【０１２６】
更なる実施形態において、少なくとも１つの疎水基は、ベンジル基、又はｐ−トルエンスルホニル基を含み、少なくとも１つの親水基は、チオサルフェート、又はカルボキシメチル基を含む。また、更なる実施形態において、少なくとも１つの疎水基は、Ｃ１〜Ｃ１８アルキル基、又はｐ−トルエンスルホニル基を含み、少なくとも１つの親水基は、チオサルフェート、又はカルボキシメチル基を含む。別の実施形態において、少なくとも１つの疎水基は、Ｃ１〜Ｃ１８アルキル基、又はベンジル基を含み、少なくとも１つの親水基は、チオサルフェート、又はカルボキシメチル基を含む。
【０１２７】
ポリα−１，３−グルカン、ポリα−１，６−グルカン、又はポリα−１，３−１，６−グルカンは、アルカリ性条件下で多糖を疎水性有機基を含む少なくとも１種のエーテル化剤と接触させることにより疎水変性され得る。この工程は、例えば、溶液又は混合物を提供するために多糖を溶媒及び１種以上のアルカリ性水酸化物と接触させることによって最初にアルカリ性条件を準備することによって実施され得る。したがって、反応のアルカ
リ性条件は、アルカリ水酸化物溶液を含み得る。アルカリ性条件のｐＨは、少なくとも約１１．０、１１．２、１１．４、１１．６、１１．８、１２．０、１２．２、１２．４、１２．６、１２．８、又は１３．０であり得る。
【０１２８】
疎水性有機基を含むエーテル化剤としては、例えば、ジアルキルサルフェート、ジアルキルカーボネート、ハロゲン化アルキル（例えば、塩化アルキル）、ヨードアルカン、アルキルトリフレート（アルキルトリフルオロメタンスルホネート）、アルキルフルオロスルホネート、１，２−エポキシアルキル、及びエポキシドが挙げられる。したがって、メチルポリα−１，３−グルカンエーテル、メチルポリα−１，６−グルカンエーテル、又はメチルポリα−１，３−１，６−グルカンエーテルを製造するためのエーテル化剤の例としては、ジメチルサルフェート、ジメチルカーボネート、塩化メチル、ヨードメタン、メチルトリフレート及びメチルフルオロスルホネートが挙げられる。エチルポリグルカンエーテルを製造するためのエーテル化剤の例としては、ジエチルサルフェート、ジエチルカーボネート、塩化エチル、ヨードエタン、エチルトリフレート、及びエチルフルオロスルホネートが挙げられる。プロピルポリグルカンエーテルを製造するためのエーテル化剤の例としては、ジプロピルサルフェート、ジプロピルカーボネート、塩化プロピル、ヨードプロパン、プロピルトリフレート、及びプロピルフルオロスルホネートが挙げられる。ブチルポリグルカンエーテルを製造するためのエーテル化剤の例としては、ジジブチルサルフェート、ジブチルカーボネート、塩化ブチル、ヨードブタン、ブチルトリフレート、及び１，２−エポキシブタンが挙げられる。ベンジルポリグルカンエーテルを製造するためのエーテル化剤の例としては、塩化ベンジル、及び臭化ベンジルが挙げられる。
【０１２９】
多糖のポリエーテル、例えば、ポリエチレングリコール（ＰＥＧ）、ポリプロピレングリコール（ＰＰＧ）、又はこれらの混合物から誘導されるポリエーテルはまた、塩基の存在下で、多糖をエポキシド、例えば、エチレンオキシド、プロピレンオキシド、又はこれらの混合物に接触させることにより得てもよい。ヒドロキシル基は、エポキシドと更に反応して、２つ以上のエーテル繰り返し単位を有するポリエーテルを生成し得る。エポキシド及び多糖のモル量に応じて、多糖のヒドロキシル基のうちの１つ以上は、モノアルコキシル化又はポリアルコキシル化され得る。多糖は、式（−ＣＨ２ＣＨ２Ｏ−）４〜１００、（−ＣＨ２ＣＨ（ＣＨ３）Ｏ−）４〜１００、又はこれらの組み合わせによる１つ以上のポリエーテル繰り返し単位を有し得る。組み合わせて使用する場合、繰り返し単位は、ランダム配置又はブロック配置であり得る。本明細書で使用する場合、値の範囲を指定する下付き文字は、繰り返し単位の可能性のある数を指定するために使用され、例えば、（ＣＨ２ＣＨ２Ｏ）４〜１００は、３〜１００個の範囲の繰り返し単位を含有するポリエーテル基を意味する。
【０１３０】
ポリグルカンの親水性アニオン性誘導体は、当該技術分野において公知の反応から調製され得る。例えば、グルカンは、アルカリ条件下にて、ポリα−１，３−グルカン、ポリα−１，６−グルカン、又はポリα−１，３−１，６−グルカンを、モノクロロ酢酸と接触させることにより、カルボキシメチル基で誘導体化され得る。カルボキシアルキルポリグルカンエーテル化合物を調製するために好適なエーテル化剤としては、ハロアルキレート（例えば、クロロアルキレート）を挙げてもよい。ハロアルキレートの例としては、ハロアセテート（例えば、クロロアセテート）、３−ハロプロピオネート（例えば、３−クロロプロピオネート）、及び４−ハロブチレート（例えば、４−クロロブチレート）が挙げられる。例えば、クロロアセテート（モノクロロアセテート）（例えば、クロロ酢酸ナトリウム）は、カルボキシメチルポリα−１，３−グルカン、又はカルボキシメチルポリα−１，６−グルカンを調製するためのエーテル化剤として使用できる。
【０１３１】
ポリグルカンのホスフェート、ホスホネート、スルホネート、及びサルフェート誘導体は、Ｓｏｌａｒｅｋ，Ｄ．Ｂ．，Ｐｈｏｓｐｈｏｒｙａｔｅｄ  Ｓｔａｒｃｈｅｓ  ａｎ
ｄ  Ｍｉｓｃｅｌｌａｎｅｏｕｓ  Ｉｎｏｒｇａｎｉｃ  Ｅｓｔｅｒｓ  ｉｎ  Ｍｏｄｉｆｉｅｄ  Ｓｔａｒｃｈｅｓ：Ｐｒｏｐｅｒｔｉｅｓ  ａｎｄ  Ｕｓｅｓ，Ｗｕｒｚｂｕｒｇ，Ｏ．Ｂ．，Ｅｄ．，ＣＲＣ  Ｐｒｅｓｓ，Ｉｎｃ．Ｂｏｃａ  Ｒａｔｏｎ，Ｆｌａ，１９８６，ｐｐ．９７−１０８で記載されるのと同様に製造され得る。ホスフェート及びサルフェートなどのグルカンの無機エステルは、当該技術分野において公知の方法から生成され得る。例えば、ホスフェート基は、Ｍｏｄｉｆｉｅｄ  Ｓｔａｒｃｈｅｓ：Ｐｒｏｐｅｒｔｉｅｓ  ａｎｄ  Ｕｓｅｓ，ｂｙ  Ｏ．Ｂ．Ｗｕｒｚｂｕｒｇ，ＣＲＣ  Ｐｒｅｓｓ，２０００）に記載されるように、多糖とトリポリリン酸ナトリウム、又はアルキルホスフェート及びピロホスフェートジエステルとの反応によって導入することができる。多糖は、Ｍｏｄｉｆｉｅｄ  Ｓｔａｒｃｈｅｓ：ｐｒｏｐｅｒｔｉｅｓ  ａｎｄ  Ｕｓｅｓ，ｂｙ  Ｏ．Ｂ．Ｗｕｒｚｂｕｒｇ，ＣＲＣ  Ｐｒｅｓｓ，２０００）に記載されているように、硫酸、有機溶媒中のクロロスルホン酸、又は三酸化硫黄錯体による硫酸化を含む様々な方法により硫酸化され得る。
【０１３２】
ポリグルカンのアルキルスルホネートエーテルは、アルカリポリグルカンと、ビニルスルホン酸又はクロロアルカンスルホネートとのマイケル付加により調製され得る。あるいは、ポリグルカンをプロパンスルトン又はブタンスルトンと反応させて対応するスルホアルキルポリグルカンを得てもよい。ポリグルカンの硫酸化は、クロロスルホン酸又は三酸化硫黄錯体を用いて実施され得る。三酸化硫黄錯体の例としては、ＳＯ３−ＤＭＦ、ＳＯ３−トリエチルアミン、ＳＯ３−ピリジンなどの三酸化硫黄−窒素塩基錯体が挙げられる。
【０１３３】
ポリグルカンの親水性カチオン性誘導体は、当該技術分野において公知の反応から調製され得る。例えば、ポリグルカンの誘導体は、Ｓｏｌａｒｅｋ，Ｄ．Ｂ．，Ｃａｔｉｏｎｉｃ  Ｓｔａｒｃｈｅｓ：Ｐｒｏｐｅｒｔｉｅｓ  ａｎｄ  Ｕｓｅｓ，Ｗｕｒｚｂｕｒｇ，Ｏ．Ｂ．，Ｅｄ．，ＣＲＣ  Ｐｒｅｓｓ，Ｉｎｃ．Ｂｏｃａ  Ｒａｔｏｎ，Ｆｌａ，１９８６，ｐｐ．１１３−１４８で記載されるのと同様に製造され得る。ポリグルカンのカチオン性誘導体を調製するために使用されるいくつかの一般的な試薬としては：２−ジエチルアミノエチルクロリド（ＤＥＣ）；２−ジメチルアミノエチルクロリド；２−ジイソプロピルアミノエチルクロリド；２−ジエチルアミノエチルブロミド、Ｎ−アルキル−Ｎ−（２−ハロエチル）−アミノメチルリン酸；及び２，３−エポキシプロピルトリメチルアンモニウムクロリドが挙げられる。
【０１３４】
トリメチルアンモニウム基、置換されたアンモニウム基、又は四級アンモニウム基などの正に荷電した有機基を含有するポリα−１，３−グルカン、ポリα−１，６−グルカン、又はポリα−１，３−１，６−グルカンエーテル化合物を含む組成物の調製方法は、米国特許出願公開第２０１６／０３１１９３５号明細書（その全容が参照により本明細書に組み込まれる）に開示されている。
【０１３５】
ジヒドロキシアルキルポリα−１，３−グルカン、ポリα−１，６−グルカン、又はポリα−１，３−１，６−グルカンエーテル化合物を調製するのに好適なエーテル化剤としては、例えば、ハロゲン化ジヒドロキシエチル、ハロゲン化ジヒドロキシプロピル（例えば、２，３−ジヒドロキシプロピルクロリド［すなわち、３−クロロ−１，２−プロパンジオール］）、又はハロゲン化ジヒドロキシブチルなどのハロゲン化ジヒドロキシアルキル（例えば、ジヒドロキシアルキルクロリド）が挙げられる。２，３−ジヒドロキシプロピルクロリドは、例えば、ジヒドロキシプロピルポリα−１，３−グルカン、ポリα−１，６−グルカン、又はポリα−１，３−１，６−グルカンを調製するために使用できる。
【０１３６】
２つ以上の異なる有機基を有するポリα−１，３−グルカン、ポリα−１，６−グルカン、又はポリα−１，３−１，６−グルカンエーテル化合物を製造する場合、それに応じ
て２種以上の異なるエーテル化剤が使用されるであろう。例えば、アルキルヒドロキシアルキルポリα−１，３−グルカンエーテル、アルキルヒドロキシアルキルポリα−１，６−グルカンエーテル、又はアルキルヒドロキシアルキルポリα−１，３−１，６−グルカンを生成するためには、酸化アルキレン及び塩化アルキルの両方をエーテル化剤として使用することができよう。このため、２つ以上の異なる有機基を有するポリグルカンエーテル化合物を製造するためには、本明細書で開示されるエーテル化剤のいずれかを組み合わせてもよい。このような２種以上のエーテル化剤は、反応中同時に使用され得るか、又は反応中に連続的に使用され得る。連続的に使用した場合、各添加間には、以下に開示される任意の温度処理（例えば、加熱）工程を任意選択的に使用してもよい。各有機基の所望のＤｏＳを制御するために、エーテル化剤の連続的な導入を選択してもよい。一般に、エーテル生成物中でそれが形成する有機基が添加すべき他の有機基のＤｏＳと比較してより高いＤｏＳであることが所望される場合は、最初に特定のエーテル化剤が使用されるであろう。
【０１３７】
アルカリ性条件下で反応中のポリα−１，３−グルカン、ポリα−１，６−グルカン、又はポリα−１，３−１，６−グルカンと接触させられるエーテル化剤の量は、生成されるエーテル化合物において必要とされる置換度に基づいて決定することができる。本明細書で製造されるポリα−１，３−グルカン、ポリα−１，６−グルカン、又はポリα−１，３−１，６−グルカンエーテル化合物中の各モノマー単位上のエーテル置換基の量は、核磁気共鳴（ＮＭＲ）分光法を使用して決定できる。ポリα−１，３−グルカン、ポリα−１，６−グルカン、又はポリα−１，３−１，６−グルカンに対するモル置換（ＭＳ）値には上限がない。一般に、エーテル化剤は、ポリグルカン１モル当たり少なくとも約０．０５モルの量で使用され得る。使用できるエーテル化剤の量に上限はない。
【０１３８】
本明細書のポリα−１，３−グルカン、ポリα−１，６−グルカン、又はポリα−１，３−１，６−グルカンエーテル化合物を製造するための反応は、任意選択的に、例えばＰａｒｒ反応装置、オートクレーブ、振とう器チューブなどの圧力容器又は当該技術分野において周知の任意の他の圧力容器中で実施できる。特定の実施形態において、振とう器チューブを使用して反応を実施する。
【０１３９】
本明細書の反応は、任意選択的に、アルカリ性条件下でポリグルカンをエーテル化剤と接触させる工程に続いて加熱できる。反応温度及びこのような温度を適用する時間は、広範囲の限度内で変化させることができる。例えば、反応は、任意選択的に、周囲温度で最大１４日間維持され得る。あるいは、反応は、還流しながら、又は還流せずに約２５℃〜約２００℃で（又は２５〜２００℃の間の任意の整数）で加熱され得る。反応時間は、対応して変動させることができる；低温ではより長時間及び高温ではより短時間。
【０１４０】
カルボキシメチルポリα−１，３−グルカン、カルボキシメチルポリα−１，６−グルカン、又はカルボキシメチルポリα−１，３−１，６−グルカンを製造する特定の実施形態において、反応は、約３時間にわたり約５５℃まで加熱され得る。したがって、本明細書のカルボキシメチルポリグルカンを調製するための反応は、例えば、約２時間〜約５時間にわたり約５０℃〜約６０℃（又は５０〜６０℃の間の任意の整数）まで加熱され得る。
【０１４１】
任意選択的に、本明細書の反応は、加熱を用いて、又は用いずに、不活性ガス雰囲気下で維持され得る。本明細書で使用する場合、用語「不活性ガス」は、例えば本明細書の反応を調製するために開示された条件などの一連の所定の条件下で化学反応にさらされることのないガスを指す。
【０１４２】
本明細書に開示された反応の全ての成分は、同時に混合して所望の反応温度に導くこと
ができ、その時点から、温度は、攪拌しながら、又は攪拌せずに、所望のポリグルカンエーテル化合物が生成するまで維持される。あるいは、混合した成分は、上記のように、周囲温度で放置され得る。
【０１４３】
エーテル化に続いて、反応のｐＨを中和できる。反応の中和は１種以上の酸を用いて実施され得る。本明細書で使用する場合、用語「中性のｐＨ」は、実質的に酸性でも塩基性でもないｐＨ（例えば、約６〜８、又は約６．０、６．２、６．４、６．６、６．８、７．０、７．２、７．４、７．６、７．８、若しくは８．０のｐＨ）を指す。この目的で使用できる様々な酸としては、硫酸、酢酸、塩酸、硝酸、任意の鉱（無機）酸、任意の有機酸又はこれらの酸の任意の組み合わせが挙げられるが、これらに限定されない。
【０１４４】
本明細書の反応で製造されるポリグルカンエーテル化合物は、任意選択的に、この化合物を容易には溶解しない液体で１回以上洗浄され得る。例えば、ポリα−１，３−グルカン、ポリα−１，６−グルカン、又はポリα−１，３−１，６−グルカンエーテルは、（洗浄のために溶解度の欠如が所望の場合は）その中のエーテル化合物の溶解度に依存して、水、アルコール、アセトン、芳香族、又はこれらの任意の組み合わせを用いて洗浄され得る。一般に、洗浄には、アルコールなどの有機溶媒を含む溶媒が好ましい。ポリグルカンエーテル生成物は、例えば、メタノール又はエタノールを含有する水溶液を用いて１回以上洗浄され得る。例えば、生成物を洗浄するには、７０〜９５重量％のエタノールを使用できる。別の実施形態において、ポリグルカンエーテル生成物は、メタノール：アセトン（例えば、６０：４０）溶液を用いて洗浄され得る。アルキルポリα−１，３−グルカン、又はポリα−１，６−グルカンエーテル（例えば、エチルポリα−１，３−グルカン）、及びアルキルヒドロキシアルキルポリα−１，３−グルカンエーテル（例えば、エチルヒドロキシエチルポリα−１，３−グルカン）を洗浄するためなどの特定の実施形態において、温水（約９５〜１００℃）が使用され得る。
【０１４５】
ポリα−１，３−グルカン、ポリα−１，６−グルカン、又はポリα−１，３−１，６−グルカンはまた、１つ以上のベンジル基で修飾することもできる。ポリグルカンは、例えば、水酸化ナトリウム、水酸化カリウム、ナトリウムアルコキシド、カリウムアルコキシド、水素化ナトリウムなどの塩基を使用して、ヒドロキシル基の１つ以上を脱プロトン化し、続いて、ベンジル化剤、例えば、ハロゲン化ベンジルで処理することによって、ベンジル化され得る。ベンジル化剤のベンジル基は、任意選択的に、ハロゲン基、シアノ基、エステル基、アミド基、エーテル基、Ｃ１〜Ｃ６アルキル基、アリール基、Ｃ２〜Ｃ６アルケン基、Ｃ２〜Ｃ６アルキン基、又はこれらの組み合わせのうちの１つ以上により置換され得る。いくつかの実施形態において、ベンジル化剤は：
【化１０】
2020041150.tif 000011
［式中、ＬＧは脱離基、例えば、塩素、臭素、ヨウ素であり；Ｒ３は、ハロゲン、シアノ、エステル、アミド、エーテル、Ｃ１〜Ｃ６アルキル、アリール、Ｃ２〜Ｃ６アルケン、Ｃ２〜Ｃ６アルケンであり；ｎは、１、２、３、４、又は５である］であり得る。ハロゲンは、フッ化物、塩化物、臭化物、又はヨウ化物であり得る。エステルは、ベンジル−Ｃ（Ｏ）Ｏ−Ｒ’であり得るか、又はエステルは、ベンジル−ＯＣ（Ｏ）−Ｒ’［式中、Ｒ’基は、Ｃ１〜Ｃ６アルキル又はアリール基である］であり得る。エーテルは、Ｃ１〜Ｃ６アルキルエーテル又はアリールエーテルであり得る。アミドは、ベンジル−Ｃ（Ｏ）Ｎ（Ｒ’’）２、又はベンジル−Ｎ（Ｒ’’）（Ｏ）Ｃ−［式中、各Ｒ’’は、独立して、
水素、又はＣ１〜Ｃ６アルキルである］であり得る。上記の例の各々において、用語「ベンジル」は、ベンジル化剤を指す。
【０１４６】
ポリα−１，３−グルカン、ポリα−１，６−グルカン、又はポリα−１，３−１，６−グルカンは、１つの繰り返し単位当たり、３つのヒドロキシル基を有する。そのため、使用できるベンジル化剤の量は、最大値３．０を有する置換度を生じるのに十分である。語句「置換度」は、ポリグルカンの１つの繰り返し単位当たりの結合した置換基、例えばベンジル基の平均数を意味する。例えば、０．５の置換度は、平均して、２つの繰り返し単位当たり１つのヒドロキシル基がベンジル基で置換されていることを意味する。３の置換度は、ポリα−１，３−グルカン、ポリα−１，６−グルカン、又はポリα−１，３−１，６−グルカンの全てのヒドロキシル基が置換されていることを意味する。いくつかの実施形態において、置換度は、０．１〜０．６の範囲である。他の実施形態において、置換度は、０．１〜０．５、又は０．０１〜１．０、又は０．２〜０．４５、又は０．４〜０．６の範囲である。置換度を決定する１つの方法は、炭素１３ＮＭＲスペクトルのピークを積分することによるものであり得る。プロトンＮＭＲ分析もまた、使用することができる。
【０１４７】
脱プロトン化は、塩基及び水性溶媒、塩基及び有機溶媒、又は塩基並びに水性溶媒及び有機溶媒の混合物の存在下で起こり得る。好適な有機溶媒としては、例えば、ジメチルスルホキシド、ジメチルアセトアミド、ジメチルホルムアミド、ピリジン、１−メチル−２−ピロリジノン、又はこれらの組み合わせを挙げることができる。いくつかの実施形態において、ポリグルカンは、塩基と溶媒の混合物に添加され得る。任意選択的に、混合物は加熱され得る。次いで、ベンジル化剤、例えば、塩化ベンジルが添加され得る。水溶液系において、ベンジル化度は増大し、溶液からベンジルポリグルカンが沈殿して、濾過により除去され得る。有機溶媒を使用すること、又は温度若しくは濃度を変化させることにより、置換度を、０．４超に増大させることができる。ベンジルポリグルカンは、公知の技術を使用して単離され得る。
【０１４８】
上記エーテル化反応のいずれかは、更なる変性のために、出発材料として、ポリα−１，３−グルカンエーテル、ポリα−１，６−グルカンエーテル、又はポリα−１，３−１，６−グルカンエーテルを使用して繰り返され得る。このアプローチは、有機基のＤｏＳを増加させること、及び／又はエーテル生成物に１つ以上の異なる有機基を付加することに好適であり得る。例えば、ベンジルポリα−１，３−グルカンエーテル生成物は、カルボキシルメチル基を用いた更なる変性のための基質として使用され得る。
【０１４９】
ポリα−１，３−グルカン、ポリα−１，６−グルカン、又はポリα−１，３−１，６−グルカンは、塩基の存在下で、多糖をＣ１〜Ｃ１８アルキルスルホニルクロリド、Ｃ６〜Ｃ２０アリールスルホニルクロリド、又はｐ−トルエンスルホニルクロリドと接触させることによって疎水変性させられ得る。この疎水変性は、例えば、溶液又は混合物を提供するために多糖を溶媒及び１種以上のアルカリ性水酸化物と接触させることによって最初にアルカリ性条件を準備することによって実施され得る。したがって、反応のアルカリ性条件は、アルカリ水酸化物溶液を含み得る。アルカリ性条件のｐＨは、少なくとも約１１．０、１１．２、１１．４、１１．６、１１．８、１２．０、１２．２、１２．４、１２．６、１２．８、又は１３．０であり得る。次いで、塩基性溶液に、Ｃ１〜Ｃ１８アルキルスルホニルクロリド、Ｃ６〜Ｃ２０アリールスルホニルクロリド、又はｐ−トルエンスルホニルクロリドを添加して、混合物を室温で、又は加熱しながら反応させた。
【０１５０】
所望される用途に応じて、本明細書にて開示される多糖誘導体は、様々な組成物、例えば、洗濯ケア、布地／織物ケア、及び／又はパーソナルケア製品において使用するための組成物における使用に好適な１つ以上の他の物質、及び／又は活性成分を用いて配合（例
えば、ブレンド、混合、組み込むなど）することができる。本文脈中、用語「多糖誘導体を含む組成物」としては、例えば、水性配合物、レオロジー改質組成物、織物処理／ケア組成物、洗濯ケア配合物／組成物、織物柔軟剤、又はパーソナルケア組成物（ヘア、スキン及びオーラルケア）を挙げてもよく、その各々がａ）少なくとも１つの疎水基、及びｂ）少なくとも１つの親水基で置換されているポリα−１，３−グルカン、ポリα−１，６−グルカン、又はポリα−１，３−１，６−グルカンを含む。
【０１５１】
本明細書で使用する場合、用語「有効量」は、所望の効果を達成するために好適である、使用又は投与される物質の量を指す。物質の有効量は、用途に応じて変動し得る。当業者であれば、典型的には、過度の（ｕｎｄｏ）実験を行わずに特定の用途又は被験者にとっての有効量を決定できるであろう。
【０１５２】
用語「酵素的加水分解に対する耐性」は、酵素的加水分解に対する多糖誘導体の相対的安定性を指す。加水分解に対する耐性を有することは、洗剤、織物ケア、及び／又は洗濯ケアなどの用途においてなどの、酵素が存在する用途においてこれらの材料を使用するために重要である。いくつかの実施形態において、多糖誘導体は、セルラーゼに耐性がある。他の実施形態において、多糖誘導体は、プロテアーゼに耐性がある。また、更なる実施形態において、多糖誘導体は、アミラーゼに耐性がある。更に他の実施形態において、多糖誘導体は、リパーゼに耐性がある。更に他の実施形態において、多糖誘導体は、マンナナーゼに耐性がある。他の実施形態において、多糖誘導体は、複数の部類の酵素、例えば、セルラーゼ、プロテアーゼ、アミラーゼ、リパーゼ、マンナナーゼ、又はこれらの組み合わせの２つ以上に耐性がある。任意の特定の酵素に対する耐性は、それぞれの酵素を用いた処理後に残存する物質の少なくとも１０、２０、３０、４０、５０、６０、７０、８０、９０、９５、又は１００％を有するとして定義されるであろう。残存パーセンテージは、ＳＥＣ−ＨＰＬＣを使用して、酵素処理後の上清を測定することによって決定され得る。酵素耐性を測定するためのアッセイは、以下の手順を使用して決定することができる：多糖誘導体の試料をバイアル中の水に添加し、ＰＴＦＥマグネティックスターラーを使用して混合して１重量％溶液を作製する。水性混合物をｐＨ７．０及び２０℃で生成する。これらの多糖誘導体が完全に溶解した後、１．０ミリリットル（ｍＬ）（１重量％の酵素配合物）のセルラーゼ（ＰＵＲＡＤＥＸ（登録商標）ＥＧＬ）、アミラーゼ（ＰＵＲＡＳＴＡＲ（登録商標）ＳＴ  Ｌ）プロテアーゼ（ＳＡＶＩＮＡＳＥ（登録商標）１６．０Ｌ）、又はリパーゼ（Ｌｉｐｅｘ（登録商標）１００Ｌ）を添加し、２０℃で７２時間（ｈｒｓ）混合する。７２時間の攪拌後、反応混合物は、添加された酵素を不活性化するために７０℃まで１０分間加熱し、生じた混合物を室温に冷却し、任意の沈降物を除去するために遠心する。上清は、回収された多糖誘導体についてＳＥＣ−ＨＰＬＣによって分析し、反応混合液に酵素が全く添加されていないコントロールと比較する。これらのそれぞれの多糖誘導体についての面積総数における変化率を使用すると、それぞれの酵素処理に対する物質の相対耐性を試験するために使用できる。全体に対する面積における変化率は、特定酵素を用いた処理後に残存している物質の相対量を評価するために使用されるであろう。少なくとも１０％、好ましくは少なくとも５０、６０、７０、８０、９０、９５、又は１００％の回収率を有する物質は、それぞれの酵素処理に対して「耐性」があると見なされるであろう。
【０１５３】
本明細書の語句「水性組成物」は、溶媒が少なくとも約１重量％の水であり、多糖誘導体を含む溶液又は混合物を指す。
【０１５４】
用語「ヒドロコロイド」及び「ヒドロゲル」は本明細書において同じ意味で用いられる。ヒドロコロイドは、水が分散媒であるコロイド系を指す。本明細書の「コロイド」は、別の物質全体にわたって微視的に分散している物質を指す。そのため、本明細書のヒドロコロイドはまた、水又は水溶液中の多糖誘導体の分散体、エマルション、混合物又は溶液
も意味し得る。
【０１５５】
本明細書の用語「水溶液」は、溶媒が水を含む溶液を指す。多糖誘導体は、水溶液に分散、混合及び／又は溶解され得る。水溶液は、本明細書のヒドロコロイドの分散媒として機能し得る。
【０１５６】
用語「分散剤（ｄｉｓｐｅｒｓａｎｔ）」及び「分散剤（ｄｉｓｐｅｒｓｉｏｎ  ａｇｅｎｔ）」は、１つの物質の別の物質中の分散系の形成及び安定化を促進する物質を意味するために本明細書において同じ意味で用いられる。本明細書の「分散体」は、水性組成物全体にわたって散乱しているか、又は一様に分布している１つ以上の粒子、例えばパーソナルケア製品、医薬品、食品、家庭用製品、又は工業製品の任意の成分を含む水性組成物を指す。多糖誘導体は、本明細書で開示される水性組成物中で分散剤として機能し得ると考えられる。
【０１５７】
本明細書で使用する場合、用語「粘度」は、流体又は水性組成物、例えばヒドロコロイドが、それを流動させる傾向がある力に抵抗する程度の尺度を指す。本明細書で使用できる粘度の様々な単位としては、センチポイズ（ｃＰｓ）及びパスカル秒（Ｐａ・ｓ）が挙げられる。１センチポアズは１／１００ポアズであり；１ポアズは、０．１００ｋｇ・ｍ−１・ｓ−１に等しい。そのため、本明細書で使用する場合、用語「粘度調整剤（ｖｉｓｃｏｓｉｔｙ  ｍｏｄｉｆｉｅｒ」及び「粘度調整剤（ｖｉｓｃｏｓｉｔｙ−ｍｏｄｉｆｙｉｎｇ  ａｇｅｎｔ）」は、流体又は水性組成物の粘度を変更／変性できるあらゆるものを指す。
【０１５８】
用語「織物」、「布地」及び「布」などは、天然及び／又は化学繊維の網状組織を有する織布又は不織布材料を意味するために、本明細書では同じ意味で用いられる。このような繊維は、例えば、縫合糸又は編み糸であり得る。
【０１５９】
本明細書の「織物ケア組成物」は、何らかの方法で織物を処理するのに好適な任意の組成物である。このような組成物の好適な例としては、非洗濯繊維処理（湯通し、精錬、シルケット加工、漂白、彩色、乾燥、印刷、バイオポリッシング、抗菌処理、防皺処理、耐汚染性処理など）、洗濯ケア組成物（例えば、洗濯ケア洗剤）及び織物柔軟剤が挙げられる。
【０１６０】
用語「洗剤組成物」、「重質洗剤」、及び「万能洗剤」は、任意の温度で、例えば、食器、カトラリー、ビヒクル、織物、カーペット、衣類、白色及び着色布地の通常の洗濯のために有用な組成物を指すために、本明細書では同じ意味で用いられる。織物、織物及びホームケアの領域における硬質表面並びに任意のその他の表面を処理するための洗剤組成物としては：洗濯洗剤、織物コンディショナー（柔軟剤を含む）、洗濯及びすすぎ添加剤並びにケア組成物、織物消臭組成物、洗濯予洗い用洗剤、洗濯前処理剤、硬質表面処理組成物、カーケア組成物、食器洗い組成物（手洗い用製品及び自動食器洗い用製品を含む）、空気ケア製品、多孔性基材若しくは不織布の上又は中に含有される洗剤、及び消費者用又は業務用のその他の洗浄製品が挙げられる。
【０１６１】
用語「セルラーゼ」及び「セルラーゼ酵素」は、セルロース中のβ−１，４−Ｄ−グルコシド結合を加水分解し、それによりセルロースを部分的又は完全に分解する酵素を意味するために、本明細書では同じ意味で用いられる。セルラーゼは、あるいは、例えば「β−１，４−グルカナーゼ」と呼ぶことができ、エンドセルラーゼ活性（ＥＣ３．２．１．４）、エキソセルラーゼ活性（ＥＣ３．２．１．９１）又はセロビアーゼ活性（ＥＣ３．２．１．２１）を有し得る本明細書の特定の実施形態におけるセルラーゼはまた、例えばカルボキシメチルセルロースなどのセルロースエーテル誘導体中でβ−１，４−Ｄ−グル
コシド結合を加水分解することもできる。「セルロース」は、β−１，４−結合Ｄ−グルコースモノマー単位の直鎖を有する不溶性多糖を指す。
【０１６２】
本明細書で使用する場合、用語「織物の風合」又は「手触り」は、物理的、生理学的、心理学的、社会的、又はこれらの任意の組み合わせであり得る織物に対する個人の触覚感覚応答を意味する。いくつかの実施形態において、織物の風合は、米国繊維化学者・色彩技術者協会（ＡＡＴＣＣ  ｔｅｓｔ  ｍｅｔｈｏｄ，“２０２−２０１２，Ｒｅｌａｔｉｖｅ  Ｈａｎｄ  Ｖａｌｕｅ  ｏｆ  Ｔｅｘｔｉｌｅｓ：Ｉｎｓｔｒｕｍｅｎｔａｌ  Ｍｅｔｈｏｄ”）により与えられるように、相対風合値を測定するためのＰＨＡＢＲＯＭＥＴＥＲ（登録商標）システム（Ｎｕ  Ｃｙｂｅｒｔｅｋ，Ｉｎｃ．Ｄａｖｉｓ，ＣＡから入手可能）を使用して測定できる。
【０１６３】
組成物は、液体、ジェル、粉末、ヒドロコロイド、水溶液、顆粒、錠剤、カプセル、単一区画袋、複数区画袋、単一区画パウチ、又は複数区画パウチの形態であり得る。いくつかの実施形態において、組成物は、液体、ジェル、粉末、単一区画袋、又は複数区画袋の形態である。
【０１６４】
いくつかの実施形態において、多糖誘導体を含む組成物は、織物ケア組成物の形態であり得る。織物ケア組成物は、手洗い、洗濯機洗浄及び／又は他の目的、例えば織物の浸漬及び／又は前処理などの他の目的のために使用できる。織物ケア組成物は、例えば、洗濯用洗剤；織物コンディショナー、任意の洗濯用製品、リンス用製品又は乾燥機添加製品；単位用量又はスプレーの形態を取り得る。液体形態の織物ケア組成物は、水性組成物の形態であり得る。他の実施形態において、織物ケア組成物は、乾燥形態、例えば顆粒状洗剤又は乾燥機添加用織物柔軟剤シートなどの乾燥形態であり得る。織物ケア組成物の他の非限定的例としては；顆粒形態又は粉末形態の万能又は重質洗浄剤；液体形態、ゲル形態又はペースト形態の万能又は重質洗浄剤；液体又はドライの細（例えば、繊細）繊維用洗剤；例えば漂白用添加物、「ステイン・スティック」又は前処理剤などのクリーニング補助剤；基質積載製品、例えばドライワイプ又はウェットワイプ、パッド又はスポンジ；スプレー剤及びミスト剤；水溶性単位用量物品を挙げることができる。
【０１６５】
いくつかの実施形態において、多糖誘導体を含む組成物は、パーソナルケア製品の形態であり得る。パーソナルケア製品としては、ヘアケア組成物、スキンケア組成物、日焼けケア組成物、ボディクレンザー組成物、口腔ケア組成物、拭き取り布、美容ケア組成物、化粧品組成物、抗真菌組成物、及び抗菌組成物が挙げられるが、これらに限定されない。パーソナルケア製品としては、クレンジング、洗浄、保護、堆積、保湿、コンディショニング、閉塞性バリア、及び皮膚軟化剤組成物を挙げることができる。
【０１６６】
本明細書で使用する場合、「パーソナルケア製品」はまた、限定されるものではないが、シャンプー、ボディーローション、シャワージェル、局所保湿剤、練り歯磨き、歯磨きジェル、マウスウォッシュ、マウスリンス、抗プラークリンス及び／又は他の局所クレンザーを含む、髪の毛、肌、頭皮、及び歯の洗浄、漂白、及び／又は消毒に使用される製品が挙げられる。いくつかの実施形態において、これらの製品はヒトに利用されているが、他の実施形態においては、これらの製品はヒト以外の動物にも使用されている（例えば、獣医用途）。一態様において、「パーソナルケア製品」として、ヘアケア製品が挙げられる。ヘアケア製品は、粉末、ペースト、ジェル、液体、軟膏、スプレー、発泡体、錠剤、ヘアシャンプー、ヘアコンディショナーリンス、又はこれらの任意の組み合わせの形態であり得る。
【０１６７】
本明細書に記載された多糖誘導体を含む製品配合物は、任意選択的に水、又は主に水からなる溶液で希釈されて、目的の用途に所望される多糖誘導体濃度を有する配合物を製造
し得る。当業者であれば明らかに、選択されたパーソナルケア製品のための所望の多糖誘導体濃度を達成するために反応成分及び／又は希釈量を調節することができる。
【０１６８】
本明細書に記載されるパーソナルケア組成物は、既知の又はそうでなくともヘアケア若しくはその他のパーソナルケア製品で使用するように効果的な１つ以上の皮膚科学的又は美容的に許容可能な成分を更に含んでもよいが、ただし、任意成分が本明細書に記載の必須成分と物理的及び化学的に適合性があるか、そうでなければ製品の安定性、審美性、又は性能を過度に損なわないことを条件とする。このような任意選択の成分の非限定的な例は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ，第９版，２００２，及びＣＴＦＡ  Ｃｏｓｍｅｔｉｃ  Ｉｎｇｒｅｄｉｅｎｔ  Ｈａｎｄｂｏｏｋ，第１０版，２００４に開示されている。
【０１６９】
一実施形態において、皮膚科学的に許容される担体は、約１０重量％〜約９９．９
重量％、あるいは約５０重量％〜約９５重量％、あるいは約７５重量％〜約９５重量％の皮膚科学的に許容される担体を含み得る。組成物との使用に好適な担体としては、例えば、ヘアスプレー、ムース、トニック、ジェル、皮膚保湿剤、ローション、及びリーブオンコンディショナーの配合物で使用されるものを挙げてもよい。担体は、水；有機油；シリコーン、例えば、揮発性シリコーン、アミノ又は非アミノのシリコーンガム又は油、及びこれらの混合物；鉱油；植物油、例えば、オリーブ油、ヒマシ油、菜種油、ヤシ油、小麦麦芽油、甘扁桃油、アボカード油、マカダミア油、アプリコット油、ベニバナ油、ククイ油、亜麻仁油、タマヌ油、レモン油、及びこれらの混合物；ワックス；並びに有機化合物、例えば、Ｃ２〜Ｃ１０アルカン、アセトン、メチルエチルケトン、揮発性有機Ｃ１〜Ｃ１２アルコール、Ｃ１〜Ｃ２０酸及びＣ１〜Ｃ８アルコールのエステル（エステルの選択は、ペルヒドロラーゼに対するカルボン酸エステル基質として機能し得るか否かに依存し得るという理解を前提として）、例えば、酢酸メチル、酢酸ブチル、酢酸エチル、及びミリスチン酸イソプロピル、ジメトキシエタン、ジエトキシエタン、Ｃ１０〜Ｃ３０脂肪アルコール、例えば、ラウリルアルコール、セチルアルコール、ステアリルアルコール、及びベヘニルアルコール；Ｃ１０〜Ｃ３０脂肪酸、例えば、ラウリン酸及びステアリン酸；Ｃ１０〜Ｃ３０脂肪アミド、例えば、ラウリン酸ジエタノールアミド；Ｃ１０〜Ｃ３０脂肪アルキルエステル、例えば、Ｃ１０〜Ｃ３０脂肪アルキルベンゾエート；ヒドロキシプロピルセルロース；並びにこれらの混合物を含んでもよい。一実施形態において、担体は、水、脂肪アルコール、揮発性有機アルコール、及びこれらの混合物を含む。
【０１７０】
本発明の組成物は更に、組成物に所望の粘度を付与する助けとなる、約０．１％〜約１０％、あるいは約０．２％〜約５．０％のゲル化剤を含み得る。好適な任意選択のゲル化剤の非限定的な例としては、架橋カルボン酸ポリマー；非中和型架橋カルボン酸ポリマー；非中和型変性架橋カルボン酸ポリマー；架橋エチレン／無水マレイン酸コポリマー；非中和型架橋エチレン／無水マレイン酸コポリマー（例えば、Ｍｏｎｓａｎｔｏから市販されるＥＭＡ８１）；非中和型架橋アルキルエーテル／アクリレートコポリマー（例えば、Ａｌｌｉｅｄ  Ｃｏｌｌｏｉｄｓから市販されるＳＡＬＣＡＲＥ（商標）ＳＣ９０）；ポリアクリル酸ナトリウム、鉱油、及びＰＥＧ−１  トリデセス−６の非中和型架橋コポリマー（例えば、Ａｌｌｉｅｄ  Ｃｏｌｌｏｉｄｓから市販されるＳＡＬＣＡＲＥ（商標）ＳＣ９１）；メチルビニルエーテル及び無水マレイン酸の非中和型架橋コポリマー（例えば、Ｉｎｔｅｒｎａｔｉｏｎａｌ  Ｓｐｅｃｉａｌｔｙ  Ｐｒｏｄｕｃｔｓから市販されるＳＴＡＢＩＬＥＺＥ（商標）ＱＭ−ＰＶＭ／ＭＡコポリマー）；疎水変性ノニオン性セルロースポリマー；疎水変性エトキシレートウレタンポリマー（例えば、Ｕｎｉｏｎ  Ｃａｒｂｉｄｅから市販されるアルカリ膨潤性ポリマーのＵＣＡＲＥ（商標）Ｐｏｌｙｐｈｏｂｅ  Ｓｅｒｉｅｓ）；並びにこれらの組み合わせが挙げられる。本文脈中、用語「非中和型」は、任意選択のポリマー及びコポリマーゲル化剤材料が非中和型酸モノマーを含有することを意味する。好ましいゲル化剤としては、水溶性非中和型架橋エチレン／無水
マレイン酸コポリマー、水溶性非中和型架橋カルボン酸ポリマー、水溶性疎水変性ノニオン性セルロースポリマー、及び界面活性剤／脂肪アルコールゲルネットワーク、例えば、ヘアコンディショニング製品での使用に好適なものなどが挙げられる。
【０１７１】
本明細書に記載された多糖誘導体は、限定されないが、ヘアコンディショニング剤などのヘアケア組成物及び製品に組み込んでもよい。ヘアコンディショニング剤は当該技術分野において周知であり、例えば、Ｇｒｅｅｎ  ｅｔ  ａｌ．（国際公開第０１０７００９号パンフレット）が参照され、様々な供給元から市販されている。ヘアコンディショニング剤の好適な例としては、カチオン性ポリマー（カチオン化グアーガム、ジアリル第４級アンモニウム塩／アクリルアミドコポリマー、四級化ポリビニルピロリドン及びその誘導体、並びに種々のポリクオタニウム化合物など）、カチオン性界面活性剤（塩化ステアラルコニウム、塩化セントリモニウム、及びサパミン塩酸塩など）、脂肪アルコール（ベヘニルアルコールなど）、脂肪アミン（ステアリルアミンなど）、ワックス、エステル、ノニオン性ポリマー（ポリビニルピロリドン、ポリビニルアルコール、及びポリエチレングリコールなど）、シリコーン、シロキサン（デカメチルシクロペンタシロキサンなど）、ポリマーエマルション（アモジメチコンなど）、並びにナノ粒子（シリカナノ粒子及びポリマーナノ粒子など）が挙げられるが、これらに限定されない。
【０１７２】
ヘアケア製品はまた、典型的には、美容的に許容可能な媒体中に見出される付加的な成分を含み得る。このような成分の非限定的な例は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ」，Ｎｉｎｔｈ  Ｅｄｉｔｉｏｎ，２００２、及びＣＴＦＡ  Ｃｏｓｍｅｔｉｃ  Ｉｎｇｒｅｄｉｅｎｔ  Ｈａｎｄｂｏｏｋ，Ｔｅｎｔｈ  Ｅｄｉｔｉｏｎ，２００４に開示されている。また、ヘアケアのための美容的に許容可能な媒体中に含まれることが多い成分の非限定的なリストは、Ｐｈｉｌｉｐｐｅ  ｅｔ  ａｌ．により米国特許第６，２８０，７４７号明細書において、及びＯｍｕｒａ  ｅｔ  ａｌ．により米国特許第６，１３９，８５１号明細書において、及びＣａｎｎｅｌｌ  ｅｔ  ａｌ．により米国特許第６，０１３，２５０号明細書において記載されている（これらは全て、参照により本明細書に組み込まれる）。例えば、ヘアケア組成物は水性、アルコール性、又は水−アルコール性の溶液であり得、水−アルコール性溶液の場合、好ましくは、アルコールは全重量に対して約１〜約７５重量％の比率のエタノール又はイソプロパノールである。さらに、ヘアケア組成物は、酸化防止剤、保存剤、充填剤、界面活性剤、ＵＶＡ及び／又はＵＶＢ日焼け止め、香料、増粘剤、ゲル化剤、湿潤剤及びアニオン性、ノニオン性又は両性ポリマー、並びに染料又は顔料を含むがこれらに限定されない、１つ以上の従来の化粧品又は皮膚科用添加剤又は補助剤を含有し得る。
【０１７３】
ヘアケア組成物及び方法はまた、毛髪、皮膚、又は爪の色を変化させるために使用され得る任意の染料、レーキ、顔料などの少なくとも１つのカラーリング剤を含み得る。ヘアカラーリング剤は当該技術分野において周知であり（例えば、Ｇｒｅｅｎ  ｅｔ  ａｌ．ｓｕｐｒａ，ＣＦＴＡ  Ｉｎｔｅｒｎａｔｉｏｎａｌ  Ｃｏｌｏｒ  Ｈａｎｄｂｏｏｋ，２ｎｄ  ｅｄ．，Ｍｉｃｅｌｌｅ  Ｐｒｅｓｓ，Ｅｎｇｌａｎｄ  （１９９２）及びＣｏｓｍｅｔｉｃ  Ｈａｎｄｂｏｏｋ，ＵＳ  Ｆｏｏｄ  ａｎｄ  Ｄｒｕｇ  Ａｄｍｉｎｉｓｔｒａｔｉｏｎ，ＦＤＡ／ＩＡＳ  Ｂｏｏｋｌｅｔ（１９９２）を参照）、様々な供給元（例えば、Ｂａｙｅｒ，Ｐｉｔｔｓｂｕｒｇｈ，ＰＡ；Ｃｉｂａ−Ｇｅｉｇｙ，Ｔａｒｒｙｔｏｗｎ，ＮＹ；ＩＣＩ，Ｂｒｉｄｇｅｗａｔｅｒ，ＮＪ；Ｓａｎｄｏｚ，Ｖｉｅｎｎａ，Ａｕｓｔｒｉａ；ＢＡＳＦ，Ｍｏｕｎｔ  Ｏｌｉｖｅ，ＮＪ；及びＨｏｅｃｈｓｔ，Ｆｒａｎｋｆｕｒｔ，Ｇｅｒｍａｎｙ）から市販されている。好適なヘアカラーリング剤としては、４−ヒドロキシプロピルアミノ−３−ニトロフェノール、４−アミノ−３−ニトロフェノール、２−アミノ−６−クロロ−４−ニトロフェノール、２−ニトロ−パラフェニレンジアミン、Ｎ，Ｎ−ヒドロキシエチル−２−ニトロ−フェニレンジアミン、４−ニトロ−インドール、Ｈｅｎｎａ、ＨＣ  Ｂｌｕｅ  １、ＨＣ  Ｂｌｕｅ  ２、ＨＣ  Ｙ
ｅｌｌｏｗ  ４、ＨＣ  Ｒｅｄ  ３、ＨＣ  Ｒｅｄ  ５、Ｄｉｓｐｅｒｓｅ  Ｖｉｏｌｅｔ  ４、Ｄｉｓｐｅｒｓｅ  Ｂｌａｃｋ  ９、ＨＣ  Ｂｌｕｅ  ７、ＨＣ  Ｂｌｕｅ  １２、ＨＣ  Ｙｅｌｌｏｗ  ２、ＨＣ  Ｙｅｌｌｏｗ  ６、ＨＣ  Ｙｅｌｌｏｗ  ８、ＨＣ
Ｙｅｌｌｏｗ  １２、ＨＣ  Ｂｒｏｗｎ  ２、Ｄ＆Ｃ  Ｙｅｌｌｏｗ  １、Ｄ＆Ｃ  Ｙｅｌｌｏｗ  ３、Ｄ＆Ｃ  Ｂｌｕｅ  １、Ｄｉｓｐｅｒｓｅ  Ｂｌｕｅ  ３、Ｄｉｓｐｅｒｓｅ  ｖｉｏｌｅｔ  １、エオシン誘導体（Ｄ＆Ｃ  Ｒｅｄ  Ｎｏ
．２１など）、及びハロゲン化フルオレセイン誘導体（Ｄ＆Ｃ  Ｒｅｄ  Ｎｏ．２７、Ｄ＆Ｃ  Ｒｅｄ  Ｏｒａｎｇｅ  Ｎｏ．５と、Ｄ＆Ｃ  Ｒｅｄ  Ｎｏ．２１、及びＤ＆Ｃ  Ｏｒａｎｇｅ  Ｎｏ．１０との組み合わせなど）などの染料と、Ｄ＆Ｃ  Ｒｅｄ  Ｎｏ．３６及びＤ＆Ｃ  Ｏｒａｎｇｅ  Ｎｏ．１７、Ｄ＆Ｃ  Ｒｅｄ  Ｎｏｓ．７、１１、３１及び３４のカルシウムレーキ、Ｄ＆Ｃ  Ｒｅｄ  Ｎｏ．１２のバリウムレーキ、Ｄ＆Ｃ  Ｒｅｄ  Ｎｏ．１３のストロンチウムレーキ、ＦＤ＆Ｃ  Ｙｅｌｌｏｗ  Ｎｏ．５、ＦＤ＆Ｃ  Ｙｅｌｌｏｗ  Ｎｏ．６、Ｄ＆Ｃ  Ｒｅｄ  Ｎｏ．２７、Ｄ＆Ｃ  Ｒｅｄ  Ｎｏ．２１、及びＦＤ＆Ｃ  Ｂｌｕｅ  Ｎｏ．１のアルミニウムレーキ、酸化鉄、マンガンバイオレット、酸化クロム、二酸化チタン、二酸化チタンナノ粒子、酸化亜鉛、酸化バリウム、ウルトラマリンブルー、クエン酸ビスマス、並びにカーボンブラック粒子などの顔料が挙げられるが、これらに限定されない。一実施形態において、ヘアカラーリング剤は、Ｄ＆Ｃ  Ｙｅｌｌｏｗ  １及び３、ＨＣ  Ｙｅｌｌｏｗ  ６及び８、Ｄ＆Ｃ  Ｂｌｕｅ  １、ＨＣ  Ｂｌｕｅ  １、ＨＣ  Ｂｒｏｗｎ  ２、ＨＣ  Ｒｅｄ  ５、２−ニトロ−パラフェニレンジアミン、Ｎ，Ｎ−ヒドロキシエチル−２−ニトロ−フェニレンジアミン、４−ニトロ−インドール、並びにカーボンブラックである。金属及び半導体ナノ粒子もまた、その強力な発光のためにヘアカラーリング剤として使用され得る（米国特許出願公開第２００４−００１０８６４号明細書（Ｖｉｃ  ｅｔ  ａｌ．））。
【０１７４】
ヘアケア組成物としては、シャンプー、コンディショナー、ローション、エアロゾル、ジェル、ムース、及び毛髪染料が挙げられ得るが、これらに限定されない。
【０１７５】
パーソナルケア製品は、ローション、クリーム、ペースト、バーム、軟膏、ポマード、ジェル、リキッド、又はこれらの組み合わせの形態であってもよい。パーソナルケア製品はまた、例えば、メーキャップ、リップスティック、マスカラ、ルージュ、ファンデーション、ブラシ、アイライナー、リップライナー、リップグロス、他の化粧品、サンスクリーン、サンブロック、マニキュア、ムース、ヘアスプレー、スタイリングジェル、ネイルコンディショナー、バスジェル、シャワージェル、ボディソープ、洗顔料、シャンプー、ヘアコンディショナー（リーブオン又はリンスアウト）、クリームリンス、毛髪染料、ヘアカラーリング製品、ヘアシャイン製品、ヘアセラム、毛髪縮れ防止製品、毛髪枝毛修復製品、リップバーム、スキンコンディショナー、コールドクリーム、保湿剤、ボディースプレー、石鹸、ボディスクラブ、剥離剤、収れん剤、スクラッフィングローション、脱毛剤、パーマネント液、ふけ防止配合物、制汗組成物、デオドラント、シェービング製品、プレシェーブ製品、アフターシェーブ製品、クレンジング剤、スキンジェル、リンス、歯磨き組成物、練り歯磨き、又はマウスウォッシュの形態であり得る。
【０１７６】
パーソナルケア製品は、本明細書にて開示したような多糖誘導体を含むことができ、サンスクリーン剤、保湿剤、湿潤剤、毛髪、皮膚、爪及び口に有益な剤、付着剤、例えば、界面活性剤、閉塞剤、水分バリア、潤滑剤、皮膚軟化剤、抗老化剤、帯電防止剤、研磨剤、抗菌剤、コンディショナー、剥離剤、芳香剤、粘性化剤、塩、脂質、リン脂質、ビタミン、気泡安定剤、ｐＨ調整剤、防腐剤、懸濁化剤、シリコーンオイル、シリコーン誘導体類、精油、油、脂肪、脂肪酸、脂肪酸エステル、脂肪族アルコール、ワックス、ポリオール、炭化水素、及びこれらの混合物を含む、パーソナルケア活性成分材料を更に含み得る。
【０１７７】
特定の実施形態において、スキンケア製品は、化粧効果をもたらしながら、皮膚疾患を治療若しくは予防するため、又は皮膚に保湿効果をもたらすための少なくとも１つの活性成分、例えば、酸化亜鉛、ワセリン、白色ワセリン、鉱油、タラ肝油、ラノリン、ジメチコン、硬質脂肪、ビタミンＡ、アラントイン、カラミン、カオリン、グリセリン、若しくはコロイド状オートミール、及びこれらの組み合わせを含み得る。スキンケア製品は、１種以上の天然保湿要素、例えば、セラミド、ヒアルロン酸、グリセリン、スクアラン、アミノ酸、コレステロール、脂肪酸、トリグリセリド、リン脂質、グリコスフィンゴ脂質、ウレア、リノール酸、グリコサミノグリカン、ムコ多糖、乳酸ナトリウム、又はピロリドンカルボン酸ナトリウムを含み得る。スキンケア製品に含まれ得る他の成分としては、限定されるものではないが、グリセリド、杏仁油、キャノーラ油、スクアラン、スクアレン、ココナツ油、コーン油、ホホバ油、ホホバワックス、レシチン、オリーブ油、ベニバナ油、ゴマ油、シアバター、大豆油、甘
扁桃油、ヒマワリ油、ティーツリー油、シアバター、パーム油、コレステロール、コレステロールエステル、ワックスエステル、脂肪酸、及びオレンジ油が挙げられる。
【０１７８】
組成物は、例えば、粉末、顆粒、ペースト、バー、単位用量又は液体などの任意の有用な形態であり得る。
【０１７９】
単位用量の形態は、水溶性であってもよく、例えば、水溶性フィルムと、液体又は固体の洗剤組成物と、を含む水溶性単位用量物品は、パウチとも称される。水溶性単位用量パウチは、少なくとも１つの区画内に液体又は固体の洗剤組成物を完全に封入する水溶性フィルムを備える。水溶性単位用量物品は、単一区画、又は複数区画を備え得る。水溶性単位用量物品は、少なくとも２つの区画、又は少なくとも３つの区画を備え得る。区画は、重ね合わせる向き、又は横並びの向きに配置され得る。
【０１８０】
単位用量物品は、典型的には、液体又は固体の洗濯洗剤組成物を含む内容積を囲む水溶性フィルムでできた密閉構造である。パウチは、組成物を、例えば、パウチからの組成物を、パウチが水に接触する前に解放させることなく、保持及び保護するために好適な、任意の形態及び形状であり得る。
【０１８１】
液体洗剤組成物は水性であってもよく、典型的には、最大約７０重量％の水と、０重量％〜約３０重量％の有機溶媒と、を含有する。それはまた、３０重量％以下の水を含有するコンパクトジェルタイプの形態であってもよい。
【０１８２】
ａ）少なくとも１つの疎水基、及びｂ）少なくとも１つの親水基で置換されている多糖を含む多糖誘導体であって、多糖が、ポリα−１，３−グルカン、ポリα−１，６−グルカン、又はポリα−１，３−１，６−グルカンである多糖誘導体は、所望の製品中の成分として使用してもよいか、又は１種以上の更なる好適な成分とブレンドして、例えば織物ケア用途、洗濯ケア用途、及び／又はパーソナルケア用途として使用してもよい。開示された組成物のいずれか、例えば織物ケア、洗濯ケア又はパーソナルケア組成物は、組成物の総乾燥重量に基づいて（乾燥固形分に基づいて）、０．０１〜９９重量％の範囲の多糖誘導体を含み得る。用語「総乾燥重量」は、任意の溶媒、例えば存在し得る任意の水を除いた組成物の重量を意味する。他の実施形態において、組成物は、０．１〜１０重量％、又は０．１〜９重量％、又は０．５〜８重量％、又は１〜７重量％、又は１〜６重量％、又は１〜５重量％、又は１〜４重量％、又は１〜３重量％、又は５〜１０重量％、又は１０〜１５重量％、又は１５〜２０重量％、又は２０〜２５重量％、又は２５〜３０重量％、又は３０〜３５重量％、又は３５〜４０重量％、又は４０〜４５重量％、又は４５〜５０重量％、又は５０〜５５重量％、又は５５〜６０重量％、又は６０〜６５重量％、又は６５〜７０重量％、又は７０〜７５重量％、又は７５〜８０重量％、又は８０〜８５重量％、又は８５〜９０重量％、又は９０〜９５重量％、又は９５〜９９重量％の多糖誘導体
を含み、ここで、重量パーセントは、組成物の総乾燥重量に基づく。
【０１８３】
組成物は、界面活性剤、酵素、洗剤ビルダー、錯化剤、ポリマー、汚れ放出ポリマー、界面活性増強ポリマー、漂白剤、漂白活性化剤、漂白触媒、織物コンディショナー、粘土、起泡増進剤、泡抑制剤、腐食防止剤、汚れ懸濁化剤、汚れ再付着防止剤、染料、殺菌剤、曇り防止剤、蛍光増白剤、香料、飽和若しくは不飽和脂肪酸、移染防止剤、キレート剤、色相染料、カルシウムカチオン、マグネシウムカチオン、視覚信号成分、消泡剤、構造化剤、増粘剤、固化防止剤、デンプン、砂、ゲル化剤、又はこれらの組み合わせのうちの少なくとも１つを更に含み得る。一実施形態において、酵素はセルラーゼである。別の実施形態において、酵素はプロテアーゼである。更に別の実施形態において、酵素はアミラーゼである。更なる実施形態において、酵素はリパーゼである。
【０１８４】
組成物は、例えば、織物ケア、洗濯ケア、パーソナルケアに有用な洗剤組成物であり得、１種以上の活性酵素を更に含有し得る。好適な酵素の非限定的な例としては、プロテアーゼ、セルラーゼ、ヘミセルラーゼ、ペルオキシダーゼ、脂肪分解酵素（例えば、金属脂肪分解酵素）、キシラナーゼ、リパーゼ、ホスホリパーゼ、エステラーゼ（例えば、アリールエステラーゼ、ポリエステラーゼ）、ペルヒドロラーゼ、クチナーゼ、ペクチナーゼ、ペクチン酸リアーゼ、マンナナーゼ、ケラチナーゼ、レダクターゼ、オキシダーゼ（例えば、コリンオキシダーゼ）、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、メタロプロテイナーゼ、アマドリアーゼ、グルコアミラーゼ、アラビノフラノシダーゼ、フィターゼ、イソメラーゼ、トランスフェラーゼ、アミラーゼ、又はこれらの組み合わせが挙げられる。酵素が含まれる場合、組成物の総重量に基づいて、約０．０００１〜０．１重量％の活性酵素で組成物中に存在し得る。他の実施形態において、酵素は、組成物の総重量に基づいて、（例えば、純粋酵素タンパク質として計算して）約０．０１〜０．０３重量％の活性酵素で存在し得る。いくつかの実施形態において、２種以上の酵素の組み合わせが、組成物中で使用され得る。いくつかの実施形態において、２種以上の酵素は、セルラーゼ及び、プロテアーゼ、ヘミセルラーゼ、ペルオキシダーゼ、脂肪分解酵素、キシラナーゼ、リパーゼ、ホスホリパーゼ、エステラーゼ、ペルヒドロラーゼ、クチナーゼ、ペクチナーゼ、ペクチン酸リアーゼ、マンナナーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、メタロプロテイナーゼ、アマドリアーゼ、グルコアミラーゼ、アラビノフラノシダーゼ、フィターゼ、イソメラーゼ、トランスフェラーゼ、アミラーゼ、又はこれらの組み合わせのうちの１種以上である。
【０１８５】
いくつかの実施形態において、組成物は、各酵素が、組成物の総重量に基づいて、約０．００００１重量％〜約１０重量％で存在する１種以上の酵素を含み得る。いくつかの実施形態において、組成物はまた、組成物の総重量を基準として、約０．０００１重量％〜約１０重量％、約０．００１重量％〜約５重量％、約０．００１重量％〜約２重量％、又は約０．００５重量％〜約０．５重量％の濃度で各酵素を含み得る。
【０１８６】
セルラーゼは、エンドセルラーゼ活性（ＥＣ３．２．１．４）、エキソセルラーゼ活性（ＥＣ３．２．１．９１）又はセロビアーゼ活性（ＥＣ３．２．１．２１）を有し得る。セルラーゼは、セルラーゼ活性を維持するための好適な条件下で活性を有する「活性セルラーゼ」である；このような好適な条件を決定することは、当該技術分野の範囲内である。セルロースを分解できることに加えて、特定の実施形態におけるセルラーゼは、カルボキシメチルセルロースなどのセルロースエーテル誘導体をまた分解することができる。
【０１８７】
セルラーゼは、細菌又は真菌などの任意の微生物源由来であり得る。化学変性されたセルラーゼ又はタンパク質工学により産出された突然変異体セルラーゼが含まれる。好適なセルラーゼとしては、例えば、バチルス（Ｂａｃｉｌｌｕｓ）属、シュードモナス（Ｐｓｅｕｄｏｍｏｎａｓ）属、ストレプトミセス（Ｓｔｒｅｐｔｏｍｙｃｅｓ）属、トリコデルマ（Ｔｒｉｃｈｏｄｅｒｍａ）属、フミコーラ（Ｈｕｍｉｃｏｌａ）属、フザリウム（Ｆｕｓａｒｉｕｍ）属、チエラビア（Ｔｈｉｅｌａｖｉａ）属、及びアクレモニウム（Ａｃｒｅｍｏｎｉｕｍ）属からのセルラーゼが挙げられる。他の例として、セルラーゼは、フミコーラ・インソレンス（Ｈｕｍｉｃｏｌａ  ｉｎｓｏｌｅｎｓ）、マイセリオフトラ・サーモフィレ（Ｍｙｃｅｌｉｏｐｈｔｈｏｒａ  ｔｈｅｒｍｏｐｈｉｌｅ）、フザリウム・オキシスポラム（Ｆｕｓａｒｉｕｍ  ｏｘｙｓｐｏｒｕｍ）、トリコデルマ・リーセイ（Ｔｒｉｃｈｏｄｅｒｍａ  ｒｅｅｓｅｉ）、又はこれらの組み合わせから誘導され得る。前述のいずれかなどのセルラーゼは、Ｎ末端シグナルペプチドが欠損している成熟型であり得る。本明細書で有用である市販のセルラーゼとしては、ＣＥＬＬＵＳＯＦＴ（登録商標）、ＣＥＬＬＵＣＬＥＡＮ（登録商標）、ＣＥＬＬＵＺＹＭＥ（登録商標）、及びＣＡＲＥＺＹＭＥ（登録商標）（Ｎｏｖｏｚｙｍｅｓ  Ａ／Ｓ）；ＣＬＡＺＩＮＡＳＥ（登録商標）、及びＰＵＲＡＤＡＸ（登録商標）ＨＡ、及びＲＥＶＩＴＡＬＥＮＺ（商標）（ＤｕＰｏｎｔ  Ｉｎｄｕｓｔｒｉａｌ  Ｂｉｏｓｃｉｅｎｃｅｓ）、ＢＩＯＴＯＵＣＨ（登録商標）（ＡＢ  Ｅｎｚｙｍｅｓ）；並びにＫＡＣ−５００（Ｂ）（登録商標）（花王株式会社）が挙げられる。
【０１８８】
あるいは、本明細書のセルラーゼは、当該技術分野で公知の任意の手段によって製造され得、例えば、セルラーゼは、微生物又は真菌異種発現系などの異種発現系で組み換えにより製造され得る。異種発現系の例としては、細菌（例えば、大腸菌（Ｅ．ｃｏｌｉ）、バチルス種（Ｂａｃｉｌｌｕｓ  ｓｐ．））、及び真核細胞系が挙げられる。真核細胞系は、例えば、酵母（例えば、ピチア種（Ｐｉｃｈｉａ  ｓｐ．）、サッカロミセス種（Ｓａｃｃｈａｒｏｍｙｃｅｓ  ｓｐ．））、又は真菌（例えば、Ｔ．リーゼイ（Ｔ．ｒｅｅｓｅｉ）などのトリコデルマ種（Ｔｒｉｃｈｏｄｅｒｍａ  ｓｐ．）、Ａ．ニガー（Ａ．ｎｉｇｅｒ）などのアスペルギルス種（Ａｓｐｅｒｇｉｌｌｕｓ  ｓｐ．））発現系を用いることができる。
【０１８９】
特定の実施形態におけるセルラーゼは、熱安定性であり得る。セルラーゼ熱安定性は、ある時間（例えば、約３０〜６０分間）にわたる高温（例えば、約６０〜７０℃）への曝露後に酵素が活性を保持する能力を意味する。セルラーゼの熱安定性は、その時間中に規定条件下でセルラーゼ活性の半分が失われる分、時間又は日単位で与えられるその半減期（ｔ１／２）によって測定することができる。
【０１９０】
特定の実施形態におけるセルラーゼは、広範囲のｐＨ値（例えば、約７．０〜約１１．０などの中性又はアルカリ性ｐＨ）まで安定であり得る。このような酵素は、このようなｐＨ条件下で、所定の期間（例えば、少なくとも約１５分、３０分、又は１時間）安定を維持し得る。
【０１９１】
少なくとも１つ、２つ、又はそれ以上のセルラーゼが、組成物中に含まれ得る。本明細書の組成物中のセルラーゼの総量は、典型的には、組成物中にセルラーゼを使用する目的に好適な量（「有効量」）である。例えば、セルロース含有織物の感触及び／又は外観を改善することを目的とした組成物中の有効量のセルラーゼは、織物の感触に測定可能な改善をもたらす（例えば、織物の滑らかさ及び／又は外観を改善し、織物の外観の鮮明さを低下させがちな毛玉及び小繊維を除去する）量である。別の例として、本明細書の織物ストーンウォッシュ組成物中の有効量のセルラーゼは、所望の効果（例えば、継ぎ目及び織物パネルに磨耗及び色あせた外観を生じさせるため）を提供する量である。本明細書の組成物中のセルラーゼの量は、例えば、組成物が使用されるプロセスパラメータ（例えば、
機器、温度、時間など）及びセルラーゼ活性にも依存し得る。織物が処理される水溶性組成物中のセルラーゼの有効濃度は、当業者が容易に決定することができる。織物ケアプロセスにおいて、セルラーゼは、織物が処理される水溶性組成物（例えば、洗浄液）中に、例えば、最低約０．０１〜０．１ｐｐｍの全セルラーゼタンパク質、又は約０．１〜１０ｐｐｂの全セルラーゼタンパク質（例えば、１ｐｐｍ未満）から、最大で約１００、２００、５００、１０００、２０００、３０００、４０００、又は５０００ｐｐｍまでの全セルラーゼタンパク質である濃度で処理される。
【０１９２】
好適な酵素は、当該技術分野において公知であり、例えば、ＭＡＸＡＴＡＳＥ（登録商標）、ＭＡＸＡＣＡＬ（商標）、ＭＡＸＡＰＥＭ（商標）、ＯＰＴＩＣＬＥＡＮ（登録商標）、ＯＰＴＩＭＡＳＥ（登録商標）、ＰＲＯＰＥＲＡＳＥ（登録商標）、ＰＵＲＡＦＥＣＴ（登録商標）、ＰＵＲＡＦＥＣＴ（登録商標）ＯＸＰ、ＰＵＲＡＭＡＸ（商標）、ＥＸＣＥＬＬＡＳＥ（商標）、ＰＲＥＦＥＲＥＮＺ（商標）プロテアーゼ（例えば、Ｐ１００、Ｐ１１０、Ｐ２８０）、ＥＦＦＥＣＴＥＮＺ（商標）プロテアーゼ（例えば、Ｐ１０００、Ｐ１０５０、Ｐ２０００）、ＥＸＣＥＬＬＥＮＺ（商標）プロテアーゼ（例えば、Ｐ１０００）、ＵＬＴＩＭＡＳＥ（登録商標）、及びＰＵＲＡＦＡＳＴ（商標）（Ｇｅｎｅｎｃｏｒ）；ＡＬＣＡＬＡＳＥ（登録商標）、ＳＡＶＩＮＡＳＥ（登録商標）、ＰＲＩＭＡＳＥ（登録商標）、ＤＵＲＡＺＹＭ（商標）、ＰＯＬＡＲＺＹＭＥ（登録商標）、ＯＶＯＺＹＭＥ（登録商標）、ＫＡＮＮＡＳＥ（登録商標）、ＬＩＱＵＡＮＡＳＥ（登録商標）、ＮＥＵＴＲＡＳＥ（登録商標）、ＲＥＬＡＳＥ（登録商標）、及びＥＳＰＥＲＡＳＥ（登録商標）（Ｎｏｖｏｚｙｍｅｓ）；ＢＬＡＰ（商標）、及びＢＬＡＰ（商標）変異体（Ｈｅｎｋｅｌ  Ｋｏｍｍａｎｄｉｔｇｅｓｅｌｌｓｃｈａｆｔ  ａｕｆ  Ａｋｔｉｅｎ，Ｄｕｅｓｓｅｌｄｏｒｆ，Ｇｅｒｍａｎｙ）、及びＫＡＰ（Ｂ．アルカロフィルス（Ｂ．ａｌｋａｌｏｐｈｉｌｕｓ）サブチリシン；花王株式会社、日本国東京）プロテアーゼ；ＭＡＮＮＡＳＴＡＲ（登録商標）、ＰＵＲＡＢＲＩＴＥ（商標）、及びＭＡＮＮＡＷＡＹ（登録商標）マンナーゼ；Ｍ１  ＬＩＰＡＳＥ（商標）、ＬＵＭＡ  ＦＡＳＴ（商標）、及びＬＩＰＯＭＡＸ（商標）（Ｇｅｎｅｎｃｏｒ）；ＬＩＰＥＸ（登録商標）、ＬＩＰＯＬＡＳＥ（登録商標）、及びＬＩＰＯＬＡＳＥ（登録商標）ＵＬＴＲＡ（Ｎｏｖｏｚｙｍｅｓ）；並びにＬＩＰＡＳＥ  Ｐ（商標）「Ａｍａｎｏ」（天野製薬株式会社、日本）リパーゼ；ＳＴＡＩＮＺＹＭＥ（登録商標）、ＳＴＡＩＮＺＹＭＥ  ＰＬＵＳ（登録商標）、ＮＡＴＡＬＡＳＥ（登録商標）、ＤＵＲＡＭＹＬ（登録商標）、ＴＥＲＭＡＭＹＬ（登録商標）、ＴＥＲＭＡＭＹＬ  ＵＬＴＲＡ（登録商標）、ＦＵＮＧＡＭＹＬ（登録商標）、及びＢＡＮ（商標）（Ｎｏｖｏ  Ｎｏｒｄｉｓｋ  Ａ／Ｓ及びＮｏｖｏｚｙｍｅｓ
Ａ／Ｓ）；ＲＡＰＩＤＡＳＥ（登録商標）、ＰＯＷＥＲＡＳＥ（登録商標）、ＰＵＲＡＳＴＡＲ（登録商標）、及びＰＲＥＦＥＲＥＮＺ（商標）（ＤｕＰｏｎｔ  Ｉｎｄｕｓｔｒｉａｌ  Ｂｉｏｓｃｉｅｎｃｅｓ）アミラーゼ；ＧＵＡＲＤＺＹＭＥ（商標）（Ｎｏｖｏ  Ｎｏｒｄｉｓｋ  Ａ／Ｓ及びＮｏｖｏｚｙｍｅｓ  Ａ／Ｓ）ペルオキシダーゼ、又はこれらの組み合わせを挙げることができる。
【０１９３】
いくつかの実施形態において、組成物中の酵素は、従来の安定化剤、例えば、プロピレングリコール又はグリセロールなどのポリオール；糖又は糖アルコール；乳酸；ホウ酸又はホウ酸誘導体（例えば、芳香族ボレートエステル）を使用して安定化することができる。
【０１９４】
本明細書において、洗剤組成物は、典型的には、１種以上の界面活性剤を含み、界面活性剤は、ノニオン性界面活性剤、アニオン性界面活性剤、カチオン性界面活性剤、両性界面活性剤、双性イオン性界面活性剤、半極性ノニオン性界面活性剤及びこれらの混合物から選択される。界面活性剤は、石油由来（合成とも称される）でも非石油由来（天然とも称される）であってもよい。いくつかの実施形態において、界面活性剤は、洗浄組成物の約０．１重量％〜約６０重量％の濃度で存在し、代替実施形態において、濃度は約１重量
％〜約５０重量％であり、更に別の実施形態において、濃度は約５重量％〜約４０重量％である。洗剤は、通常は０重量％〜約５０重量％のアニオン性界面活性剤、例えば直鎖状アルキルベンゼンスルホネート（ＬＡＳ）、α−オレフィンスルホネート（ＡＯＳ）、アルキルサルフェート（高級アルコールサルフェート）（ＡＳ）、アルコールエトキシサルフェート（ＡＥＯＳ又はＡＥＳ）、第二級アルカンスルホネート（ＳＡＳ）、α−スルホ脂肪酸メチルエステル、アルキル若しくはアルケニルコハク酸、又は石鹸などを含有するであろう。
【０１９５】
洗剤組成物は、式Ｒ１−（ＯＣＨ２ＣＨ２）ｘ−Ｏ−ＳＯ３Ｍ［式中、Ｒ１は、非石油由来の、約Ｃ８〜約Ｃ２０の偶数の炭素鎖長からなる直鎖又は分枝鎖脂肪族アルコールであり、ｘは、約０．５〜約８であり、Ｍはアルカリ金属又はアンモニウムカチオンである］のアルコールエトキシサルフェートを含み得る。アルコールエトキシサルフェートの脂肪族アルコール部分（Ｒ１）は、地質的に誘導される（例えば、石油由来）のではなく、再生可能資源（例えば、動物又は植物由来）から誘導される。再生可能資源から誘導される脂肪族アルコールは、天然脂肪族アルコールと呼んでよい。天然脂肪族アルコールは、末端炭素に結合した単一のアルコール（−ＯＨ）と共に偶数個の炭素原子を有する。界面活性剤の脂肪族アルコール部分（Ｒ１）は、偶数の炭素鎖長、例えば、Ｃ１２、Ｃ１４、Ｃ１６、Ｃ１８などの分布を含み得る。
【０１９６】
加えて、洗剤組成物は、任意選択的に０重量％〜約４０重量％のノニオン性界面活性剤、例えば、アルコールエトキシレート（ＡＥＯ又はＡＥ）、カルボキシル化アルコールエトキシレート、ノニルフェノールエトキシレート、アルキルポリグリコシド、アルキルジメチルアミンオキシド、エトキシル化脂肪酸モノエタノールアミン、脂肪酸モノエタノールアミド、又はポリヒドロキシアルキル脂肪酸アミドを含有してもよい。洗剤組成物は、式Ｒ２−（ＯＣＨ２ＣＨ２）ｙ−ＯＨ［式中、Ｒ２は、非石油由来の、約Ｃ１０〜約Ｃ１８の偶数の炭素鎖長からなる直鎖又は分枝鎖脂肪族アルコールであり、ｙは、約０．５〜約１５である］のアルコールエトキシレートを含み得る。アルコールエトキレートの脂肪族アルコール部分（Ｒ２）は、地質的に誘導される（例えば、石油由来）のではなく、再生可能資源（例えば、動物又は植物由来）から誘導される。界面活性剤の脂肪族アルコール部分（Ｒ２）は、偶数の炭素鎖長、例えば、Ｃ１２、Ｃ１４、Ｃ１６、Ｃ１８などの分布を含み得る。
【０１９７】
組成物は、１種以上の洗剤ビルダー又はビルダー系を更に含み得る。少なくとも１種のビルダーを組み込んでいるいくつかの実施形態において、組成物は、組成物の総重量に基づいて、少なくとも約１重量％、約３重量％〜約６０重量％、又は約５重量％〜約４０重量％のビルダーを含む。ビルダーとしては、例えば、アルカリ金属、ポリホスフェートのアンモニウム塩及び／若しくはアルカノールアンモニウム塩、アルカリ金属シリケート、アルカリ土類及びアルカリ金属カーボネート、アルミノシリケート、ポリカルボキシレート化合物、エーテルヒドロキシポリカルボキシレート、マレイン酸無水物とエチレン若しくはビニルメチルエーテルとのコポリマー、１，３，５−トリヒドロキシベンゼン−２，４，６−トリスルホン酸、及びカルボキシメチルオキシコハク酸、ポリ酢酸の様々なアルカリ金属塩、アンモニウム塩及び置換アンモニウム塩、例えばエチレンジアミン四酢酸及びニトリロ三酢酸、並びにポリカルボキシレート、例えばメリット酸、コハク酸、クエン酸、オキシジコハク酸、ポリマレイン酸、ベンゼン１，３，５−トリカルボン酸、カルボキシメチルオキシコハク酸、及びこれらの可溶塩が挙げられる。洗剤ビルダー又は錯化剤の例としては、ゼオライト、ジホスフェート、トリホスフェート、ホスホネート、シトレート、ニトリロ三酢酸（ＮＴＡ）、エチレンジアミン四酢酸（ＥＤＴＡ）、ジエチレントリアミン五酢酸（ＤＴＭＰＡ）、アルキルコハク酸又はアルケニルコハク酸、可溶シリケート又は層状シリケート（例えば、ＨｏｅｃｈｓｔからのＳＫＳ−６）が挙げられる。洗剤は、未構築、すなわち本質的に洗剤ビルダーを含まないものでもよい。
【０１９８】
組成物は、少なくとも１種のキレート剤を更に含み得る。好適なキレート剤としては、例えば、銅、鉄及び／又はマンガンキレート剤、並びにこれらの混合物が挙げられる。少なくとも１種のキレート剤が使用されるいくつかの実施形態において、組成物は、組成物の総重量に基づいて、約０．１重量％〜約１５重量％、又は更には約３．０重量％〜約１０重量％のキレート剤を含む。
【０１９９】
組成物は、少なくとも１種の沈着助剤を更に含み得る。好適な沈着助剤としては、例えば、ポリエチレングリコール、ポリプロピレングリコール、ポリカルボキシレート、ポリテレフタル酸などの汚れ放出ポリマー、カオリナイト、モンモリロナイト、アタパルジャイト、イライト、ベントナイト、ハロイサイトなどの粘土又はこれらの組み合わせが挙げられる。
【０２００】
組成物は、１種以上の移染防止剤を更に含み得る。好適な移染防止剤としては、例えば、ポリビニルピロリドンポリマー、ポリアミンＮ−オキシドポリマー、Ｎ−ビニルピロリドンとＮ−ビニルイミダゾールとのコポリマー、ポリビニルオキサゾリドン、ポリビニルイミダゾール、マンガンフタロシアニン、ペルオキシダーゼ、ポリビニルピロリドンポリマー、エチレンジアミン−四酢酸（ＥＤＴＡ）；ジエチレントリアミンペンタメチレンホスホン酸（ＤＴＰＭＰ）；ヒドロキシ−エタンジホスホン酸（ＨＥＤＰ）；エチレンジアミンＮ，Ｎ’−ジコハク酸（ＥＤＤＳ）；メチルグリシン二酢酸（ＭＧＤＡ）；ジエチレントリアミン五酢酸（ＤＴＰＡ）；プロピレンジアミン四酢酸（ＰＤＴＡ）；２−ヒドロキシピリジン−Ｎ−オキシド（ＨＰＮＯ）；又はメチルグリシン二酢酸（ＭＧＤＡ）；グルタミン酸Ｎ，Ｎ−二酢酸（Ｎ，Ｎ−ジカルボキシメチルグルタミン酸四ナトリウム塩）（ＧＬＤＡ）；ニトリロ三酢酸（ＮＴＡ）；４，５−ジヒドロキシ−ｍ−ベンゼンジスルホン酸；クエン酸、及びこれらの任意の塩；Ｎ−ヒドロキシエチルエチレンジアミン三酢酸（ＨＥＤＴＡ）、トリエチレンテトラアミン六酢酸（ＴＴＨＡ）、Ｎ−ヒドロキシエチルイミノ二酢酸（ＨＥＩＤＡ）、ジヒドロキシエチルグリシン（ＤＨＥＧ）、エチレンジアミンテトラプロピオン酸（ＥＤＴＰ）、並びにこれらの誘導体又はこれらの組み合わせが挙げられる。少なくとも１種の移染防止剤が使用される実施形態において、組成物は、組成物の総重量に基づいて、約０．０００１重量％〜約１０重量％、約０．０１重量％〜約５重量％、又は更には約０．１重量％〜約３重量％の移染防止剤を含み得る。
【０２０１】
組成物は、シリケートを更に含み得る。好適なシリケートとしては、例えば、ケイ酸ナトリウム、二ケイ酸ナトリウム、メタケイ酸ナトリウム、結晶性フィロシリケート、又はこれらの組み合わせを挙げることができる。いくつかの実施形態において、シリケートは、組成物の総重量に基づいて、約１重量％〜約２０重量％の濃度で存在し得る。他の実施形態において、シリケートは、組成物の総重量を基準として、約５重量％〜約１５重量％の濃度で存在し得る。
【０２０２】
組成物は、分散剤を更に含み得る。好適な水溶性有機材料としては、例えば、その中でポリカルボン酸が２個以下の炭素原子で互いに分離された少なくとも２つのカルボキシル基を含むホモポリマー酸若しくはコポリマー酸、又はこれらの塩を挙げることができる。
【０２０３】
組成物は、本発明のポリα−１，３−グルカン、ポリα−１，６−グルカン、又はポリα−１，３−１，６−グルカン誘導体に加えて、１種以上の他のポリマーを更に含み得る。本明細書において有用なポリマーの他の種類の例としては、カルボキシメチルセルロース（ＣＭＣ）、ポリ（ビニルピロリドン）（ＰＶＰ）、ポリエチレングリコール（ＰＥＧ）、ポリ（ビニルアルコール）（ＰＶＡ）、ポリカルボキシレート、例えば、ポリアクリレート、マレイン酸／アクリル酸コポリマー及びラウリルメタクリレート／アクリル酸コポリマーが挙げられる。
【０２０４】
組成物は、漂白系を更に含み得る。例えば、漂白系としては、過酸形成漂白活性化剤、例えば、ドデカノイルオキシベンゼンスルホネート、デカノイルオキシベンゼンスルホネート、デカノイルオキシ安息香酸若しくはその塩、テトラアセチルエチレンジアミン（ＴＡＥＤ）、又はナノニルオキシベンゼンスルホネート（ＮＯＢＳ）と結合し得る、ペルボレート、ペルカーボネート、ペルハイドレート塩などのＨ２Ｏ２源、ペルボレート、ペルサルフェート、ペルホスフェート、ペルシリケートの一水和物又は四水和物ナトリウム塩、ペルカルボン酸及び塩、過炭酸及び塩、ペルイミド酸及び塩、ペルオキシモノ硫酸酸及び塩、スルホン化亜鉛フタロシアニン、スルホン化アルミニウムフタロシアニン、キサンテン染料を挙げることができる。あるいは、漂白系は、ペルオキシ酸（例えば、アミド、イミド又はスルホンタイプのペルオキシ酸）を含み得る。他の実施形態において、漂白系は、ペルヒドロラーゼを含む酵素的漂白系であり得る。上述のうち任意のものの組み合わせもまた、使用してよい。
【０２０５】
組成物は、従来の洗剤成分、例えば、織物コンディショナー、粘土、起泡増進剤、泡抑制剤、腐食防止剤、汚れ懸濁化剤、汚れ再付着防止剤、染料、殺菌剤、曇り防止剤、蛍光増白剤、又は香料を更に含み得る。本明細書における洗剤組成物の（使用濃度にある水溶液中で測定した）ｐＨは、中性又はアルカリ性（例えば、約７．０〜約１１．０のｐＨ）であり得る。
【０２０６】
組成物は、洗剤組成物、任意選択的には、重質（万能）洗濯洗剤組成物であり得る。いくつかの実施形態において、洗剤組成物は、アニオン洗浄性界面活性剤（直鎖若しくは分枝鎖若しくはランダム鎖の、置換若しくは非置換アルキルサルフェート、アルキルスルホネート、アルキルアルコキシル化サルフェート、アルキルホスフェート、アルキルホスホネート、アルキルカルボキシレート、及び／又はこれらの混合物の群から選択される）、及び任意選択的にノニオン性界面活性剤（直鎖若しくは分枝鎖若しくはランダム鎖の、置換若しくは非置換アルキルアルコキシル化アルコール、例えばＣ８〜Ｃ１８アルキルエトキシ化アルコール、及び／又はＣ６〜Ｃ１２アルキルフェノールアルコキシレートの群から選択される）などの洗浄性界面活性剤（１０％〜４０％ｗｔ／ｗｔ）を含むことができ、ここで、アニオン洗浄性界面活性剤（６．０〜９の親水性指数（ＨＩｃ）を有する）対ノニオン洗浄性界面活性剤の重量比は、１：１よりも大きい。好適な洗浄性界面活性剤としてはまた、カチオン洗浄性界面活性剤（アルキルピリジニウム化合物、アルキル第四級アンモニウム化合物、アルキル第四級ホスホニウム化合物、アルキル三元スルホニウム化合物及び／又はこれらの混合物の群から選択される）；双性及び／又は両性（ａｍｐｈｏｔｅｒｉｃ）洗浄性界面活性剤（アルカノールアミンスルホベタインの群から選択される）；両性（ａｍｐｈｏｌｙｔｉｃ）界面活性剤；半極性ノニオン性界面活性剤、並びにこれらの混合物が挙げられる。
【０２０７】
組成物は、洗剤組成物であり得、任意選択的に、例えば、両親媒性アルコキシル化グリース洗浄ポリマーからなる界面活性増強ポリマーが挙げられる。好適な両親媒性アルコキシル化グリース洗浄ポリマーとしては、例えば、分枝鎖親水性及び疎水性を有するアルコキシル化ポリマー（例えば、アルコキシル化ポリアルキレンイミン）、モノマー（例えば、不飽和Ｃ１〜Ｃ６カルボン酸、エーテル、アルコール、アルデヒド、ケトン、エステル、糖単位、アルコキシ単位、マレイン酸無水物、飽和ポリアルコール（例えばグリセロール）、及びこれらの混合物）を含む親水性主鎖；及び疎水性側鎖、例えば、１つ以上のＣ４〜Ｃ２５アルキル基、ポリプロピレン、ポリブチレン、飽和Ｃ１〜Ｃ６モノ−カルボン酸のビニルエステル、アクリル酸又はメタクリル酸のＣ１〜Ｃ６アルキルエステル、及びこれらの混合物を有するランダムグラフトポリマーを挙げることができる。
【０２０８】
好適な重質洗濯洗剤組成物としては、任意選択的に、更なるポリマー、例えば汚れ放出
ポリマー（アニオンで末端キャップされたポリエステル、例えばＳＲＰ１、ランダム又はブロック構造の糖、ジカルボン酸、ポリオール及びこれらの組み合わせから選択される少なくとも１種のモノマー単位を含むポリマー、ランダム又はブロック構造のエチレンテレフタレート系ポリマー及びこれらのコポリマー、例えばＲＥＰＥＬ−Ｏ−ＴＥＸ  ＳＦ、ＳＦ−２及びＳＲＰ６、ＴＥＸＣＡＲＥ  ＳＲＡ１００、ＳＲＡ３００、ＳＲＮ１００、ＳＲＮ１７０、ＳＲＮ２４０、ＳＲＮ３００及びＳＲＮ３２５、ＭＡＲＬＯＱＵＥＳＴ  ＳＬ）を挙げることができ、再付着防止ポリマーとしては、カルボキシレートポリマー、例えばアクリル酸、マレイン酸（又はマレイン酸無水物）、フマル酸、イタコン酸、アコニット酸、メサコン酸、シトラコン酸、メチレンマロン酸、及びこれらの任意の混合物、ビニルピロリドンホモポリマー及び／又はポリエチレングリコール（５００〜１００，０００ダルトン（Ｄａ）の範囲の分子量）から選択される少なくとも１種のモノマーを含むポリマー；並びにポリマーカルボキシレート（例えば、マレエート／アクリレートランダムコポリマー又はポリアクリレートホモポリマー）を挙げることができる。存在する場合、汚れ放出ポリマーは、組成物の総重量に基づいて、０．１重量％〜１０重量％で含まれ得る。
【０２０９】
重質洗濯洗剤組成物は、任意選択的に、飽和又は不飽和脂肪酸、好ましくは飽和又は不飽和Ｃ１２〜Ｃ２４脂肪酸；沈着助剤（例えば、多糖類、セルロースポリマー、ポリジアリルジメチルアンモニウムハロゲン化物（ＤＡＤＭＡＣ）、並びにランダム又はブロック構造のＤＡＤＭＡＣとビニルピロリドン、アクリルアミド、イミダゾール、イミダゾリウムハロゲン化物、及びこれらの混合物とのコポリマー、カチオン性グアールガム、カチオン性デンプン、カチオン性ポリアクリルアミド、並びにこれらの組み合わせ）を更に含み得る。存在する場合、脂肪酸及び／又は沈着助剤は、各々、組成物の総重量に基づいて、０．１重量％〜１０重量％で存在し得る。
【０２１０】
洗剤組成物は、任意選択的に、シリコーン若しくは脂肪酸系泡抑制剤；色相染料、カルシウム及びマグネシウムカチオン、視覚信号成分、消泡剤（組成物の総重量に基づいて、０．００１重量％〜約４．０重量％）並びに／又はジグリセリド及びトリグリセリド、エチレングリコールジステアレート、微結晶セルロース、マイクロファイバーセルロース、バイオポリマー、キサンタンガム、ジェランガム、並びにこれらの混合物からなる群から選択される構造化剤／増粘剤（組成物の総重量に基づいて、０．０１重量％〜５重量％）を含み得る。
【０２１１】
本明細書で開示される組成物は、食器洗い用洗剤組成物の形態であり得る。食器洗い用洗剤の例としては、自動食器洗い用洗剤（典型的には、食器洗い機で使用される）及び手洗い食器用洗剤が挙げられる。食器洗い用洗剤組成物は、例えば、本明細書に開示された任意の乾燥又は液体／水性形態であり得る。食器洗い用洗剤組成物の特定の実施形態に含まれ得る成分としては、例えば、ホスフェート；酸素系若しくは塩素系漂白剤；ノニオン性界面活性剤；アルカリ性塩（例えば、メタシリケート；アルカリ金属水酸化物、炭酸ナトリウム）；本明細書で開示される任意の活性酵素；防錆剤（例えば、ケイ酸ナトリウム）；消泡剤；セラミックスからの艶及び模様の除去を減速するための添加物；香料；固化防止剤（顆粒状洗剤中）；デンプン（錠剤系洗剤中）；ゲル化剤（液体／ジェル系洗剤中）；及び／又は砂（粉末状洗剤）のうちの１つ以上が挙げられる。
【０２１２】
多糖誘導体に加えて、食器洗い用洗剤組成物は、（ｉ）０〜１０重量％の範囲の、任意のエトキシル化ノニオン性界面活性剤、アルコールアルコキシル化界面活性剤、エポキシキャップされたポリ（オキシアルキル化）アルコール、若しくはアミンオキシド界面活性剤を含むノニオン性界面活性剤；（ｉｉ）任意のホスフェートビルダー（例えば、モノホスフェート、ジホスフェート、トリポリホスフェート、その他のオリゴマーポリホスフェート、ナトリウムトリポリホスフェート−ＳＴＰＰ）、任意の無リンビルダー（例えば、
メチル−グリシン二酢酸［ＭＧＤＡ］及びこれらの塩若しくは誘導体、グルタミン−Ｎ，Ｎ−二酢酸［ＧＬＤＡ］及びこれらの塩若しくは誘導体、イミノ二酢酸（ＩＤＳ）及びこれらの塩若しくは誘導体、カルボキシメチルイヌリン及びこれらの塩若しくは誘導体、ニトリロ三酢酸［ＮＴＡ］、ジエチレントリアミン五酢酸［ＤＴＰＡ］、Ｂ−アラニン二酢酸［Ｂ−ＡＤＡ］及びこれらの塩を含むアミノ酸系化合物）、ポリカルボン酸及びこれらの部分若しくは完全中和塩のホモポリマー及びコポリマー、０．５重量％〜５０重量％の範囲のモノマーポリカルボン酸及びヒドロキシカルボン酸及びこれらの塩若しくは約０．１重量％〜約５０重量％の範囲のスルホン化／カルボキシル化ポリマーを含む約５〜６０重量％の範囲のビルダー；（ｉｉｉ）約０．１重量％〜約１０重量％の範囲の乾燥助剤（例えば、任意選択的に３〜６個の官能基を有する更なるモノマー、例えば、重縮合を誘導する酸、アルコール若しくはエステル官能基を備えるモノマーと一緒にポリエステル、特にアニオン性ポリエステル、ポリカーボネート−、ポリウレタン−及び／又はポリウレア−ポリオルガノシロキサン化合物若しくはこれらの前駆体化合物、特に反応性環状カーボネート及びウレアタイプの）；（ｉｖ）約１重量％〜約２０重量％の範囲内のシリケート（例えば、ケイ酸ナトリウム若しくはカリウム、例えば二ケイ酸ナトリウム、メタケイ酸ナトリウム及び結晶性フィロシリケート）；（ｖ）無機漂白剤（例えば、ペルボレート塩、ペルカーボネート塩、ペルホスフェート塩、ペルサルフェート塩及びペルシリケート塩などのペルハイドレート塩）及び／若しくは有機漂白剤（例えば、ジアシル−及びテトラアシルペルオキシド、特にジペルオキシドデカン二酸、ジペルテトラデカン二酸及びジペルオキシヘキサデカン二酸などの有機ペルオキシ酸）；（ｖｉ）漂白活性化剤（例えば、約０．１重量％〜約１０重量％の範囲の有機過酸前駆体）及び／若しくは漂白触媒（例えば、マンガントリアザシクロノナン及び関連錯体；Ｃｏ、Ｃｕ、Ｍｎ及びＦｅビスピリジルアミン及び関連錯体；及びペンタミン酢酸コバルト（ＩＩＩ）及び関連錯体）；（ｖｉｉ）約０．１重量％〜５重量％の範囲の金属ケア剤（例えば、ベンザトリアゾール、金属塩及び錯体及び／又はシリケート）；並びに／又は（ｖｉｉｉ）自動食器洗い機用洗剤組成物１グラム当たり約０．０１〜５．０ｍｇの範囲の活性酵素の本明細書に開示した任意の活性酵素、及び酵素安定化剤を含み得る。重量パーセントは組成物の総重量に基づく。
【０２１３】
少なくとも１種の多糖誘導体を含む洗剤配合物の様々な例を、以下（１〜２１）に開示する。
【０２１４】
１）少なくとも６００ｇ／Ｌの嵩密度を有する顆粒として配合された、約７〜１２重量％の直鎖アルキルベンゼンスルホネート（酸として計算）；約１〜４重量％のアルコールエトキシサルフェート（例えば、Ｃ１２〜１８アルコール、１〜２エチレンオキシド［ＥＯ］）又はアルキルサルフェート（例えば、Ｃ１６〜１８）；約５〜９重量％のアルコールエトキシレート（例えば、Ｃ１４〜１５アルコール）；約１４〜２０重量％の炭酸ナトリウム；約２〜６重量％の可溶性シリケート（例えば、Ｎａ２Ｏ２ＳｉＯ２）；約１５〜２２重量％のゼオライト（例えば、ＮａＡｌＳｉＯ４）；約０〜６重量％の硫酸ナトリウム；約０〜１５重量％のクエン酸ナトリウム／クエン酸；約１１〜１８重量％の過ホウ酸ナトリウム；約２〜６重量％のＴＡＥＤ；最大約２重量％の多糖誘導体；約０〜３重量％のその他のポリマー（例えば、マレイン酸／アクリル酸コポリマー、ＰＶＰ、ＰＥＧ）；任意選択的に、約０．０００１〜０．１重量％の酵素（純粋な酵素タンパク質として計算）；及び約０〜５重量％の微量成分（例えば、泡抑制剤、香料、蛍光増白剤、光漂白剤）を含む、洗剤組成物。
【０２１５】
２）少なくとも６００ｇ／Ｌの嵩密度を有する顆粒として配合された、約６〜１１重量％の直鎖アルキルベンゼンスルホネート（酸として計算）；約１〜３重量％のアルコールエトキシサルフェート（例えば、Ｃ１２〜１８アルコール、１〜２ＥＯ）又はアルキルサルフェート（例えば、Ｃ１６〜１８）；約５〜９重量％のアルコールエトキシレート（例えば、Ｃ１４〜１５アルコール）；約１５〜２１重量％の炭酸ナトリウム；約１〜４重量
％の可溶性シリケート（例えば、Ｎａ２Ｏ２ＳｉＯ２）；約２４〜３４重量％のゼオライト（例えば、ＮａＡｌＳｉＯ４）；約４〜１０重量％の硫酸ナトリウム；約０〜１５重量％のクエン酸ナトリウム／クエン酸；約１１〜１８重量％の過ホウ酸ナトリウム；約２〜６重量％のＴＡＥＤ；最大約２重量％の多糖誘導体；約１〜６重量％のポリマー（例えば、マレイン酸／アクリル酸コポリマー、ＰＶＰ、ＰＥＧ）；任意選択的に、約０．０００１〜０．１重量％の酵素（純粋な酵素タンパク質として計算）；及び約０〜５重量％の微量成分（例えば、泡抑制剤、香料、蛍光増白剤、光漂白剤）を含む、洗剤組成物。
【０２１６】
３）少なくとも６００ｇ／Ｌの嵩密度を有する顆粒として配合された、約５〜９重量％の直鎖アルキルベンゼンスルホネート（酸として計算）；約７〜１４重量％のアルコールエトキシサルフェート（例えば、Ｃ１２〜１８アルコール、７ＥＯ）；約１〜３重量％の脂肪酸（例えば、Ｃ１６〜２２脂肪酸）としての石鹸；約１０〜１７重量％の炭酸ナトリウム；約３〜９重量％の可溶性シリケート（例えば、Ｎａ２Ｏ２ＳｉＯ２）；約２３〜３３重量％のゼオライト（例えば、ＮａＡｌＳｉＯ４）；約０〜４重量％の硫酸ナトリウム；約８〜１６重量％の過ホウ酸ナトリウム；約２〜８重量％のＴＡＥＤ；約０〜１重量％のホスホネート（例えば、ＥＤＴＭＰＡ）；最大約２重量％の多糖誘導体；約０〜３重量％のその他のポリマー（例えば、マレイン酸／アクリル酸コポリマー、ＰＶＰ、ＰＥＧ）；任意選択的に、約０．０００１〜０．１重量％の酵素（純粋な酵素タンパク質として計算）；及び約０〜５重量％の微量成分（例えば、泡抑制剤、香料、蛍光増白剤）を含む、洗剤組成物。
【０２１７】
４）少なくとも６００ｇ／Ｌの嵩密度を有する顆粒として配合された、約８〜１２重量％の直鎖アルキルベンゼンスルホンスルホネート（酸として計算）；約１０〜２５重量％のアルコールエトキシレート（例えば、Ｃ１２〜１８アルコール、７ＥＯ）；約１４〜２２重量％の炭酸ナトリウム；約１〜５重量％の可溶性シリケート（例えば、Ｎａ２Ｏ２ＳｉＯ２）；約２５〜３５重量％のゼオライト（例えば、ＮａＡｌＳｉＯ４）；約０〜１０重量％の硫酸ナトリウム；約８〜１６重量％の過ホウ酸ナトリウム；約２〜８重量％のＴＡＥＤ；約０〜１重量％のホスホネート（例えば、ＥＤＴＭＰＡ）；最大約２重量％の多糖誘導体；約１〜３重量％のその他のポリマー（例えば、マレイン酸／アクリル酸コポリマー、ＰＶＰ、ＰＥＧ）；任意選択的に、約０．０００１〜０．１重量％の酵素（純粋な酵素タンパク質として計算）；及び約０〜５重量％の微量成分（例えば、泡抑制剤、香料）を含む、洗剤組成物。
【０２１８】
５）約１５〜２１重量％の直鎖アルキルベンゼンスルホネート（酸として計算）；約１２〜１８重量％のアルコールエトキシレート（例えば、Ｃ１２〜１８アルコール、７ＥＯ；又はＣ１２〜１５アルコール、５ＥＯ）；約３〜１３重量％の脂肪酸（例えば、オレイン酸）としての石鹸；約０〜１３重量％のアルケニルコハク酸（Ｃ１２〜１４）；約８〜１８重量％のアミノエタノール；約２〜８重量％のクエン酸；約０〜３重量％のホスホネート；最大約２重量％の多糖誘導体；約０〜３重量％のその他のポリマー（例えば、ＰＶＰ、ＰＥＧ）；約０〜２重量％のボレート；約０〜３重量％のエタノール；約８〜１４重量％のプロピレングリコール；任意選択的に、約０．０００１〜０．１重量％の酵素（純粋な酵素タンパク質として計算）；及び約０〜５重量％の微量成分（例えば、分散剤、泡抑制剤、香料、蛍光増白剤）を含む、水性液体洗剤組成物。
【０２１９】
６）約１５〜２１重量％の直鎖アルキルベンゼンスルホネート（酸として計算）；約３〜９重量％のアルコールエトキシレート（例えば、Ｃ１２〜１８アルコール、７ＥＯ；又はＣ１２〜１５アルコール、５ＥＯ）；約３〜１０重量％の脂肪酸（例えば、オレイン酸）としての石鹸；約１４〜２２重量％のゼオライト（例えば、ＮａＡｌＳｉＯ４）；約９〜１８重量％のクエン酸カリウム；約０〜２重量％のボレート；最大約２重量％の多糖誘導体；約０〜３重量％のその他のポリマー（例えば、ＰＶＰ、ＰＥＧ）；約０〜３重量％
のエタノール；約０〜３重量％のアンカリングポリマー（例えば、ラウリルメタクリラート／アクリル酸コポリマー、モル比２５：１、ＭＷ  ３８００）；約０〜５重量％のグリセロール；任意選択的に、約０．０００１〜０．１重量％の酵素（純粋な酵素タンパク質として計算）；及び約０〜５重量％の微量成分（例えば、分散剤、泡抑制剤、香料、蛍光増白剤）を含む、水性構造化液体洗剤組成物。
【０２２０】
７）少なくとも６００ｇ／Ｌの嵩密度を有する顆粒として配合された、約５〜１０重量％の脂肪族アルコールサルフェート、約３〜９重量％のエトキシ化脂肪酸モノエタノールアミド；約０〜３重量％の脂肪酸としての石鹸；約５〜１０重量％の炭酸ナトリウム；約１〜４重量％の可溶性シリケート（例えば、Ｎａ２Ｏ２ＳｉＯ２）；約２０〜４０重量％のゼオライト（例えば、ＮａＡｌＳｉＯ４）；約２〜８重量％の硫酸ナトリウム；約１２〜１８重量％の過ホウ酸ナトリウム；約２〜７重量％のＴＡＥＤ；最大約２重量％の多糖誘導体；約１〜５重量％のその他のポリマー（例えば、マレイン酸／アクリル酸コポリマー、ＰＥＧ）；任意選択的に、約０．０００１〜０．１重量％の酵素（純粋な酵素タンパク質として計算）；及び約０〜５重量％の微量成分（例えば、蛍光増白剤、泡抑制剤、香料）を含む、洗剤組成物。
【０２２１】
８）顆粒として配合された、約８〜１４重量％の直鎖アルキルベンゼンスルホネート（酸として計算）；約５〜１１重量％のエトキシ化脂肪酸モノエタノールアミド；約０〜３重量％の脂肪酸としての石鹸；約４〜１０重量％の炭酸ナトリウム；約１〜４重量％の可溶性シリケート（例えば、Ｎａ２Ｏ２ＳｉＯ２）；約３０〜５０重量％のゼオライト（例えば、ＮａＡｌＳｉＯ４）；約３〜１１重量％の硫酸ナトリウム；約５〜１２重量％のクエン酸ナトリウム；最大約２重量％の多糖誘導体；約１〜５重量％のその他のポリマー（例えば、ＰＶＰ、マレイン酸／アクリル酸コポリマー、ＰＥＧ）；任意選択的に、約０．０００１〜０．１重量％の酵素（純粋な酵素タンパク質として計算）；及び約０〜５重量％の微量成分（例えば、泡抑制剤、香料）を含む、洗剤組成物。
【０２２２】
９）顆粒として配合された、約６〜１２重量％の直鎖アルキルベンゼンスルホネート（酸として計算）；約１〜４重量％のノニオン性界面活性剤；約２〜６重量％の脂肪酸としての石鹸；約１４〜２２重量％の炭酸ナトリウム；約１８〜３２重量％のゼオライト（例えば、ＮａＡｌＳｉＯ４）；約５〜２０重量％の硫酸ナトリウム；約３〜８重量％のクエン酸ナトリウム；約４〜９重量％の過ホウ酸ナトリウム；約１〜５重量％の漂白活性化剤（例えば、ＮＯＢＳ又はＴＡＥＤ）；最大約２重量％の多糖誘導体；約１〜５重量％のその他のポリマー（例えば、ポリカルボキシレート又はＰＥＧ）；任意選択的に、約０．０００１〜０．１重量％の酵素（純粋な酵素タンパク質として計算）；及び約０〜５重量％の微量成分（例えば、蛍光増白剤、香料）を含む、洗剤組成物。
【０２２３】
１０）約１５〜２３重量％の直鎖アルキルベンゼンスルホネート（酸として計算）；約８〜１５重量％のアルコールエトキシサルフェート（例えば、Ｃ１２〜１５アルコール、２〜３ＥＯ）；約３〜９重量％のアルコールエトキシレート（例えば、Ｃ１２〜１５アルコール、７ＥＯ；又はＣ１２〜１５アルコール、５ＥＯ）；約０〜３重量％の脂肪酸（例えば、ラウリン酸）としての石鹸；約１〜５重量％のアミノエタノール；約５〜１０重量％のクエン酸ナトリウム；約２〜６重量％のハイドロトロープ（例えば、トルエンスルホン酸ナトリウム）；約０〜２重量％のボレート；最大約１重量％の多糖誘導体；約１〜３重量％のエタノール；約２〜５重量％のプロピレングリコール；任意選択的に、約０．０００１〜０．１重量％の酵素（純粋な酵素タンパク質として計算）；及び約０〜５重量％の微量成分（例えば、分散剤、香料、蛍光増白剤）を含む、水性液体洗剤組成物。
【０２２４】
１１）約２０〜３２重量％の直鎖アルキルベンゼンスルホネート（酸として計算）；約６〜１２重量％のアルコールエトキシレート（例えば、Ｃ１２〜１５アルコール、７ＥＯ
；又はＣ１２〜１５アルコール、５ＥＯ）；約２〜６重量％のアミノエタノール；約８〜１４重量％のクエン酸；約１〜３重量％のボレート；最大約２重量％の多糖誘導体；約１〜３重量％のエタノール；約２〜５重量％のプロピレングリコール；約０〜３重量％のその他のポリマー（例えば、マレイン酸／アクリル酸コポリマー、ラウリルメタクリレート／アクリル酸コポリマーなどのアンカリングポリマー）；約３〜８重量％のグリセロール；任意選択的に、約０．０００１〜０．１重量％の酵素（純粋な酵素タンパク質として計算）；及び約０〜５重量％の微量成分（例えば、ハイドロトロープ、分散剤、香料、蛍光増白剤）を含む、水性液体洗剤組成物。
【０２２５】
１２）少なくとも６００ｇ／Ｌの嵩密度を有する顆粒として配合された、約２５〜４０重量％のアニオン性界面活性剤（例えば、直鎖アルキルベンゼンスルホネート、アルキルサルフェート、α−オレフィンスルホネート、α−スルホ脂肪酸メチルエステル、アルカンスルホネート、石鹸）；約１〜１０重量％のノニオン性界面活性剤（例えば、アルコールエトキシレート）；約８〜２５重量％の炭酸ナトリウム；約５〜１５重量％の可溶性シリケート（例えば、Ｎａ２Ｏ２ＳｉＯ２）；約０〜５重量％の硫酸ナトリウム；約１５〜２８重量％のゼオライト（ＮａＡｌＳｉＯ４）；約０〜２０重量％の過ホウ酸ナトリウム；約０〜５重量％の漂白活性化剤（例えば、ＴＡＥＤ又はＮＯＢＳ）；最大約２重量％の多糖誘導体；任意選択的に、約０．０００１〜０．１重量％の酵素（純粋な酵素タンパク質として計算）；及び約０〜３重量％の微量成分（例えば、香料、蛍光増白剤）を含む、洗剤組成物。
【０２２６】
１３）直鎖アルキルベンゼンスルホネートの全て又は一部が、Ｃ１２〜Ｃ１８アルキルサルフェートに置換されている、上記（１）〜（１２）に記載の洗剤組成物。
【０２２７】
１４）少なくとも６００ｇ／Ｌの嵩密度を有する顆粒として配合された、約９〜１５重量％のＣ１２〜Ｃ１８アルキルサルフェート；約３〜６重量％のアルコールエトキシレート；約１〜５重量％のポリヒドロキシアルキル脂肪酸アミド；約１０〜２０重量％のゼオライト（例えば、ＮａＡｌＳｉＯ４）；約１０〜２０重量％の層状ジシリケート（例えば、ＨｏｅｃｈｓｔからのＳＫ５６）；約３〜１２重量％の炭酸ナトリウム；０〜６重量％の可溶性シリケート（例えば、Ｎａ２Ｏ２ＳｉＯ２）；約４〜８重量％のクエン酸ナトリウム；約１３〜２２重量％の過炭酸ナトリウム；約３〜８重量％のＴＡＥＤ；最大約２重量％の多糖誘導体；約０〜５重量％のその他のポリマー（例えば、ポリカルボキシレート及びＰＶＰ）；任意選択的に、約０．０００１〜０．１重量％の酵素（純粋な酵素タンパク質として計算）；及び約０〜５重量％の微量成分（例えば、蛍光増白剤、光漂白剤、香料、泡抑制剤）を含む、洗剤組成物。
【０２２８】
１５）少なくとも６００ｇ／Ｌの嵩密度を有する顆粒として配合された、約４〜８重量％のＣ１２〜Ｃ１８アルキルサルフェート；約１１〜１５重量％のアルコールエトキシレート；約１〜４重量％の石鹸；約３５〜４５重量％のゼオライトＭＡＰ又はゼオライトＡ；約２〜８重量％の炭酸ナトリウム；０〜４重量％の可溶性シリケート（例えば、Ｎａ２Ｏ２ＳｉＯ２）；約１３〜２２重量％の過炭酸ナトリウム；約１〜８重量％のＴＡＥＤ；最大約３重量％の多糖誘導体；約０〜３重量％のその他のポリマー（例えば、ポリカルボキシレート及びＰＶＰ）；任意選択的に、約０．０００１〜０．１重量％の酵素（純粋な酵素タンパク質として計算）；及び約０〜３重量％の微量成分（例えば、蛍光増白剤、ホスホネート、香料）を含む、洗剤組成物。
【０２２９】
１６）安定化された又はカプセル化された過酸を、更なる成分としてか、又は既に明示された漂白系の代替としてかのいずれかとして含む、上記（１）〜（１５）に記載の洗剤配合物。
【０２３０】
１７）ペルボレートがペルカーボネートに置換されている、上記（１）、（３）、（７）、（９）、及び（１２）に記載の洗剤組成物。
【０２３１】
１８）マンガン触媒を更に含有する、上記（１）、（３）、（７）、（９）、（１２）、（１４）、及び（１５）に記載の洗剤組成物。マンガン触媒は、例えば、参照により本明細書に組み込まれるＨａｇｅ  ｅｔ  ａｌ．（１９９４，Ｎａｔｕｒｅ  ３６９：６３７−６３９）により記載された化合物のうちの１つである。
【０２３２】
１９）非水性洗剤液体として配合された、液体ノニオン性界面活性剤（例えば、直鎖アルコキシ化一級アルコール）、ビルダー系（例えば、ホスフェート）、多糖誘導体、任意選択的に、酵素、及びアルカリを含む、洗剤組成物。洗剤は、アニオン性界面活性剤及び／又は漂白系も含み得る。
【０２３３】
２０）約３０〜４５重量％の非石油由来のアルコールエトキシサルフェート（例えば、Ｃ１２アルコール、１ＥＯ）硫酸ナトリウム；約３〜１０重量％の非石油由来のアルコールエトキシレート（例えば、Ｃ１２〜１４アルコール、９ＥＯ）；約１〜５重量％の脂肪酸（例えば、Ｃ１２〜１８）としての石鹸；約５〜１２重量％のプロピレングリコール；約４〜８重量％のＣ１２〜１４アルキルアミンオキシド；約２〜８重量％のクエン酸；最大約４重量％の多糖誘導体；約０〜３重量％のその他のポリマー（例えば、ＰＶＰ、ＰＥＧ）；約０〜４重量％のボレート；約０〜３重量％のエタノール；任意選択的に、約０．０００１〜０．３重量％の酵素（純粋な酵素タンパク質として計算）；及び約０〜５重量％の微量成分（例えば、分散剤、泡抑制剤、香料、蛍光増白剤、安定化剤）並びに残部である水を含む、水性液体洗剤組成物。
【０２３４】
２１）約１０〜２５重量％のアルコールエトキシサルフェート（例えば、Ｃ１２〜１５アルコール、２〜３ＥＯ）硫酸ナトリウム；約１５〜２５重量％の直鎖アルキルベンゼンスルホネート（酸として計算）；約０．５〜１０重量％のアルコールエトキシレート（例えば、Ｃ１２〜１４アルコール、９ＥＯ）；約０．５〜１０重量％のアルコールエトキシレート（例えば、Ｃ１２〜１５アルコール、７ＥＯ）；約１〜８重量％の脂肪酸（例えば、Ｃ１２〜１８）としての石鹸；約６〜１５重量％のプロピレングリコール；約０．５〜８重量％のクエン酸；最大約４重量％の多糖誘導体；約５〜１０重量％のモノエタノールアミン、約０〜３重量％のその他のポリマー（例えば、ＰＶＰ、ＰＥＧ、ＰＶＯＨ）；約２〜６重量％のジプロピレングリコール、約２〜５重量％のグリセリン；任意選択的に、約０．０００１〜０．３重量％の酵素（純粋な酵素タンパク質として計算）；及び約０〜５重量％の微量成分（例えば、分散剤、泡抑制剤、香料、蛍光増白剤、安定化剤）並びに残部である水を含む、水溶性単位用量洗剤組成物。
【０２３５】
少なくとも１種の多糖誘導体を含むパーソナルケア配合物の様々な例を、以下（２２〜２４）に開示する。
【０２３６】
２２）セチルアルコール（１〜３％）、イソプロピルミリステート（１〜３％）、ヒドロキシエチルセルロース（Ｎａｔｒｏｓｏｌ（登録商標）２５０  ＨＨＲ）０．１〜１％、本発明の多糖誘導体（０．１〜２％）、カリウム塩（０．１〜０．５％）、防腐剤（Ｉｎｔｅｒｎａｔｉｏｎａｌ  Ｓｐｅｃｉａｌｔｙ  Ｐｒｏｄｕｃｔｓから入手可能なＧｅｒｍａｂｅｎ（登録商標）ＩＩ）（０．５％）、及び水である残部を含むヘアコンディショナー組成物。
【０２３７】
２３）５〜２０％のラウレス硫酸ナトリウム、１〜２重量％コカミドプロピルベタン（ｂｅｔａｎｅ）、１〜２重量％の塩化ナトリウム、０．１〜２％の本発明の多糖誘導体、及び防腐剤（０．１〜０．５％）、並びに残部である水を含む、ヘアシャンプー組成物。
【０２３８】
２４）１〜５％のグリセリン、１〜５％グリコールステアレート、１〜５％のステアリン酸、１〜５％の鉱油、０．５〜１％のアセチル化ラノリン（Ｌｉｐｏｌａｎ（登録商標）９８）、０．１〜０．５のセチルアルコール、０．２〜１％のトリエタノールアミン、０．１〜１重量％のＧｅｒｍａｂｅｎ（登録商標）ＩＩ防腐剤、０．５〜２重量％の本発明の多糖誘導体、及び水である残部を含む、スキンローション組成物。
【０２３９】
一実施形態において、本開示は、基材を処理するための方法であって、
Ａ）多糖誘導体を含む組成物を提供する工程であって、多糖誘導体が、
ａ）少なくとも１つの疎水基、及び
ｂ）少なくとも１つの親水基
で置換されている多糖を含み、
多糖が、ポリα−１，３−グルカン、ポリα−１，６−グルカン、ポリα−１，６−グルカン又はこれらの混合物である、工程と、
Ｂ）基材を組成物と接触させる工程と、
Ｃ）任意選択的に、基材をすすぐ工程と、を含む方法に関する。
【０２４０】
一実施形態において、基材は、布地、織物、カーペット、又は衣料であり得る。別の実施形態において、基材は、カーペット、室内装飾材料、又は表面材であり得る。「室内装飾材料」は、肘掛け椅子やソファなどの家具に固定されている柔らかい、パッド入りの布地カバーを意味する。処理は、基材に対して、例えば、織物の風合の改善、汚れ付着に対する耐性の改善、彩色堅牢度の改善、耐摩耗性の改善、防しわ性の改善、抗真菌活性の改善、耐汚れ性の改善、洗濯時のクリーニング性能の改善、乾燥速度の改善、染料、顔料若しくはレーキ更新の改善、白色度維持の改善、又はこれらの組み合わせのうちの１つ以上の利益をもたらす。別の実施形態において、基材は、表面、例えば壁、床、ドア、若しくはパネル、若しくは紙であり得るか、又は基材はテーブルなどの物体の表面であり得る。処理は、基材に対して、例えば、汚れ付着に対する耐性の改善、耐汚れ性の改善、クリーニング性能の改善、又はこれらの組み合わせの利益をもたらす。
【０２４１】
本明細書における織物は、天然繊維、合成繊維、半合成繊維、又はこれらの任意の組み合わせを挙げることができる。半合成繊維は、化学的に誘導体化されている天然型材料を使用して製造されるが、その１つの例はレーヨンである。本明細書の織物タイプの非限定的な例としては、（ｉ）セルロース繊維、例えば綿（例えば、ブロードクロス、キャンバス、シャンブレー、シェニール、チンツ、コーデュロイ、クレトン、ダマスク、デニム、フランネル、ギンガム、ジャガード、ニット、マテラーゼ、オックスフォード、パーケール、ポプリン、プリッス、サテン、シャーサッカー、シアー、テリークロス、ツイル、ベルベット）、レーヨン（例えば、ビスコース、モーダル、リオセル）、リネン及びＴＥＮＣＥＬ（登録商標）；（ｉｉ）タンパク質性繊維、例えばシルク、ウール及び関連哺乳動物繊維；（ｉｉｉ）合成繊維、例えばポリエステル、アクリル、ナイロンなど；（ｉｖ）ジュート、亜麻、ラミー、コイア、カポック、サイザル、ヘネッケン、アバカ、ヘンプ及びサンヘンプ由来の植物性長繊維；並びに（ｖ）（ｉ）〜（ｉｖ）の織物の任意の組み合わせから製造された織物が挙げられる。織物タイプ（例えば、天然及び合成）の組み合わせを含む織物としては、例えば、綿繊維及びポリエステルの両方を備える織物が挙げられる。１種以上の織物を含有する材料／製品としては、例えば、衣類、カーテン、厚手のカーテン、掛け布、カーペット、ベッド用リネン、バス用リネン、テーブルクロス、スリーピングバッグ、テント、車の内装材などが挙げられる。天然及び／又は合成繊維を含むその他の材料としては、例えば、不織布、詰め物、紙、及び発泡体が挙げられる。織物は、典型的には、織布又は編み物構造である。
【０２４２】
接触工程は、様々な条件、例えば時間、温度、洗浄／すすぎ容量で実施され得る。織物
又は布地基材を接触させる方法、例えば、織物ケア法又は洗濯法は、一般的に、周知である。例えば、織物を含む材料は、開示された組成物と：（ｉ）少なくとも約５、１０、２０、３０、４０、５０、６０、７０、８０、９０、１００、１１０、若しくは１２０分間；（ｉｉ）少なくとも約１０、１５、２０、２５、３０、３５、４０、４５、５０、５５、６０、６５、７０、７５、８０、８５、９０、若しくは９５℃（例えば、洗濯洗浄、又はすすぎのためには：約１５〜３０℃の「低」温、約３０〜５０℃の「中」温、約５０〜９５℃の「高」温）で；（ｉｉｉ）約２、３、４、５、６、７、８、９、１０、１１、若しくは１２のｐＨ（例えば、約２〜１２、又は約３〜１１のｐＨ範囲）で；（ｉｖ）少なくとも約０．５、１．０、１．５、２．０、２．５、３．０、３．５、若しくは４．０重量％の塩（例えば、ＮａＣｌ）濃度で；又は（ｉ）〜（ｉｖ）の任意の組み合わせで接触させることができる。織物ケア法又は洗濯法における接触工程は、例えば、洗浄工程、浸漬工程及び／又はすすぎ工程のいずれかを含み得る。いくつかの実施形態において、すすぎ工程は、水ですすぐ工程である。
【０２４３】
また本明細書で開示されるのは、白色度維持の改善をもたらす織物処理方法である。白色度維持は、白色アイテムが白色アイテム上で再付着し得る汚れの存在下で洗浄されたときに、洗浄されるたびに白さが失われるのを防ぐ、洗剤の能力である。一実施形態において、方法は、
Ａ）多糖誘導体を含む組成物を提供する工程であって、多糖誘導体が、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである、工程と、
Ｂ）織物を組成物と接触させる工程と、
Ｃ）任意選択的に、基材をすすぐ工程と、
を含み、
工程Ｂ）又は工程Ｃ）で得られた織物が、Ｌ＊ａ＊ｂ＊  ＷＩＣＩＥ法に従って測定される場合、処理前の織物に対して＋１．５以上の単位のＷＩＣＩＥの変化を有する。
【０２４４】
疎水及び親水基は、本明細書で開示したとおりである。一実施形態において、多糖誘導体を含む組成物、又は多糖誘導体自体は、２重量％にて、ＡＳＴＭ規格  Ｄ１３３１、２０１５に従って測定される場合、７０ｎＭ／ｍ以下の表面張力を有する。別の実施形態において、多糖誘導体を含む組成物、又は多糖誘導体自体は、２重量％にて、ＡＳＴＭ規格
Ｄ１３３１、２０１５に従って測定される場合、６５ｎＭ／ｍ以下の表面張力を有する。更に別の実施形態において、多糖誘導体を含む組成物、又は多糖誘導体自体は、２重量％にて、ＡＳＴＭ規格  Ｄ１３３１、２０１５の方法に従って測定される場合、５４ｍＮ／ｍ以下の表面張力を有する。更なる実施形態において、多糖誘導体を含む組成物、又は多糖誘導体自体は、１重量％にて、ＡＳＴＭ規格  Ｄ１３３１、２０１５の方法に従って測定される場合、７０ｍＮ／ｍ以下の表面張力を有する。
【０２４５】
接触させることができる他の基材としては、例えば食器用洗剤（例えば、自動食器洗浄機用洗剤又は食器手洗い用洗剤）を用いて処理できる表面が挙げられる。このような材料の例としては、セラミック材料、磁器、金属、ガラス、プラスチック（例えば、ポリエチレン、ポリプロピレン、ポリスチレンなど）及び木で作られた、皿、グラス、ポット、鍋、グラタン皿、調理器具及び食卓食器（本明細書では、集合的に「食器類（ｔａｂｌｅｗａｒｅ）」と呼ぶ）の表面が挙げられる。食器洗浄又は食器類洗浄方法を実施するための条件（例えば、時間、温度、洗浄量）の例は、当技術分野において公知である。他の例において、食器類物品は、織物含有材料を接触させることに関して上記で開示された条件のうちのいずれかなどの好適な一連の条件下で、本明細書の組成物と接触させることができ
る。
【０２４６】
基材を処理する方法の特定の実施形態は、材料を組成物と接触させた後に乾燥させる乾燥工程を更に含む。乾燥工程は、接触工程の直後に、又は接触工程に続く可能性がある１つ以上の更なる工程に続いて、例えば水中すすぎ後の織物の乾燥、水性組成物中での洗浄に続いて行うことができる。乾燥は、例えば、少なくとも約３０、４０、５０、６０、７０、８０、９０、１００、１２０、１４０、１６０、１７０、１７５、１８０、又は２００℃の温度での空気乾燥なども当該技術分野において公知のいくつかの手段のいずれかによって行うことができる。本明細書における乾燥した材料は、典型的には、その材料中に３、２、１、０．５、又は０．１重量％未満の水分を含む。
【０２４７】
別の実施形態において、基材は表面、例えば壁、床、ドア、若しくはパネルであり得るか、又は基材はテーブルなどの物体の表面であり得る。処理は、基材に対して、例えば、汚れ付着に対する耐性の改善、耐汚れ性の改善、クリーニング性能の改善、又はこれらの組み合わせの利益をもたらす。接触の工程は、組成物を用いて基材を拭くこと又はスプレーすることを含み得る。
【０２４８】
本明細書にて開示された実施形態の非限定的な例としては、次のものが挙げられる。
【０２４９】
１．
多糖誘導体を含む組成物であって、多糖誘導体が、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである、組成物。
【０２５０】
２．ポリα−１，３−グルカンが、グルコースモノマー単位の主鎖を含み、グルコースモノマー単位の５０％以上が、α−１，３−グリコシド結合を介して結合している、実施形態１に記載の組成物。
【０２５１】
３．ポリα−１，３−グルカンが、グルコースモノマー単位の主鎖を含み、グルコースモノマー単位の９０％以上が、α−１，３−グリコシド結合を介して結合している、実施形態１又は２に記載の組成物。
【０２５２】
４．ポリα−１，６−グルカンが、グルコースモノマー単位の主鎖を含み、グルコースモノマー単位の４０％以上が、α−１，６−グリコシド結合を介して結合している、実施形態１に記載の組成物。
【０２５３】
５．ポリα−１，６−グルカンが、５０％未満のα−１，２−分枝度を有する、実施形態１又は４に記載の組成物。
【０２５４】
６．少なくとも１つの疎水基が、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含む、実施形態１、２、３、４、又は５のいずれか１つに記載の組成物。
【０２５５】
７．少なくとも１つの疎水基が、Ｃ１〜Ｃ１８アルキル基、ベンジル基、ｐ−トルエンスルホニル基、又はこれらの組み合わせを含む、実施形態１、２、３、４、又は５のいずれか１つに記載の組成物。
【０２５６】
８．少なくとも１つの疎水基が、ベンジル基を含み、ベンジル基が、ハロゲン基、シアノ基、エステル基、アミド基、エーテル基、Ｃ１〜Ｃ６アルキル基、アリール基、Ｃ２〜Ｃ６アルケン基、Ｃ２〜Ｃ６アルキン基、又はこれらの組み合わせのうちの１つ以上で更に置換されている、実施形態６又は７に記載の組成物。
【０２５７】
９．少なくとも１つの親水基が、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む、実施形態１、２、３、４、又は５のいずれか１つに記載の組成物。
【０２５８】
１０．少なくとも１つの親水基が、カルボン酸、アルキル置換されたアンモニウム塩、スルホネート、アルキルスルホネート、サルフェート、チオサルフェート、又はこれらの組み合わせを含む、実施形態１、２、３、４、又は５のいずれか１つに記載の組成物。
【０２５９】
１１．少なくとも１つの疎水基が、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含み、少なくとも１つの親水基が、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む、実施形態１、２、３、４、５、又は８のいずれか１つに記載の組成物。
【０２６０】
１２．少なくとも１つの疎水基が、Ｃ１〜Ｃ１８アルキル基、ベンジル基、ｐ−トルエンスルホニル基、又はこれらの組み合わせを含み、少なくとも１つの親水基が、カルボン酸、アルキル置換されたアンモニウム塩、スルホネート、アルキルスルホネート、サルフェート、チオサルフェート、又はこれらの組み合わせを含む、実施形態１、２、３、４、５、又は８のいずれか１つに記載の組成物。
【０２６１】
１３．少なくとも１つの疎水基が、Ｃ１〜Ｃ１８アルキル基、ベンジル基、ｐ−トルエンスルホニル基を含み、少なくとも１つの親水基が、チオサルフェート、又はカルボキシメチル基を含む、実施形態１、２、３、４、５、又は８のいずれか１つに記載の組成物。
【０２６２】
１４．多糖誘導体が、約５〜約１４００の範囲の重合度を有する、実施形態１、２、３、４、５、６、７、８、９、１０、１１、１２、又は１３のいずれか１つに記載の組成物。
【０２６３】
１５．多糖誘導体が、約０．００１〜約３．０の置換度を有する、実施形態１、２、３、４、５、６、７、８、９、１０、１１、１２、１３、又は１４のいずれか１つに記載の組成物。
【０２６４】
１６．多糖誘導体が、２重量％にて、ＡＳＴＭ規格  Ｄ１３３１、２０１５の方法に従
って測定される場合、６５ｍＮ／ｍ以下の表面張力を有する、実施形態１、２、３、４、５、６、７、８、９、１０、１１、１２、１３、１４、又は１５のいずれか１つに記載の組成物。
【０２６５】
１７．組成物が、液体、ジェル、粉末、ヒドロコロイド、水溶液、顆粒、錠剤、カプセル、単一区画袋、複数区画袋、単一区画パウチ、又は複数区画パウチの形態である、実施形態１、２、３、４、５、６、７、８、９、１０、１１、１２、１３、１４、１５、又は１６のいずれか１つに記載の組成物。
【０２６６】
１８．界面活性剤、酵素、洗剤ビルダー、錯化剤、ポリマー、汚れ放出ポリマー、界面活性増強ポリマー、漂白剤、漂白活性化剤、漂白触媒、織物コンディショナー、粘土、起泡増進剤、泡抑制剤、腐食防止剤、汚れ懸濁化剤、汚れ再付着防止剤、染料、殺菌剤、曇り防止剤、蛍光増白剤、香料、飽和若しくは不飽和脂肪酸、移染防止剤、キレート剤、色相染料、カルシウムカチオン、マグネシウムカチオン、視覚信号成分、消泡剤、構造化剤、増粘剤、固化防止剤、デンプン、砂、ゲル化剤、又はこれらの組み合わせのうちの少なくとも１つを更に含む、実施形態１、２、３、４、５、６、７、８、９、１０、１１、１２、１３、１４、１５、１６、又は１７のいずれか１つに記載の組成物。
【０２６７】
１９．酵素が、セルラーゼである、実施形態１８に記載の組成物。
【０２６８】
２０．酵素が、プロテアーゼである、実施形態１８に記載の組成物。
【０２６９】
２１．酵素が、アミラーゼである、実施形態１８に記載の組成物。
【０２７０】
２２．酵素が、リパーゼである、実施形態１８に記載の組成物。
【０２７１】
２３．酵素が、セルラーゼ、プロテアーゼ、アミラーゼ、リパーゼ、又はこれらの組み合わせである、実施形態１８に記載の組成物。
【０２７２】
２４．基材を処理するための方法であって：
Ａ）多糖誘導体を含む組成物を提供する工程であって、多糖誘導体が、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである、工程と、
Ｂ）基材を組成物と接触させる工程と、
Ｃ）任意選択的に、基材をすすぐ工程と、
を含み、
基材が、カーペット、室内装飾材料、又は表面材である、方法。
【０２７３】
２５．多糖誘導体を含む組成物が、実施形態１、２、３、４、５、６、７、８、９、１０、１１、１２、１３、１４、１５、１６、１７、１８、１９、２０、２１、２２、又は２３に記載の組成物である、実施形態２４に記載の方法。
【０２７４】
２６．
約１重量％〜約６０重量％の界面活性剤と、
約０．１重量％〜約１０重量％の多糖誘導体であって、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである多糖誘導体と、を含む製品であって、家庭用製品である、製品。
【０２７５】
２７．液体、ジェル、粉末、ヒドロコロイド、水溶液、顆粒、錠剤、カプセル、単一区画袋、複数区画袋、単一区画パウチ、又は複数区画パウチの形態である、実施形態２６に記載の製品。
【０２７６】
２８．酵素、洗剤ビルダー、錯化剤、ポリマー、汚れ放出ポリマー、界面活性増強ポリマー、漂白剤、漂白活性化剤、漂白触媒、織物コンディショナー、粘土、起泡増進剤、泡抑制剤、腐食防止剤、汚れ懸濁化剤、汚れ再付着防止剤、染料、殺菌剤、曇り防止剤、蛍光増白剤、香料、飽和若しくは不飽和脂肪酸、移染防止剤、キレート剤、色相染料、カルシウムカチオン、マグネシウムカチオン、視覚信号成分、消泡剤、構造化剤、増粘剤、固化防止剤、デンプン、砂、ゲル化剤、又はこれらの組み合わせのうちの少なくとも１つを更に含む、実施形態２６又は２７に記載の製品。
【０２７７】
２９．酵素が、セルラーゼ、プロテアーゼ、アミラーゼ、リパーゼ、又はこれらの組み合わせである、実施形態２８に記載の製品。
【０２７８】
３０．多糖誘導体が、２重量％にて、６５ｍＮ／ｍ未満の表面張力を有する、実施形態２６、２７、２８、又は２９のいずれか１つに記載の製品。
【０２７９】
３１．少なくとも１つの疎水基が、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含み、少なくとも１つの親水基が、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む、実施形態２６、２７、２８、２９、又は３０のいずれか１つに記載の製品。
【０２８０】
３２．水溶性フィルム、並びに約１重量％〜約６０重量％の界面活性剤と、約０．１重量％〜約１０重量％の多糖誘導体であって、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである多糖誘導体と、を含む組成物を含む水溶性単位用量物品であって、家庭用製品である、水溶性単位用量物品。
【０２８１】
３３．少なくとも２つの区画を備える、実施形態３２に記載の水溶性単位用量物品。
【０２８２】
３４．区画が、重ね合わせる向き、又は横並びの向きに配置されている、実施形態３３に記載の水溶性単位用量物品。
【０２８３】
３５．少なくとも３つの区画を備える、実施形態３２に記載の水溶性単位用量物品。
【０２８４】
３６．少なくとも１つの疎水基が、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含み、少なくとも１つの親水基が、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む、実施形態３２、３３、３４、又は３５のいずれか１つに記載の水溶性単位用量物品。
【０２８５】
３７．基材の処理方法であって、水の存在下で、基材を実施形態２６、２７、２８、２９、３０、又は３１のいずれかに記載の家庭用製品と接触させる工程を含み、基材が織物又は硬質表面である、基材の処理方法。
【０２８６】
３８．処理された織物が、Ｌ＊ａ＊ｂ＊  ＷＩＣＩＥ法に従って測定される場合、処理前の織物に対して＋１．５以上の単位のＷＩＣＩＥの変化を有する、実施形態２６、２７、２８、２９、３０、又は３１のいずれか１つに記載の製品で織物を処理する方法。
【０２８７】
３９．
約１重量％〜約６０重量％の非石油由来の界面活性剤と、
約０．１重量％〜約１０重量％の多糖誘導体であって、
ａ）少なくとも１つの疎水基、及び
ｂ）少なくとも１つの親水基
で置換されている多糖を含み、
多糖が、ポリα−１，３−グルカン、ポリα−１，６−グルカン、又はポリα−１，３−１，６−グルカンである多糖誘導体と、を含む製品であって、家庭用製品である、製品。
【０２８８】
４０．製品が、染料及び光沢剤を実質的に含まない、実施形態３９に記載の製品。
【０２８９】
４１．少なくとも１つの疎水基が、Ｃ１〜Ｃ１８アルキル基、Ｃ２〜Ｃ１８アルケン基、Ｃ２〜Ｃ１８アルキン基、（−ＣＨ２ＣＨ２Ｏ−）、（−ＣＨ２ＣＨ（ＣＨ３）Ｏ−）若しくはこれらの組み合わせの繰り返し単位を含むポリエーテル基［ここで、繰り返し単位の総数は、３〜１００の範囲である］、Ｃ６〜Ｃ２０アリール基、ベンジル基、Ｃ１〜Ｃ１８アルキルスルホニル基、Ｃ６〜Ｃ２０アリールスルホニル基、ｐ−トルエンスルホニル基、又はこれらの組み合わせを含み、少なくとも１つの親水基が、カルボン酸、カルボン酸塩、スルホン酸誘導体、スルホン酸誘導体塩、硫酸誘導体、硫酸誘導体塩、チオサルフェート、チオサルフェート塩、リン酸誘導体、リン酸誘導体塩、アルキルアミン、アルキル置換されたアンモニウム塩、四級化ピリジン塩、四級化イミダゾール塩、又はこれらの組み合わせを含む、実施形態３９又は４０に記載の製品。
【実施例】
【０２９０】
特に指示しない限り、全ての成分は、Ｓｉｇｍａ−Ａｌｄｒｉｃｈ（Ｓｔ．Ｌｏｕｉｓ，Ｍｉｓｓｏｕｒｉ）から入手可能であり、受け入れたままの状態で使用した。
【０２９１】
本明細書で使用する場合、「比較例（Ｃｏｍｐ．Ｅｘ．）」は、比較実施例（Ｃｏｍｐａｒａｔｉｖｅ  Ｅｘａｍｐｌｅ）を意味する；「実施例（Ｅｘ．）」は実施例（Ｅｘａｍｐｌｅ）を意味する。
【０２９２】
ポリα−１，３−グルカンの代表的な調製
米国特許第７，０００，０００号明細書；米国特許出願公開第２０１３／０２４４２８８号明細書（現在では、米国特許第９，０８０，１９５号明細書）；及び米国特許出願公開第２０１３／０２４４２８７号明細書（現在では、米国特許第８，６４２，７５７号明細書）（それらすべての全体が、本明細書に参照により組み込まれる）に記載されるように、ｇｔｆＪ酵素試料を用いて、ポリα−１，３−グルカンを調製することができる。
【０２９３】
米国特許出願公開第２０１４／０１７９９１３号明細書（現在では、米国特許第９，１３９，７１８号明細書）（例えば、その中の実施例１２を参照）（その両方のそれら全体が、本明細書に参照により組み込まれる）に開示された手順に従って、ポリα−１，３−グルカンポリマーを合成し、そのウェットケーキを調製することができる。
【０２９４】
ポリα−１，６−グルカンの調製
以下の手順に従って、ポリα−１，６−グルカンの２つの試料を調製した。試料番号１は、１０．２％のα−１，２−分枝を含有した。試料番号２は、２３．７％のα−１，２−分枝を含有した。
【０２９５】
試料番号１
以下の手順に従い、グルコシルトランスフェラーゼＧＴＦ８１１７及びα−（１，２）分枝酵素ＧＴＦＪ１８Ｔ１の段階的組み合わせによる可溶性α−（１，２）−分枝ポリα−１，６−グルカンを調製した。
【０２９６】
スクロース（４５０ｇ／Ｌ）、ＧＴＦ８１１７（９．４Ｕ／ｍＬ）、及び酢酸ナトリウムから構成される反応混合物（２Ｌ）をｐＨ５．５に調節し、４７℃で攪拌した。予定時間にアリコート（０．５〜１ｍＬ）を取り出し、９０℃で１５分間加熱することによりクエンチした。得られた熱処理アリコートを０．４５μｍフィルタに通した。素通り画分をＨＰＬＣにより分析して、スクロース、グルコース、フルクトース、ロイクロース、オリゴ糖及び多糖の濃度を決定した。２３．５時間後、反応混合物を３０分間９０℃まで加熱した。熱処理反応混合物のアリコートを０．４５μｍフィルタに通し、素通り画分を可溶性単糖／二糖、オリゴ糖及び多糖について分析した（表１）。主要な生成物は、９３のＤＰｗを有する直鎖デキストランであった。
【０２９７】
【表１】
2020041150.tif 000012
【０２９８】
直前で説明したスクロースとＧＴＦ８１１７との反応から得られた残りの熱処理した反応混合物に、９５．３ｇのスクロース、及び２１０ｍＬのα−（１，２）−分枝酵素ＧＴＦＪ１８Ｔ１（５．０Ｕ／ｍＬ）を添加することにより、第２反応混合物を調製した。混合物を約２．２Ｌの容積で３０℃にて攪拌した。予定時間にアリコート（０．５〜１ｍＬ）を取り出し、９０℃で１５分間加熱することによりクエンチした。得られた熱処理アリコートを０．４５μｍフィルタに通した。素通り画分をＨＰＬＣにより分析して、スクロース、グルコース、フルクトース、ロイクロース、オリゴ糖及び多糖の濃度を決定した。９５時間後、反応混合物を３０分間９０℃まで加熱した。熱処理反応混合物のアリコートを０．４５μｍフィルタに通し、素通り画分を可溶性単糖／二糖、オリゴ糖及び多糖について分析した（表２）。残りの熱処理した混合物を、１Ｌの遠心ボトルを使用して遠心分離した。上清を回収し、限外濾過システム（１又は５ＫＤａのＭＷＣＯカセットを有するＰｅｌｌｉｃｏｎ  Ｍｉｎｉ）を使用して、脱イオン水で２００倍以上洗浄した。洗浄したオリゴ糖／多糖生成物溶液を乾燥させた。次いで、乾燥試料を１ＨＮＭＲ分光法により分析し、オリゴ糖及び多糖のアノマー結合を決定した（表３）。
【０２９９】
【表２】
2020041150.tif 000013
【０３００】
【表３】
2020041150.tif 000014
【０３０１】
試料番号２
以下の手順に従い、グルコシルトランスフェラーゼＧＴＦ８１１７及びα−（１，２）分枝酵素ＧＴＦＪ１８Ｔ１の段階的組み合わせによる可溶性α−（１，２）−分枝ポリα−１，６−グルカンを調製した。
【０３０２】
スクロース（４５０ｇ／Ｌ）、ＧＴＦ８１１７（９．４Ｕ／ｍＬ）、及び酢酸ナトリウムから構成される反応混合物（２Ｌ）をｐＨ５．５に調節し、４７℃で攪拌した。予定時間にアリコート（０．２〜１ｍＬ）を取り出し、９０℃で１５分間加熱することによりクエンチした。得られた熱処理アリコートを０．４５μｍフィルタに通した。素通り画分をＨＰＬＣにより分析して、スクロース、グルコース、フルクトース、ロイクロース、オリゴ糖及び多糖の濃度を決定した。２３．５時間後、反応混合物を３０分間９０℃まで加熱した。熱処理反応混合物のアリコートを０．４５μｍフィルタに通し、素通り画分を可溶性単糖／二糖、オリゴ糖及び多糖について分析した（表４）。主要な生成物は、９３のＤＰｗを有する直鎖デキストランであった。
【０３０３】
【表４】
2020041150.tif 000015
【０３０４】
直前で説明したスクロースとＧＴＦ８１１７との反応から得られた残りの熱処理した反応混合物に、２３８．２ｇのスクロース、及び２１０ｍＬのα−（１，２）−分枝酵素ＧＴＦＪ１８Ｔ１（５．０Ｕ／ｍＬ）を添加することにより、第２反応混合物を調製した。混合物を約２．２Ｌの容積で３０℃にて攪拌した。予定時間にアリコート（０．２〜１ｍＬ）を取り出し、９０℃で１５分間加熱することによりクエンチした。得られた熱処理アリコートを０．４５μｍフィルタに通した。素通り画分をＨＰＬＣにより分析して、スクロース、グルコース、フルクトース、ロイクロース、オリゴ糖及び多糖の濃度を決定した。９５時間後、反応混合物を３０分間９０℃まで加熱した。熱処理反応混合物のアリコートを０．４５μｍフィルタに通し、素通り画分を可溶性単糖／二糖、オリゴ糖及び多糖について分析した（表５）。残りの熱処理した混合物を、１Ｌの遠心ボトルを使用して遠心分離した。上清を回収し、１又は５ＫＤａのＭＷＣＯカセットを有する限外濾過システムを使用して、脱イオン水で２００倍以上洗浄した。洗浄したオリゴ糖／多糖生成物溶液を乾燥させた。次いで、乾燥試料を１ＨＮＭＲ分光法により分析し、オリゴ糖及び多糖のアノマー結合を決定した（表６）。
【０３０５】
【表５】
2020041150.tif 000016
【０３０６】
【表６】
2020041150.tif 000017
【０３０７】
実施例１Ａ：ポリ−１，３−グルカンのベンジル化
ポリ−１，３−グルカン（２７．５重量％のグルカンを含有する１８０ｇのウェットケーキ、残部水）を、３口１Ｌ反応器に充填した。これに、１１０ｍＬの水を添加した。この混合物を、氷水浴で１８〜２１℃まで冷却した。これに、６３ｇの５０重量％水酸化ナトリウム溶液を添加し、混合物を３０分間攪拌した。水を混合物に添加した（１５０ｍＬ）。反応混合物を４８℃まで加熱し、塩化ベンジル（８９ｇ）を４０分間にわたって添加した。次いで、反応混合物を７８℃まで３時間加熱した。混合物を冷却し、ｐＨ７．０まで中和し、濾過した。固体を冷たい２０％の水性メタノールで３回洗浄して、４０℃の真空オーブンで乾燥させて、５３ｇの黄色の固体を得た。ベンジル置換度は、１Ｈ  ＮＭＲにより、０．５７であると決定した。
【０３０８】
実施例１Ｂ：カルボキシメチルベンジルグルカンの調製
５３ｇのベンジルグルカン（実施例１Ａから得られた）を、４１０ｍＬの９２重量％水性エタノール中に懸濁し、室温で攪拌した。混合物を、氷水浴で１５〜１９℃まで冷却した。冷却した攪拌懸濁液に、４８ｇの５０重量％水酸化ナトリウム溶液を、２０分にわたって添加した。氷水浴を取り外し、混合物を２５分間攪拌した。混合物を氷水浴上で冷却し、３０．９ｇのクロロ酢酸（３０ｇの９２重量％エタノール中）を２度にわけて添加し、１度目は２／３を添加し、次いで、１５℃で１５分間攪拌し、続いて、最後の１／３を添加した。氷水浴を取り外し、反応混合物を室温で１５分間３００ｒｐｍにて攪拌した。次いで、混合物を９０℃の予熱した油浴に浸漬させた。次いで、反応混合物を７４℃（内
部温度）で３時間加熱した。次いで、反応混合物を冷却し、５３ｇの水で希釈し、１０重量％のＨＣｌでｐＨ６．７まで中和した。反応混合物を濾過し、固体を７０％の水性メタノールで洗浄して、茶色の固体を得た。固体を２００ｍＬの水中に溶解させ、０．１ＮのＮａＯＨでｐＨ８まで調節し、次いで冷メタノールに添加した。懸濁液を１０℃で１時間攪拌した。溶液をデカントで除き、更なる冷メタノールを残留固体に添加し、続いてデカントした。このプロセスを２回繰り返した。残留物に２−プロパノールを添加することによって最終画分を得て、オフホワイトの固体を得て、濾過によって単離した。固体を合わせて４０ｇを得た。カルボキシメチル基の置換度を、１Ｈ  ＮＭＲにより０．５９であると決定した。ベンジル置換度は、０．５７であった。
【０３０９】
実施例２Ａ：ベンジルグルカンの調製
４口の２Ｌフラスコに、９８０ｍＬの水、及びポリα−１，３−グルカン（４０重量％グルカン及び６０％の水を含有する２７０ｇのウェットケーキ）を攪拌しながら、少しづつ添加した。反応混合物を２０〜２５℃、次いで室温で２時間攪拌しながら、水酸化ナトリウム（５５ｇの５０重量％水溶液）を１０分間にわたって滴加した。反応混合物を７５℃まで加熱した。塩化ベンジル（７７ｇ）を７５℃で添加した。反応混合物を８５℃まで加熱し、８５℃で３．５時間維持した。反応混合物を冷却し、濾過した。ウェットケーキを水（３Ｘ７００ｍＬ）、エタノール（５０重量％、８００ｍＬ）、メタノール（８０重量％、８００ｍＬ）、アセトン（８００ｍＬ）、及びヘキサン（２Ｘ５００ｍＬ）で洗浄した。得られたウェットケーキをフリット上で真空及びＮ２パージしながら３時間乾燥させて、白色の固体を得た。固体を窒素掃引しながら一晩８０℃の真空オーブンで乾燥させて、９６ｇの白色の固体を得た。ベンジル置換度を、１Ｈ  ＮＭＲにより０．１７であると決定した。
【０３１０】
実施例２Ｂ：カルボキシメチルベンジルグルカンを調製するためのベンジルグルカンのカルボキシメチル化
４口の２５０ｍＬ丸底フラスコに、オーバーヘッド機械的攪拌機、熱電対、及びＮ２導入口を取り付けた。ベンジルグルカン（実施例２Ａから、２０ｇ）及びエタノール（９２重量％）をフラスコ中に添加した。混合物を室温で３０分間攪拌した。水酸化ナトリウム（４０ｇの５０重量％水溶液）を、攪拌しながら、１０分にわたって、滴加した。スラリーを室温で１５分間攪拌した。クロロ酢酸（５ｇの９２重量％エタノール中に１１．６ｇ）を５分で添加した。スラリーを６３〜６５℃で３時間攪拌した。３０℃まで冷却した後、反応混合物のｐＨを、１８．５重量％のＨＣｌ溶液を添加することにより約７まで調節した。濾過により固体を回収し、温メタノール（９０重量％、１５０ｍＬ）で再スラリー化し、次いで、濾過してウェットケーキを得た。再スラリー／濾過法によりウェットケーキをメタノール（９０重量％、３Ｘ１５０ｍＬ）で洗浄し、次いで、真空上で乾燥させて、２２．３ｇの固体を得て、これをＴＦＦ（ナノ濾過：膜：ＰＥＳ、５Ｋ  ＭＷＣＯ）により、約５Ｌの水交換で更に精製し、次いで、１０Ｋ  ＭＷＣＯ  膜により更に精製した。濃縮水を濃縮し、乾燥させて、１８．１ｇの固体としてカルボキシメチルベンジルグルカンを得た。カルボキシメチル基の置換度は、１Ｈ  ＮＭＲにより、１．７５であると決定した。ベンジル置換度は、０．１７であった。
【０３１１】
実施例３Ａ：ベンジルグルカンの調製
ポリα−１，３−グルカン（８９％のグルカン及び１１％の水を含有する、５３ｋｇのウェットケーキ）を、１５０ガロン反応器に充填し、続いて窒素下で水（２２１６ｋｇ）を入れた。これに水酸化ナトリウム溶液（１０％固体、２０２ｋｇ）を添加し、混合物を窒素下で２時間室温で攪拌した。反応器を６５℃まで加熱し、塩化ベンジル（５８．５ｋｇ）を反応器に添加した。反応温度を８０〜８５℃まで上昇させ、反応を３．５時間加熱した。反応器を７０℃まで冷却し、反応混合物のｐＨを３Ｍの硫酸を使用してｐＨ３まで調節した。反応混合物を、メタノール／水（５：１）、アセトン（２Ｘ）、メタノールで
洗浄し、乾燥させた。ベンジル基の置換度は、１Ｈ  ＮＭＲにより、０．５であると決定した。
【０３１２】
実施例３Ｂ：ベンジルグルカンのカルボキシメチル化
４口の２５０ｍＬ丸底フラスコに、オーバーヘッド機械的攪拌機、熱電対、及びＮ２導入口を取り付けた。ベンジルグルカン（実施例３Ａから、２０ｇ）及びエタノール（９２重量％、１２０ｍＬ）をフラスコ中に添加した。混合物を室温で３０分間攪拌した。水酸化ナトリウム（２０ｇ、５０重量％水溶液）を、攪拌しながら、１０分間にわたって滴加した。スラリーを室温で１５分間攪拌した。クロロ酢酸（５ｇの９２重量％エタノール中に１１．６ｇ）を５分で添加した。スラリーを６０〜６２℃で４時間攪拌した。固体は完全には水に溶けなかった。３５℃まで冷却した後、水酸化ナトリウム（１１．５ｇ、５０重量％水溶液）及び６．８ｇのクロロ酢酸（３ｇの９２重量％エタノール中を添加した。得られた混合物を６０℃で攪拌した。６０℃で１．５時間後、大きな塊が形成された。加熱を止めた。最上層の液体をデカントし、メタノール（５０重量％、１５０ｍＬ）、得られた混合物のｐＨを、１８．５重量％のＨＣｌ溶液を添加することにより約７まで調節した。混合物を室温で一晩ゆっくりと攪拌し、ゲルを形成した。ゲルを攪拌しながら、メタノール（５０ｍＬ）をゆっくりと添加した。柔らかい固体が沈殿した。最上層の液体をデカントした。メタノール（９０重量％、１５０ｍＬ）を添加した。固体を濾過により回収し、メタノール（９０重量％、３Ｘ１００ｍＬ）で洗浄し、次いで真空上で乾燥させて、２０．５ｇの固体を得た。固体を限外濾過により更に精製した。茶色の固体を約１．５Ｌの水中に溶解させた。溶液を、ＴＦＦ（ナノ濾過、膜：再生セルロース、１０Ｋ  ＭＷＣＯ）により、約５Ｌの水の交換で精製した。濃縮水を濃縮し、乾燥させて、１６．８ｇの固体としてカルボキシメチルベンジルグルカンを得た。カルボキシメチル基の置換度は、１Ｈ  ＮＭＲにより、０．９５であると決定した。ベンジル基の置換度は、０．５であった。
【０３１３】
実施例４：四級アンモニウムベンジルグルカンの調製
４口の２５０ｍＬ丸底フラスコに、オーバーヘッド機械的攪拌機、熱電対、及びＮ２導入口を取り付けた。ベンジルグルカン（実施例２Ａから、２０ｇ）及びイソプロピルアルコール（１２０ｍＬ）をフラスコに添加した。混合物を室温で攪拌し、水酸化ナトリウム（１８．６４ｇの５０重量％水溶液）を、攪拌しながら、１０分間にわたって滴加した。反応混合物を予熱した油浴（６０℃）で５０℃まで加熱した。３−クロロ−２−ヒドロキシプロピルトリメチルアンモニウムクロリド（５２．３ｇの６０重量％水溶液）を５分で添加した。スラリーを５５〜６０℃で３時間攪拌した。大きな塊が形成された。液体（約１００ｍＬ）をデカントした。メタノール（１００ｍＬ）を添加し、塊を手で破壊した。この混合物のｐＨを、１８．５重量％のＨＣｌ溶液を添加することにより約７まで調節した。固体を濾過により回収し、９０重量％メタノール（２Ｘ１５０ｍＬ）で洗浄し、次いで濾過し、ウェットケーキを得て、これを８０℃の真空上で乾燥させて、固体を得た。この固体を水（７００ｍＬ）に懸濁させ、遠心分離にかけた。最上層の溶液をメタノール中に滴下し、生成物を沈殿させ、これを乾燥させて、１４．５ｇの白色固体を得た。四級アンモニウムの置換度は、１Ｈ  ＮＭＲにより、０．２５であると決定した。ベンジル基の置換度は、０．１７であった。
【０３１４】
実施例５Ａ：ヒドロキシペンチルグルカン
ポリ−１，３−グルカン（２７．５重量％のグルカンを含有する５０ｇのウェットケーキ、０．０８５ｍｏｌ）を、３口１Ｌ反応器に充填する。これに、３０ｍＬの水を添加する。この混合物を、氷水浴で１８〜２１℃まで冷却する。これに、１８ｇの５０重量％水酸化ナトリウム溶液を添加し、混合物を３０分間攪拌する。水を混合物に添加する（５０ｍＬ）。反応混合物を４８℃まで加熱し、１，２−エポキシペンタン（１７ｇ）を４０分間にわたって添加する。次いで、反応混合物を７５℃で３時間加熱する。混合物を冷却し
、ｐＨ７．０まで中和し、濾過する。固体を２０％の水性メタノールで３回洗浄して、真空オーブンで乾燥させる。−ＣＨ２−ＣＨ（ＯＨ）ＣＨ２ＣＨ２ＣＨ３基の置換度は、１Ｈ  ＮＭＲにより決定する。
【０３１５】
実施例５Ｂ：ヒドロキシペンチルグルカンのカルボキシメチル化
２５ｇのヒドロキシペンチルグルカン（実施例５Ａから得られた）を、２００ｍＬの９２重量％水性エタノール中に懸濁し、室温で攪拌する。混合物を、氷水浴で１５〜１９℃まで冷却する。冷却した攪拌懸濁液に、２４ｇの５０重量％水酸化ナトリウム溶液を、２０分にわたって添加する。氷水浴を取り外し、混合物を２５分間攪拌する。混合物に、１５ｇのクロロ酢酸（１５ｇの９２重量％エタノール中）を滴加する。氷水浴を取り外し、反応フラスコを７０℃まで３時間加熱する。次いで、反応混合物を冷却し、２５ｇの水で希釈し、１０重量％のＨＣｌでｐＨ７まで中和する。反応混合物を濾過し、固体を７０％の水性メタノールで洗浄する。カルボキシメチル基の置換度は、１Ｈ  ＮＭＲにより決定する。
【０３１６】
実施例６Ａ：ポリα−１，６−グルカントシレートの調製
ＮａＯＨ（３５ｇ、５０％濃度）、ウレア（３０ｇ）、及び水（１６０．５ｍＬ）を混合し、攪拌して、透明溶液を得た。本明細書の上記のように調製したポリα−１，６−グルカン（１７Ｋ、１０％分枝、３５ｇ、３１．４％）を、攪拌しながら添加した。混合物をアセトン−ドライアイス浴で−１２℃まで１時間冷却し、０℃まで温めたら、溶液を激しく攪拌して透明なポリα−１，６−グルカン溶液を得た。
【０３１７】
氷浴により冷却した上記グルカン溶液に、ｐ−トルエンスルホニルクロリド（５３グラム）、及びＩｍｂｅｎｔｉｎ  ＡＧＳ／３５（２０ｍＬ）を添加した。混合物を０℃で少なくとも３時間激しく攪拌して、室温まで一晩温めた。混合物を２つの層に相分離した。最上の淡黄色の透明液体層を取り除いた。底部のゲル様層を、イソプロパノール中で白色粉末として沈殿させた。生成物をイソプロパノール（２００ｍＬ／１回、５回）で完全に洗浄し、所望のグルカン−トシレートを定量的収率で得た。トシル置換度は、ＮＭＲにより、１．０であると決定した。
【０３１８】
実施例６Ｂ：ポリα−１，６−グルカン−トシレート−エチレンジアミンの調製
ＤＭＳＯ（４５ｍＬ）中の実施例６Ａからのグルカン−トシレート（１５ｇ）に、Ｎ−エチレンジアミン（３１．６ｍＬ）を室温で添加した。Ｎ，Ｎ−ジイソプロピルエチルアミン（７．８ｍＬ）を添加した。反応を１００℃で６時間攪拌した。混合物を冷却し、５Ｍ  ＨＣｌ水溶液（４０ｍＬ）を用いてｐＨ７まで酸性化した。粗混合物を脱イオン水で更に５倍希釈し、膜チューブ（３Ｋ  ＭＷＣＯ）を用いた透析で精製し、所望の水溶性ポリα−１，６−グルカン−トシレート−アミンを得た。トシル置換度は、元素分析により、０．５であると決定した。アミン置換度は、元素分析により、０．３であると決定した。
【０３１９】
実施例７Ａ：ポリα−１，６−グルカントシレートの調製
ＮａＯＨ（３０ｇ、５０％濃度）、ウレア（２５ｇ）、及び水（１５４ｍＬ）を混合し、攪拌して、透明溶液を得た。本明細書の上記のように調製したポリα−１，６−グルカン（１７Ｋ、２５％分枝、２０ｇ）を、攪拌しながら添加した。混合物をアセトン−ドライアイス浴で−１２℃まで１時間冷却し、０℃まで温めたら、溶液を激しく攪拌して透明なポリα−１，６−グルカン溶液を得た。
【０３２０】
氷浴により冷却した上記グルカン溶液に、ｐ−トルエンスルホニルクロリド（４７グラム）、及びＩｍｂｅｎｔｉｎ  ＡＧＳ／３５（５ｍＬ）を添加した。混合物を０℃で少なくとも３時間激しく攪拌して、室温まで一晩温めた。生成物をイソプロパノール中に沈殿
させ、イソプロパノール（２００ｍＬ／１回、５回）で完全に洗浄し、所望のグルカン−トシレートを定量的収率で得た。トシル置換度は、元素分析により、０．７であると決定した。
【０３２１】
実施例７Ｂ：ポリα−１，６−グルカン−トシレート−エチレンジアミンの調製
ＤＭＳＯ（３０ｍＬ）及びＣＨ３ＣＮ（１５ｍＬ）中の本明細書の実施例と同様の調製物からのグルカン−トシレート（１５ｇ、ＤｏＳ（Ｔｓ）＝０．９）に、Ｎ−エチレンエチレンジアミン（３０ｍＬ）を室温で添加した。Ｎ，Ｎ−ジイソプロピルエチルアミン（４５ｍＬ）を添加した。反応を７０℃で２０時間攪拌した。混合物を冷却し、５Ｍ  ＨＣｌ水溶液を用いてｐＨ７まで酸性化した。粗混合物を脱イオン水で更に５倍希釈し、膜チューブ（３Ｋ  ＭＷＣＯ）を用いた透析で精製し、１０．５グラムの所望の水溶性ポリα−１，６−グルカン−トシレート−アミンを得た。トシル置換度は、元素分析により、０．５であると決定した。アミン置換度は、元素分析により、０．３であると決定した。
【０３２２】
実施例８：トシレート−チオサルフェートグルカンの調製
ＤＭＳＯ（１６０ｍＬ）中の実施例７Ａからのグルカン−トシレート（１８ｇ）に、Ｎａ２Ｓ２Ｏ３（３６グラム）、及び水（４０ｍＬ）を室温で添加した。反応を８５℃（外部温度）で１８時間攪拌した。その後、反応混合物を室温まで冷却した。飽和ＮａＨＣＯ３（１００ｍＬ）及び水（１００ｍＬ）を添加した。得られた透明溶液を、ｓｐｅｃｔｒａ／Ｐｏｒ（登録商標）６透析膜（３．５Ｋ）で更に精製し、乾燥させて、１３グラムの所望の生成物を得た。トシル置換度は、元素分析により、０．２であると決定した。チオサルフェート置換度は、元素分析により、０．５であると決定した。トシレート置換度は、０．７であった。
【０３２３】
実施例９Ａ：ポリα−１，３−グルカンカルボキシレートの調製
硝酸（６９％、５００ｍＬ）、及びリン酸（８５％、２５０ｍＬ）を室温で混合した。この溶液に、グルカン（ジェットミルされた粉末、１３０ｇ）を、室温で添加した。混合物を１５分間攪拌し、次いで、反応器を氷浴で冷却しながら、亜硝酸ナトリウム（６ｇ）を一度に添加した。反応混合物をゆっくりと４時間攪拌した。反応混合物を水浴で冷却し、内部温度を３５〜４０℃を超えないように制御した。得られた混合物を室温で更に４４時間置いた。氷水（５００ｍＬ）を添加し、得られた混合物を約６Ｌの総容量になるまで氷水中に注ぎ、約７〜８のｐＨまでＮａＯＨで処理した。得られた溶液を、限外濾過（５Ｋ膜）で精製した。濃縮水を濃縮し、残留物を得て、これを凍結乾燥機で乾燥させて、固体生成物（５８ｇ）を得た。ＮＭＲ分析は、グルカンが、Ｃ６位でカルボキシレート基（−ＣＯＯＨ）に約９６％酸化したことを示した。ＤｏＳは、約１であった。
【０３２４】
実施例９Ｂ：ポリα−１，３−グルカンカルボキシレートベンジル誘導体の調製
実施例９Ａからの生成物（２０ｇ）を、室温で水（７０ｍＬ）中に溶解させた。この溶液に、ＮａＯＨ（１２ｇ、０．１５モルの５０％溶液）を室温で添加した。均一溶液を形成した。混合物を６５℃まで加熱した。塩化ベンジル（１５．６ｇ、０．１２３モル）を、反応混合物に添加した。次いで、反応混合物を８５℃まで加熱し、８５℃で３時間維持した。室温まで冷却した後、反応混合物を水（５００ｍＬ）中に注ぎ、ＨＣｌ（１８．５重量％溶液）で約７〜８のｐＨまで処理し、次いで、塩化メチレンで抽出して、できるだけ多くの有機物を除去した。次いで、この水溶液を約３Ｌまで水で希釈し、限外濾過（５Ｋ膜）で更に精製した。濃縮水を濃縮し、残留物を得て、これを凍結乾燥させて、固体生成物（９．０ｇ）を得た。ベンジル基のＤｏＳは、ＮＭＲ分析を基準として約１であった。
【０３２５】
実施例１０Ａ：アリルポリα−１，６−グルカンの調製
本明細書の上記のように調製したポリα−１，６−グルカン（１７Ｋ、１０％分枝、４
１ｇ）を、追加の漏斗、オーバーヘッド攪拌機、及び窒素導入口を取り付けた３口フラスコ中の１００ｍＬ脱イオン水中に溶解させた。混合物を０〜５℃まで冷却した。これに、滴下漏斗を介して５０％の水酸化ナトリウム（２１ｇ）、続いて、アリルグリシジルエーテル（９０ｇ）を添加した。混合物を６５℃まで加熱し、窒素下で６時間攪拌した。琥珀溶液を冷却して、１８重量％のＨＣｌで中和した。溶液を３Ｌまで希釈し、限外濾過（ＭＷＣＯ  ５Ｋ、ＰＥＳ）によって精製した。生成物をフリーズドライして、白色粉末を得た。ＮＭＲ分析は、アリル基の置換度が１．３であることを示した。
【０３２６】
実施例１０Ｂ：アリルポリα−１，６−グルカンのカルボキシメチル化
実施例１０Ａからのアリルポリα−１，６−グルカン（２０ｇ）を、追加の漏斗、オーバーヘッド攪拌機、及び窒素導入口を取り付けた３口フラスコ中の５０ｍＬ脱イオン水中に溶解させた。混合物を０〜５℃まで冷却した。これに、滴下漏斗を介して５０％の水酸化ナトリウム（２１ｇ）を添加し、混合物をさらに１０分間攪拌して、オレンジ色のスラリーを得た。これに、滴下漏斗を介してクロロ酢酸（５．２ｇを３．５ｇ水中に溶解させた）を添加した。混合物を６５℃まで加熱し、窒素下で３時間攪拌した。琥珀溶液を冷却して、１８重量％のＨＣｌで中和した。生成物を、限外濾過（ＭＷＣＯ  ５Ｋ、ＰＥＳ）によって精製した。生成物をフリーズドライして、白色粉末を得た。ＮＭＲ分析は、アリル基の置換度は１．３であり、カルボキシメチル基の置換度は、０．１であることを示した。
【０３２７】
実施例１１：トシレート−アルキルスルホネートグルカンの調製
ＤＭＳＯ（５０ｍＬ）中の実施例７Ａからのポリα−１，６−グルカン−トシレート（１０ｇ）に、１，３−プロパンスルトン（１０ｇ）、続いてトリメチルアミン（３ｇ）を窒素下で添加した。反応混合物を６０℃で６時間攪拌する。混合物を室温まで冷却し、５００ｍＬの水で希釈する。生成物を、透析（ｓｐｅｃｔｒａ／Ｐｏｒ（登録商標）６透析膜（３．５Ｋ）で精製し、フリーズドライする。
【０３２８】
実施例１２：ポリα−１，６−グルカン−トシレート−カルボキシメチル誘導体の調製
４口の２５０ｍＬ丸底フラスコに、オーバーヘッド機械的攪拌機、熱電対、及びＮ２導入口を取り付ける。実施例７Ａからのポリα−１，６−グルカン−トシレート（１０ｇ）及びエタノール（９２重量％、６０ｍＬ）をフラスコ中に添加する。混合物を室温で３０分間攪拌する。水酸化ナトリウム（１０ｇ、５０重量％水溶液）を、攪拌しながら、１０分間にわたって滴加する。スラリーを室温で１５分間攪拌する。クロロ酢酸（３ｇの９２重量％エタノール中に５．８ｇ）を５分で添加する。スラリーを６０〜６２℃で４時間攪拌する。混合物を室温まで冷却し、１８．５重量％のＨＣｌ溶液で中和する。混合物を溶解させ、限外濾過（ＭＷＣＯ  ５ｋＤ、ＰＥＳ膜）によって精製する。
【０３２９】
実施例１３Ａ：ベンジルグルカンの調製
４口の２Ｌフラスコ中に、６１０ｍＬの水、及び２７０ｇのポリα−１，３−グルカンウェットケーキ（約１００ｇの乾燥グルカンを含有する）を添加した。混合物を室温で３０分間攪拌した。水酸化ナトリウム溶液（５０％、１２９ｇ）を添加した。反応混合物を６５℃まで加熱した。塩化ベンジル（１５５ｇ）を添加し、得られた反応混合物を８４℃まで加熱し、８０〜８５℃で３時間維持した。反応混合物を約３５℃まで冷却し、塩酸（１８．５重量％）で約７のｐＨまで処理した。反応スラリーを濾過し、水（５００ｍＬ）、メタノール溶液（水と１：１、５００ｍＬ）、次いでアセトン（３Ｘ５００ｍＬ）で洗浄した。得られたウェットケーキを４０℃の真空オーブンでＮ２を流しながら一晩乾燥させてベンジルグルカン（６８ｇ）を得た。ＮＭＲ分析に基づいて、ベンジル基のＤｏＳは、０．６であると決定した。
【０３３０】
実施例１３Ｂ：ベンジルグルカンのカルボキシメチル化
４口の１Ｌフラスコに、４００ｍＬのエタノール（９２重量％）、及び実施例１３Ａからのベンジルグルカン（５７．７ｇ）を添加した。混合物を室温で３０分間攪拌した。水酸化ナトリウム溶液（５０％、５１．５ｇ）を添加した。混合物を室温で１５分間攪拌した。エタノール（２３ｇ）中のモノクロロ酢酸（３０．５ｇ）を反応混合物に添加した。反応混合物を７２〜７５℃まで３時間加熱した。反応混合物を約３５℃まで冷却し、塩酸（１８．５重量％）で約７〜８のｐＨまで処理した。反応スラリーを濾過した。ウェットケーキを水（４Ｌ）中に溶解させ、濾過した。濾液を限外濾過（５Ｋ膜）によって精製した。濃縮水を濃縮し、凍結乾燥機で乾燥させて、カルボキシメチルベンジルグルカン（６０．７ｇ）を得た。ＮＭＲ分析に基づいて、ベンジル基に関するＤｏＳは０．７であり、カルボキシメチル基に関するＤｏＳは０．５であった。
【０３３１】
実施例１４：ヒドロキシエチルカルボキシメチルグルカンの調製
３．５のＭＳのＥＯ置換を有するヒドロキシエチルグルカンを、米国特許第９１３９７１８号明細書に記載されているように調製した。カルボキシメチル化反応は、以下のように実施した。
【０３３２】
４口２５０ｍＬの丸底フラスコに、２０ｇのヒドロキシエチルグルカン及び水（８０ｇ）を充填した。混合物を攪拌し、水酸化ナトリウム（２８．５ｇ、５０重量％溶液）を２０分間にわたって添加した。混合物を更に６０分間攪拌した。５ｇの水中１６．８ｇのモノクロロ酢酸を添加した。得られた混合物を６０〜６３℃で３時間加熱した。水（１００ｍＬ）を添加し、混合物のｐＨを、ＨＣｌ（１８．５重量％）を添加することにより、約７まで調節した。混合物を水（１．２Ｌ）中に注ぎ、限外濾過によって更に精製した。濃縮水を濃縮し、凍結乾燥機で乾燥させて、固体生成物（１２．６ｇ）を得た。ＮＭＲ分析は、ＤｏＳ（カルボキシメチル）＝０．４、及び３．５のＭＳ（ＥＯ）を示した。
【０３３３】
実施例１５：ベンジル−カルボキシメチルグルカンの汚れ放出試験
実施例１Ｂからのベンジル−カルボキシメチルグルカンを使用した。織物見本（ＪｏＡｎｎ’ｓ  Ｆａｂｒｉｃ  Ｓｙｍｐｈｏｎｙ  Ｂｒｏａｄｃｌｏｔｈ：６５％ポリエステル：３５％綿）を、使用に先立って４００ｐｐｍのノニオン性界面活性剤中で洗い流した。織物を４”Ｘ４”にカットし、１つの試験当たり３つの見本を使用した。見本を１００ｐｐｍのベンジル−カルボキシメチルグルカン水溶液中に浸漬し、一定の液体塊までしぼり、平らに置いて空気乾燥させた。ソルベントレッド２７で染色した植物油を使用して各見本を汚した（各見本に約０．１３ｇの汚れを塗布した）。見本を、洗浄前に一晩乾燥させた。洗浄条件：１Ｌ水道水、６０ｐｐｍの硬度。８０ｒｐｍの攪拌、３８℃の洗浄温度、３分のすすぎをともなう１０分の洗浄。使用した洗剤：Ａｒｍｓ  ＆  Ｈａｍｍｅｒ  Ｃｌｅａｎ  Ｂｕｒｓｔ  ０．６８ｇ／Ｌ；追加オーダー：水、洗剤、布。見本をすすぎサイクルの前後で一定の質量にしぼり、空気乾燥させた。
【０３３４】
対照実験を同様に行ったが、水溶液中にベンジル−カルボキシメチルグルカンを含まなかった。比較例Ａ及びＢも同様に行ったが、それぞれ、ベンジル−カルボキシメチルグルカンで置換されている、Ｒｅｐｅｌ−Ｏ−Ｔｅｘ  Ｃｒｙｓｔａｌ  ａｎｄ  Ｆｉｓｈｅｒ’ｓ  ＬＳＤを含んだ。
【０３３５】
汚した後及び洗浄後の両方で、Ｈｕｎｔｅｒ比色計を使用して各見本について反射率の読み取り（ｘ、ｙ、ｚ色空間）を４回測定した。ｙ値を使用して、洗浄効果を決定した。２つの値の差が報告されている（デルタＲ、より大きい値はより多くの汚れ除去を示す）。下記表７に示す結果は、ベンジル−カルボキシメチルグルカンが油性汚れの汚れ放出に有効であることを示している。
【０３３６】
【表７】
2020041150.tif 000018
【０３３７】
実施例１６：ベンジル−カルボキシメチルグルカン、及びトシレート−チオサルフェートグルカンの白色度試験
実施例１３Ｂで記載したのと同様に製造されたベンジル−カルボキシメチルグルカン、及び実施例８で得られたトシレート−チオサルフェートグルカンを使用する。白色度保存とも称される白色度維持は、白いアイテムが汚れの存在下で洗浄される場合に、白色度の損失から守るための洗剤の能力である。汚れた衣服から汚れが取り除かれて洗濯水中に堆積され、次いでその汚れが衣服に再付着して、洗濯するたびに衣服の白さが少なくなる場合、白色衣類は、時間が経過すると、汚れたり／薄汚なくなったりすることがある。
【０３３８】
白色度の計算：ＣＩＥＬａｂ  ｂ＊、並びにＧａｎｚ及びＣＩＥ白色度指数
白色度指数（「ＷＩ」）は、測色の３つの構成要素−色相、彩度、及び明度−を含む式によって計算される色の適格な評価であり、これは次に標準的な白色値に指数化される。セルロース系基材上の白色度を測定するために、いくつかの白色度式を使用することができる。２つの一般式は、Ｇａｎｚ白色度指数及びＣＩＥ白色度である。Ｇａｎｚ白色度指数は、式：ＷＩ＝（Ｄ＊Ｙ）＋（Ｐ＊ｘ）＋（Ｑ＊ｙ）＋Ｃ［式中、Ｙ、ｘ、及びｙは、比色分析値であり、Ｄ、Ｐ、Ｑ、及びＣは、式パラメータである］で表される。ＣＩＥ白色度は、式：ＷＩ＝Ｙ−（８００＊ｘ）−（１７００＊ｙ）＋８１３．７［式中、Ｙ、ｘ、及びｙは、比色分析値である］で表される。更なる情報は、Ｒｏｌｆ  Ｇｒｉｅｓｓｅｒ，Ｃｉｂａ−Ｇｅｉｇｙ  Ｌｔｄ，「Ｗｈｉｔｅｎｅｓｓ  ａｎｄ  Ｔｉｎｔ」，１９９３年６月の出版物に掲載されている。
【０３３９】
物品の表面色は、分光光度計を使用して試料を測定することによって生成された一連の測定値（Ｌ＊、ａ＊、及びｂ＊）を使用して定量化され得る。この試験に使用される装置は、Ｋｏｎｉｃａ  Ｍｉｎｏｌｔａ  ＣＭ−３６１０Ｄ分光光度計である。使用したソフトウエアプログラムは、ＳｐｅｃｔｒａＭａｇｉｃ  ＮＸソフトウェアである。「Ｌ」は、試料中の白又は黒の量の程度である；より高い「Ｌ」値はより明るい色の試料を示す。試料中の赤又は緑の量の程度は、「ａ＊」値によって決定される。試料中の青又は黄の量の程度は、「ｂ＊」値によって決定される；より低い（より負の）ｂ＊値は試料上でより青であることを示す。
【０３４０】
この方法は、バックグランドの汚れを洗浄水中に懸濁させ、それが衣服に付着するのを防ぐ製品配合物の能力を測定する。この試験の複数サイクルの性質及びサイクルにわたる織物の変化を読み取る能力によって、データを３回の洗浄サイクル後に以下に報告した。
【０３４１】
平均洗浄量は、約４０ｇの汚れを含有する。この洗浄汚れのうち、７０％が体の汚れ、１０％が環境（土、芝）の汚れ、１０％が偶発的な食物のしみ、及び最後の１０％がその他／未確認である。ＳＢＬ２００４試験汚れストリップ（人工汚れ、ＷＦＫ  Ｔｅｓｔｇｅｗｅｂｅ  ＧｍｂＨから入手可能）は、この食物、体の汚れ、並びに粘土及び顔料の多様性を再現する。ＳＢＬ２００４試験汚れストリップは、消費者の汚れレベルをシミュレートするために添加される。１つのＳＢＬ２００４シートには、平均して８ｇの汚れが担
持されている。ＷＦＫ：ＷＦＫ  Ｔｅｓｔｇｅｗｅｂｅ  ＧｍｂＨ、試験材料（ＥＣＥ−２洗剤、人工汚れＳＢＬ２００４及び白色トレーサー）の欧州の供給元。ＷＦＫ  Ｔｅｓｔｇｅｗｅｂｅ  ＧｍｂＨ。
【０３４２】
この方法は、０．３１％の汚れ／洗浄サイクル及び５ポット自動小型洗浄機（ＡＭＷ）を使用して、タイプＩＩＩの洗浄条件下で行われる。小型洗浄機の製品濃度、時間及び洗浄温度は、同等の本格的規模の洗浄条件における製品濃度、時間及び洗浄温度と同じである。
【０３４３】
【表８】
2020041150.tif 000019
【０３４４】
上記の表８は、それぞれの洗浄条件下での、７．５７リットルの５ポット自動小型洗浄機のための好適な製品濃度、硬度及び汚れ担持量を示す。白色度試験に使用された織物見本を表９で提供する。
【０３４５】
【表９】
2020041150.tif 000020
【０３４６】
小型洗浄機試験に関して、１サイクル当たり、１ウォッシュレッグ（約２８ｇの汚れ）当たり、約３．５ＳＢＬのストリップを使用する  １試験レッグあたり、３サイクルの処理を通して残っている３つの各織物タイプがある。ＳＢＬ汚れストリップを、各洗浄後に取り換える。白色度の読み取りは、Ｌ＊ａ＊ｂ＊  ＷＩＣＩＥ法（Ｈｕｎｔｅｒ  Ｌａｂｓ）を用いて処理の前後に行われる。表１０に報告されているデータは、３回目の洗浄サイクル後のものである。
【０３４７】
【表１０】
2020041150.tif 000021
【０３４８】
実施例１７：表面張力測定
両親媒性グルカンポリマーの表面活性を、ＡＳＴＭ  Ｓｔａｎｄａｒｄ  Ｄ１３３１，
２０１５法に従い、ＣＡＨＮ  ＤＣＡ−３１２表面張力計を使用して、ｄｕＮｕｏｙリング法を用いた表面張力測定によって決定した。表１１のデータは、表面張力の低下によって実証されるように、両親媒性多糖誘導体が表面活性を有することを示している。比較例Ｃに関する結果は、カルボキシメチル化ポリα−１，３−グルカンが界面活性を示さないことを示している。カルボキシメチル化グルカンは、米国特許第９１３９７１８号明細書に記載されているように調製され、ＮＭＲ分析に基づいて０．６のカルボキシメチル化ＤｏＳを有した。
【０３４９】
【表１１】
2020041150.tif 000022
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
製品であって、
約１重量％〜約６０重量％の界面活性剤と、
約０．１重量％〜約１０重量％の多糖誘導体であって、
ａ）少なくとも１つの疎水基、及び
ｂ）少なくとも１つの親水基
で置換されている多糖を含み、
前記多糖が、ポリα−１，３−グルカン、ポリα−１，６−グルカン、又はポリα−１，３−１，６−グルカンである多糖誘導体と
を含み、前記製品が家庭用製品である、製品。
【請求項２】
液体、ジェル、粉末、ヒドロコロイド、水溶液、顆粒、錠剤、カプセル、単一区画袋、複数区画袋、単一区画パウチ、又は複数区画パウチの形態である、請求項１に記載の製品。
【請求項３】
酵素、洗剤ビルダー、錯化剤、ポリマー、汚れ放出ポリマー、界面活性増強ポリマー、漂白剤、漂白活性化剤、漂白触媒、織物コンディショナー、粘土、起泡増進剤、泡抑制剤、腐食防止剤、汚れ懸濁化剤、汚れ再付着防止剤、染料、殺菌剤、曇り防止剤、蛍光増白剤、香料、飽和若しくは不飽和脂肪酸、移染防止剤、キレート剤、色相染料、カルシウムカチオン、マグネシウムカチオン、視覚信号成分、消泡剤、構造化剤、増粘剤、固化防止剤、デンプン、砂、ゲル化剤、又はこれらの組み合わせのうちの少なくとも１つを更に含む、請求項１に記載の製品。
【請求項４】
前記酵素が、セルラーゼ、プロテアーゼ、アミラーゼ、リパーゼ、又はこれらの組み合わせである、請求項３に記載の製品。
【請求項５】
前記多糖誘導体が、２重量％にて、６５ｍＮ／ｍ未満の表面張力を有する、請求項１に記載の製品。
【請求項６】
水溶性単位用量物品であって、水溶性フィルム、並びに約１重量％〜約６０重量％の界面活性剤と、約０．１重量％〜約１０重量％の多糖誘導体であって、
ａ）少なくとも１つの疎水基、及び
ｂ）少なくとも１つの親水基
で置換されている多糖を含み、
前記多糖が、ポリα−１，３−グルカン、ポリα−１，６−グルカン、又はポリα−１，３−１，６−グルカンである多糖誘導体と、を含む組成物を含み、前記水溶性単位用量物品が家庭用製品である、水溶性単位用量物品。
【請求項７】
少なくとも２つの区画を備える、請求項６に記載の水溶性単位用量物品。
【請求項８】
少なくとも３つの区画を備える、請求項６に記載の水溶性単位用量物品。
【請求項９】
前記区画が、重ね合わせる向き、又は横並びの向きに配置されている、請求項７に記載の水溶性単位用量物品。
【請求項１０】
基材の処理方法であって、水の存在下で、前記基材を請求項１に記載の家庭用製品と接触させる工程を含み、前記基材が織物又は硬質表面である、基材の処理方法。
【請求項１１】
前記処理された織物が、Ｌ＊ａ＊ｂ＊  ＷＩＣＩＥ法に従って測定される場合、処理前
の前記織物に対して＋１．５以上の単位のＷＩＣＩＥの変化を有する、請求項１に記載の製品で織物を処理する方法。
【請求項１２】
製品であって、
約１重量％〜約６０重量％の非石油由来の界面活性剤と、
約０．１重量％〜約１０重量％の多糖誘導体であって、
ａ）少なくとも１つの疎水基、及び
ｂ）少なくとも１つの親水基
で置換されている多糖を含み、
前記多糖が、ポリα−１，３−グルカン、ポリα−１，６−グルカン、又はポリα−１，３−１，６−グルカンである多糖誘導体と、を含み、前記製品が家庭用製品である、製品。
【請求項１３】
前記製品が、染料及び光沢剤を実質的に含まない、請求項１２に記載の製品。